(57)【要約】【課題】  カメラ付き携帯電話で撮像した大容量画像を対象に、閲覧や保管、印刷等の画像管理サービスを提供する。【解決手段】  カメラ付き携帯電話１０で撮像した画像を、画像サービス端末４０からインターネット６０上の画像管理センター７０にアップロードする。画像管理センター７０は、電話番号などの通信端末識別データに基づいて画像管理を行う。画像管理センター７０は、画像の閲覧や紹介、印刷等の各種設定環境を、カメラ付き携帯電話１０から通信事業者８０経由でアクセスできるＷＷＷサービスとして提供する。印刷画像や画像データは画像サービス端末４０から受取れる。【選択図】        図１
2006157879.tif 000002
【特許請求の範囲】
【請求項１】
画像データを記憶する記憶手段と、
画像や文字を表示する表示手段と、
画像を含むデータの送受信を行える通信手段と、
ＷＷＷ(Ｗｏｒｌｄ  Ｗｉｄｅ  Ｗｅｂ)を閲覧する閲覧手段を有する通信端末において、
画像サービス端末との近距離通信手段を備えたことを特徴とする通信端末。
【請求項２】
上記近距離通信手段は、画像サービス端末との赤外線通信機能を有することを特徴とする請求項１に記載の通信端末。
【請求項３】
上記近距離通信手段は、画像サービス端末との無線通信機能を有することを特徴とする請求項１に記載の通信端末。
【請求項４】
上記近距離通信手段は、画像サービス端末に画像データと識別データを送ることを特徴とする請求項１に記載の通信端末。
【請求項５】
画像データを記憶する記憶手段と、
画像や文字を表示する表示手段と、
画像を含むデータの送受信を行える通信手段と、
ＷＷＷ(Ｗｏｒｌｄ  Ｗｉｄｅ  Ｗｅｂ)を閲覧する閲覧手段を有する通信端末において、
可搬型記憶媒体に画像データと識別データを書込むデータ書込み手段を備えたことを特徴とする通信端末。
【請求項６】
上記識別データには通信端末識別データが含まれることを特徴とする請求項４又は請求項５に記載の通信端末。
【請求項７】
上記通信端末識別データは、電話番号、電子メール・アドレスあるいはパケット通信サービスのアドレス、通信事業者における顧客管理番号、氏名及び住所を含む加入者情報のうち少なくとも一つを含むことを特徴とする請求項６に記載の通信端末。
【請求項８】
上記識別データには通信事業者識別データが含まれることを特徴とする請求項６に記載の通信端末。
【請求項９】
上記近距離通信手段は、画像サービス端末に画像データと共に各画像対応の処理指定フラグを送ることを特徴とする請求項１に記載の通信端末。
【請求項１０】
上記データ書込み手段は、可搬型記憶媒体に画像データと共に各画像対応の処理指定を書込むことを特徴とする請求項５に記載の通信端末。
【請求項１１】
上記処理指定フラグは、撮像時に利用者の操作に基づいて設定されるものであることを特徴とする請求項１０に記載の通信端末。
【請求項１２】
上記処理指定フラグには対応する画像の印刷が求められたかどうかを示す印刷フラグが含まれることを特徴とする請求項９又は請求項１０に記載の通信端末。
【請求項１３】
上記処理指定フラグには対応する画像の印刷の条件を示す印刷設定フラグが含まれることを特徴とする請求項９又は請求項１０に記載の通信端末。
【請求項１４】
上記処理指定フラグには対応する画像をアルバム中のどの位置に入れることが求められたかを示すアルバム位置指定フラグが含まれることを特徴とする請求項９又は請求項１０に記載の通信端末。
【請求項１５】
上記通信端末は、携帯電話、カメラ付き携帯電話、携帯端末、携帯通信端末、携帯情報端末、携帯情報通信端末、ＰＤＡ(Ｐｅｒｓｏｎａｌ  Ｄｉｇｉｔａｌ  Ａｓｓｉｓｔａｎｔｓ、或いはＰｅｒｓｏｎａｌ  Ｄａｔａ  Ａｓｓｉｓｔａｎｔｓ)、ＰＨＳ(Ｐｅｒｓｏｎａｌ  Ｈａｎｄｙｐｈｏｎｅ  Ｓｙｓｔｅｍ)などの携帯可能で通信機能を搭載した機器であることを特徴とする請求項１又は請求項５に記載の通信端末。
【請求項１６】
上記近距離通信手段は、画像サービス端末から画像データを受けることを特徴とする請求項１に記載の通信端末。
【請求項１７】
上記可搬型記憶媒体は、管理用の記憶領域を有することを特徴とする請求項５に記載の通信端末。
【請求項１８】
上記可搬型記憶媒体は、上記管理用の記憶領域として読出し専用記憶素子を有することを特徴とする請求項１７に記載の通信端末。
【請求項１９】
上記可搬型記憶媒体は、上記管理用の記憶領域には、通信端末識別データを保持することを特徴とする請求項１７又は請求項１８に記載の通信端末。
【発明の詳細な説明】
【技術分野】
【０００１】
本発明は、画像の入力、閲覧、蓄積、印刷、利用料金支払い等の管理方法及び管理装置に係り、特に携帯電話やカメラ付き携帯電話などの撮像機能付き通信端末と、写真印刷サービスを提供する画像サービス端末と、インターネット上のＷＷＷ(Ｗｏｒｌｄ  Ｗｉｄｅ  Ｗｅｂ)サーバを有する画像管理センターとを連携させて、画像の閲覧、保管、印刷、利用料金支払い等の管理サービスを行う管理方法、管理システム、及び画像サービス端末、通信端末、及び可搬型記憶媒体に関する。
【背景技術】
【０００２】
従来のデジタル画像の管理方法について説明する。ディジタル画像の管理には、保管乃至保存、展示乃至閲覧、印刷が含まれる。
【０００３】
画像保存サービスは、ユーザから通信経由で転送されてきた画像データを一時保管するサービスであり、デジタルカメラ等のメモリが満杯になるトラブルを回避できるようにしたものである。具体的には、ユーザが画像保存サービスを選択し、保存したい画像データをサーバに送信し、併せて、ユーザＩＤ、パスワードの登録情報を送信すると、サーバはこれらの画像をハードディスクなどに保管する。ユーザは、帰宅後、インターネットなどを通じてこれらの画像を手元に取得することができる。また、そこからプリントサービスを依頼することができる。(例えば、特許文献１参照。)
【０００４】
画像展示サービスは、ユーザに通信経由でデジタル画像を展示・公開することで、写真をシェアすることを促すサービスである。具体的には、ユーザが画像展示サービスを選択し、展示・公開したい画像データと登録情報(ユーザＩＤ、パスワード)を送信すると、サーバは、デジタル画像データベースにこれらの画像を登録し、これらの画像をＨＴＭＬでリンクして、画像を閲覧可能なホームページを作成して公開する。公開された画像は知人が参照したり、ダウンロード、プリントサービスを依頼することができる。(例えば、特許文献１参照。)
【０００５】
プリントサービスは、ユーザから通信経由で転送された画像データを写真プリントにしてユーザに返却するサービスである。具体的には、ユーザがプリントサービスを選択し、プリントしたい画像データと登録情報(ユーザＩＤ、パスワード、各画像データのプリント枚数及びプリント紙サイズ)をサーバに送信すると、サーバは、転送されてきた画像データと登録情報(ユーザＩＤ、パスワード、プリント枚数指定、プリント紙サイズ指定)をラボに伝送する。ラボでは、その登録情報に従って画像データを写真プリンタにより写真プリントにプリントアウトし、写真配送システムによりその写真プリントを写真店等に配送する。ユーザはその写真店等でＩＤ、パスワードを認証して料金を支払うことで、その写真プリントを受け取ることができる。(例えば、特許文献１参照。)
【０００６】
【特許文献１】特開２００１−１２８１１３公報(段落００３５乃至００３７、図１、図２、図４)
【発明の開示】
【発明が解決しようとする課題】
【０００７】
従来のデジタル画像の管理方法及びそれに用いる装置は以上のように構成されているので、以下のような課題があった。即ち、画像データは、文字データに較べて大幅にデータ量が多く、大量のデータをデータレートの低い携帯電話回線を使ってサーバに送信するので、送信にかかる時間が長くなり、通信料金も高くなる。もちろん画像サイズ比例してデータ量が増え、これに伴い送信時間も通信料金も増える。
【０００８】
また、いずれのサービスを利用するにしても、管理のためにＩＤとパスワードを入力するなどの必要があるので、利用者は、それらを記憶し、ないしはメモしておく必要である。
【０００９】
さらに、プリントサービスは、プリント依頼に対して、ラボでプリントして写真店に配送しているので写真受取りまでに時間がかかり、またわざわざ写真店まで写真を受取りに行く必要があるだけでなく、利用者はプリント料金を用意して支払う手間がかかると言う問題もある。
【００１０】
この発明は、上述のような課題の解消を目的としてなされたもので、撮像画像の閲覧、蓄積、印刷等のサービスを提供できる画像管理方法及びシステムにおいて、撮像画像の送信のための通信料金負担を軽くすることを目的とする。
【００１１】
この発明の第２の目的は、新たにＩＤとパスワードを設定する手間をかけさせずに撮像画像の閲覧、蓄積、印刷等のサービスを提供できる画像管理方法及びシステムを得ることを目的とする。
【００１２】
この発明の第３の目的は、プリントにかかる時間を、利用者から見て待ち時間と感じないよう配慮した撮像画像の閲覧、蓄積、印刷等のサービスを提供できる画像管理方法及びシステムを得ることを目的とする。
【課題を解決するための手段】
【００１３】
本発明は、
利用者が電子的に画像を閲覧し、又は画像を注文することを可能にする画像管理方法において、
画像データを読み取るデータ読み取り工程と、
上記画像データから電子的画像アルバムを作成する画像アルバム作成工程と、
利用者が上記電子的画像アルバムを閲覧するのを可能にする画面を提供する閲覧画面提供工程と、
利用者が上記電子的画像アルバムに基づいて画像を注文するのを可能にする画面を提供する発注画面提供工程と、
上記発注画面提供工程において提供された画面に対して利用者が行った注文に対応する注文データを受信する受注工程と、
上記注文データに基づいて注文画像を準備する画像準備工程と、
上記画像準備工程において準備した画像を利用者に渡すために保管する画像保管工程と、
上記画像保管工程にて保管した画像を利用者に渡す画像提供工程と
を備えたことを特徴とする画像管理方法を提供するものである。
【発明の効果】
【００１４】
本発明は、データ読み取り工程と、画像アルバム作成工程と、閲覧画面提供工程と、発注画面提供工程と、受注工程と、画像準備工程と、画像提供工程とを備えるので、大容量画像を対象とした閲覧や保管、画像(印刷画像、画像データ)提供等の画像管理サービスが実現し利用者が便利になる効果がある。
【発明を実施するための最良の形態】
【００１５】
以下図面を参照して本発明の実施の形態を説明する。
実施の形態１．
図１は本発明の実施の形態１による画像管理システム及びこれに接続された機器を示す図である。図示のようにこの画像管理システムは、通信端末例えば携帯電話１０、１０ａ、１０ｂ、１０ｃ、３０、３０ａ、３０ｂなどとの間でデータを転送する機能及び画像印刷機能を備えた複数の画像サービス端末４０、４０ａ、４０ｂと、画像管理センター７０とを含む。これらは、通信網例えばインターネット６０により通信事業者８０と接続されている。
【００１６】
携帯電話のうち、携帯電話１０、１０ａ、１０ｂ、１０ｃはカメラ付き携帯電話であり、携帯電話に撮像ユニットを搭載したものである。撮像ユニットとしては、ディジタル・スチル・カメラとほぼ同様な機能を有するものが用いられ、撮像素子で撮像した画像をディジタルデータとして保存する。構成は、例えば携帯電話本体にカメラ部を内蔵した構成でもよいし、携帯電話本体から独立したカメラアダプタにカメラ部を内蔵した構成でもよい。
【００１７】
携帯電話３０、３０ａ、３０ｂは、カメラ付きのものであってもなくても良いが、以下カメラ付きではない(撮像機能を持たない)ものとして説明する。
【００１８】
画像サービス端末４０、４０ａ、４０ｂは、コンビニエンスストア、写真店、ＤＰＥ(Ｄｅｖｅｌｏｐｍｅｎｔ  Ｐｒｉｎｔｉｎｇ  Ｅｎｌａｒｇｅｍｅｎｔ)サービス店、携帯電話販売店、ショッピングセンター、家電量販店、等の小売店の店頭等に自動販売機と同様に設置されており、利用者が自分で操作することを想定したものである。画像サービス端末は、画像サービスの他に、例えば、各種入場券や楽曲データやゲーム・ソフトウェアの販売、資格試験の受験申込み、旅行商品の販売、現金預け払いなどの各種サービスを提供する機能を併せ持つものであっても良い。
【００１９】
画像サービス端末４０、４０ａ、４０ｂ、画像管理センター７０、通信事業者８０は、インターネット６０に接続されているが、代わりに専用線、電話網など他の通信網で接続されていても良い。また、画像サービス端末４０、４０ａ、４０ｂとインターネットとの接続が無線通信によるものでも、有線通信によるものでも良い。
【００２０】
図１に示す画像管理システムは、撮像により得られた電子的画像の閲覧及び画像の注文(画像印刷の注文及び画像データの注文)に対応する処理を行なうものであり、後にそれぞれ詳しく説明するように、画像サービス端末４０、４０ａ、４０ｂは、携帯電話１０、１０ａ、１０ｂ、１０ｃ、３０、３０ａ、３０ｂから画像データと通信端末識別データ(例えば携帯電話番号)とを読取る。
画像サービス端末４０、４０ａ、４０ｂは、読取った画像データを画像管理センター７０に送る。
【００２１】
画像管理センター７０は、送信された画像データを蓄積する。この際、各画像データは、画像データの供給元である通信端末の識別データに関係付けて蓄積される。また、通信端末から読み出される一連の画像データは、一つの群に纏められ互いに関係付けて蓄積される。
【００２２】
画像管理センター７０は、蓄積された画像データ(通信端末の識別データに関連づけられている)から、例えば通信端末識別データ毎の電子的画像アルバムを作成し、保存する。この際、画像データを利用者の通信端末の表示部に表示可能な画素数以下に縮小する。電子的画像アルバム中の各画像は、対応するフルサイズの画像(縮小されていない画像)とは、画像識別符号により相互の対応関係が示されている。
【００２３】
画像管理センター７０は、電子的画像アルバムの閲覧の準備が整った段階で、電子的画像アルバムの閲覧画面の接続情報、利用者が電子的画像アルバムを閲覧や画像注文するのを可能にする画面を利用者の通信端末に提供し、利用者からの閲覧要求、画像注文を受信する。
【００２４】
画像管理センター７０はまた、注文データの作成に際し、画像の引渡しを行う画像サービス端末を指定することを可能にする画面を利用者の通信端末に提供する。
【００２５】
画像の注文が印刷画像の注文である場合に、画像管理センター７０はさらにまた、注文データの一部として、画像識別符号(例えば、一連の画像データ或いは各アルバム中の画像の番号)、印刷枚数、印刷用紙情報、通信端末識別データを受信する。
【００２６】
画像の注文が画像データの注文である場合には、画像管理センター７０はさらにまた、注文データの一部として、画像識別符号(例えば、一連の画像データ或いは各アルバム中の画像の番号)を受信する。
【００２７】
画像管理センター７０は、さらに、画像の引渡しのために指定された画像サービス端末に、画像データを送信し、画像の引渡しの準備をするよう指示する。即ち、画像の注文が印刷画像の注文である場合には、印刷条件に従って、画像を印刷し、印刷画像を引渡しに備えて保管するように、画像の注文が画像データの注文である場合には、画像データを引き渡しに備えて保管するように、画像サービス端末に対して指示を与える。
【００２８】
画像管理センター７０から画像データを送信され、上記の指示を受けた画像サービス端末は、画像の引渡しの準備をする。即ち、画像の注文が印刷画像の注文である場合には、印刷条件に従って、画像を印刷し、印刷画像を引渡しに備えて保管する。画像の注文が画像データの注文である場合には、画像データを引き渡しに備えて保管する。
【００２９】
画像の引渡しの準備が用意ができると、そのことを伝える電子メールを、画像サービス端末は、通信端末識別データで特定される携帯電話に送信する。
【００３０】
画像管理センター７０は、また、画像の注文に対する処理を行う際、注文データに基づいて利用料金を計算する。この際、通信端末識別データに関連付けて利用料金を計算し、利用者の通信端末の通信料金管理請求者例えば通信事業者に通信端末識別データに関連付けられた利用料金のデータを送信する。
【００３１】
画像の読取り及び蓄積、画像所有者の通信端末への接続情報等の通知、画像の利用の際に用いられる通信端末識別データとしては、電話番号、電子メール・アドレス、パケット通信サービスのアドレス、通信事業者における顧客管理番号、氏名及び住所を含む加入者情報などを用いることができる。
【００３２】
なお、携帯電話の代わりに、他の通信端末を用いても良い。例えば携帯端末、携帯通信端末、携帯情報端末、携帯情報通信端末、ＰＤＡ(Ｐｅｒｓｏｎａｌ  Ｄｉｇｉｔａｌ  Ａｓｓｉｓｔａｎｔｓ或いはＰｅｒｓｏｎａｌ  Ｄａｔａ  Ａｓｓｉｓｔａｎｔｓ)、ＰＨＳ(Ｐｅｒｓｏｎａｌ  Ｈａｎｄｙｐｈｏｎｅ  Ｓｙｓｔｅｍ)など、携帯可能で通信機能を搭載した機器であればいかなるものあっても良い。
【００３３】
複数のカメラ付き携帯電話１０、１０ａ、１０ｂ、１０ｃ、複数の携帯電話３０、３０ａ、３０ｂが示されているが、これは、例えば各々所有者乃至使用者の異なるものが、画像サービス端末４０、４０ａ、４０ｂのいずれとも画像データの転送が可能であることを示すためである。以下において、カメラ付き携帯電話１０に関する説明は、他のカメラ付き携帯電話１０ａ、１０ｂ、１０ｃに対しても当てはまることであり、携帯電話３０についての説明は、他の携帯電話３０ａ、３０ｂに対して当てはまることである。同様に、画像サービス端末４０についての説明は他の画像サービス端末４０ａ、４０ｂに対しても当てはまることである。
【００３４】
利用者は、カメラ付き携帯電話１０で、撮影を行う。カメラ付き携帯電話１０は、利用者のシャッター操作に応じて、撮像により得られた画像データを記憶する。利用者は、撮影場所から最寄の或いは他の理由で都合の良い画像サービス端末４０に立ち寄り、カメラ付き携帯電話１０で撮影した画像データを画像サービス端末４０に転送する。利用者は画像サービス端末４０に画像データを入力することで、以下に詳しく説明するように、写真印刷、画像データの保管、ＷＷＷサイトでのアルバム閲覧、及び関係者への写真紹介などのサービスを受けることができる。
【００３５】
カメラ付き携帯電話１０は、画像サービス端末４０に、画像データと共に電話番号、メール・アドレスなどの通信端末識別データを、例えばリムーバブルメディア(可搬型記憶媒体)を介して転送する。画像サービス端末４０は、通信端末識別データに関連付けられた画像データを画像管理センター７０にインターネット６０を介してアップロードする。
【００３６】
画像管理センター７０は、画像サービス端末４０から受けた画像データを通信端末識別データに基づいて画像データを分類してアルバムを作成する。この時、画像管理センター７０は、カメラ付き携帯電話１０あるいは携帯電話３０での閲覧に適するように、カメラ付き携帯電話１０あるいは携帯電話３０の液晶表示画面を考慮して画像サイズを縮小する。
【００３７】
画像管理センター７０は、アルバム閲覧サービスの提供準備が整うと、利用者のカメラ付き携帯電話１０のメール・アドレス宛に利用者の画像アルバム用に用意したＷＷＷサイトのＵＲＬを含む接続情報を電子メールとして送信する。利用者は、上記電子メールを受信した際に、上記ＵＲＬをアクセスして画像アルバムを閲覧する。カメラ付き携帯電話１０のメール受信や、カメラ付き携帯電話１０によるＷＷＷサイトの閲覧は通信事業者８０を中継したインターネット接続で行われる。
【００３８】
利用者は、入手したい画像(印刷画像、画像データ)画像を選択して注文する。これに対して、画像管理センター７０は、利用者に、画像の受取り場所を選択指定させる。この選択は、例えば携帯電話の表示部に受取り場所についての選択肢を表示して選択させることにより行われる。例えば、後に詳しく説明するように、画像管理センター７０は、通信事業者８０から、カメラ付き携帯電話１０の位置情報を入手して、最寄の(即ち、現在位置に最も近い)画像サービス端末４０の設置場所を、画像の受け取り場所として案内する。利用者は、画像の受け取り場所として「最寄の画像サービス端末４０」か、「自宅近くの画像サービス端末４０」か、「任意の画像サービス端末４０を検索して指定する」か、いずれかを選択する。
なお、画像の受け取りに用いられる画像サービス端末は、最初にカメラ付き携帯電話１０から画像データの転送を受けた画像サービス端末と同じものとは限らないが、便宜上同じ符号(４０)を用いる場合がある。但し、区別のため互いに異なる符号(４０と４０ａなど)を用いる場合もある。
【００３９】
利用者が「任意の画像サービス端末４０を検索して指定する」を選択した場合、画像管理センター７０は、希望場所の住所入力などを促して希望の場所に最も近い場所に設置されている画像サービス端末４０を案内する。また、過去の画像サービス端末４０の利用履歴を示して、そこからの選択を促しても良い。画像管理センター７０は、利用者が選択した画像サービス端末４０に、利用者が注文した画像を通信端末識別データと共にインターネット６０を介してダウンロードする。
【００４０】
画像管理センター７０は、利用者に提供した画像アルバム閲覧サービスや、画像利用サービスの費用を通信事業者８０に請求する。通信事業者８０は、画像管理センター７０のサービス利用料を、利用者の電話料金やパケット通信使用料、他のＷＷＷサイトの情報料と共に管理して、所定の期間毎にまとめて利用者に請求することとしても良い。
【００４１】
画像サービス端末４０は、利用者が注文した画像を印刷し、保管する。利用者は、画像サービス端末４０に注文した画像を受け取りに行く。画像サービス端末４０は、画像データに関連付けられた通信端末識別データに基づいて、利用者が所有するカメラ付き携帯電話１０で利用者認証を行い(携帯電話の所有者を正当な利用者と推定して、)引渡しのために保管していた画像を引き渡す。注文された画像が印刷画像である場合には、印刷画像を画像受け取り口に排出する。注文された画像が画像データである場合には、利用者による操作に応じてデータの転送を行う。
【００４２】
カメラ付き携帯電話１０の撮像画像の画像データの生成、転送に関する動作について図２及び図３を参照して説明する。図２には、カメラ付き携帯電話１０の外観が示されており、図２(ａ)はカメラ付き携帯電話１０の前面図、図２(ｂ)はカメラ付き携帯電話１０の背面図である。図３には、カメラ付き携帯電話１０内の、画像の撮像、撮像により得られた画像データに対する処理を行う部分を示す。
【００４３】
図２に示すように、カメラ付き携帯電話１０には、アンテナ２０、表示部１３、操作部１６、カメラレンズ部１１a、リムーバブルメディア用のスロット２９が備えられている。リムーバブルメディア用のスロット２９にはリムーバブルメディア２８が挿入されている。
【００４４】
操作部１６には、電話用キーボード部１６ａ、「上」矢印キー１６ｂ、「下」矢印キー１６ｃ、「左」矢印キー１６ｄ、「右」矢印キー１６ｅ、「選択」キー１６ｆ、「カメラ」キー１６ｇ、「シャッター」キー１６ｈを含む。カメラレンズ部１１aの内部に、即ちカメラレンズ部１１aを通過した光が達する所に撮像部１１が設けられている。
【００４５】
利用者が操作部１６で撮像するように指示すると、操作部１６の入力情報は、図３に示される制御部１７に入り、制御部１７は、撮像部１１、及び画像処理部１２を制御する信号を出力する。操作部１６の「カメラ」キー１６ｇを押すと、カメラレンズ部１１aを経てカメラレンズ内部に配置された撮像素子の撮像面上に結像した像は、撮像素子にて光電変換され撮像される。撮像された画像は、画像処理部１２で表示形式に変換され表示部１３に送られ、表示部１３に動画表示される。表示部１３の画像をモニタしながら、被写体やアングルを調整できる。「シャッター」キー１６ｈを押すと、画像処理部１２は、そのとき撮像されている画像を取り込み、画像データを圧縮する等、保存用の加工を加えてバス１４を介して記憶部１５に保存する。
【００４６】
利用者が操作部１６で撮像画像をリムーバブルメディアに書込むように指示すると、操作部１６の入力情報は制御部１７に入り、制御部１７は、記憶部１５、及びメディア制御部２１を制御する信号を出力する。記憶部１５に保存されている画像データはバス１４を介してメディア制御部２１に送られる。メディア制御部２１は画像データと通信端末識別データとをリムーバブルメディア２８に書込む。必要に応じて、記憶部１５に保存されている画像データはバス１４を介して画像処理部１２に送られる。画像処理部１２は画像データを圧縮する等、保存用の加工を加えてバス１４を介してメディア制御部２１に送る。メディア制御部２１は画像データをリムーバブルメディア２８に書込む。
【００４７】
これ以降、リムーバブルメディア２８内の画像データを画像サービス端末４０で読取り、画像管理センター７０で電子的画像アルバムを作成する動作を、図４、図５、図６、図７、図８を参照して説明する。
【００４８】
図４は、リムーバブルメディア２８により画像データを画像サービス端末４０に転送する様子を示す。図示のように、利用者はカメラ付き携帯電話１０のリムーバブルメディア用スロット２９から撮像画像を記憶させたリムーバブルメディア２８を抜いて、画像サービス端末４０のリムーバブルメディア用スロット５０に挿入する。
【００４９】
図５は、画像サービス端末４０内の、画像データの処理に関与する部分を示す。メディア制御部４９はリムーバブルメディア２８から画像データと識別データを読み出す。読み出された画像データと識別データは、バス４６を介して蓄積部４３に記憶される。
【００５０】
携帯電話１０から画像サービス端末４０に画像データとともに転送される識別データには、通信端末識別データ及び通信事業者識別データが含まれている。上記通信端末識別データには、電話番号、電子メール・アドレス、通信事業者における顧客管理番号、氏名及び住所を含む加入者情報のうち少なくとも一つを含む。各画像データは、画像データの供給元である通信端末の識別データに関係付けて蓄積される。また、通信端末から読み出される一連の画像データは、一つの群に纏められ互いに関係付けて蓄積される。
【００５１】
利用者は、画像サービス端末４０の操作部４１(図５)で画像データをインターネット上のアルバム閲覧用のＷＷＷサイトにアップロードするように指示する。操作部４１の入力情報は制御部４２に入り、制御部４２は、蓄積部４３、及び処理部４４、通信部４７を制御する信号を出力する。蓄積部４３に蓄積された画像データ及び識別データは、バス４６を介して処理部４４で転送形式に変換して通信部４７に送られる。通信部４７は、画像データをパケット化して画像管理センター７０にインターネット６０を介して送信する。
【００５２】
図６は画像管理センター７０の構成を示す。画像サービス端末４０からインターネット６０を経て送信されたパケットはＷＷＷサーバ７１で受信される。ＷＷＷサーバ７１は、画像サービス端末４０から受け取った画像データをバス７２を介して蓄積部７３に保存する。ＷＷＷサーバ７１は、画像データを通信端末識別データ毎に分類したフォルダに保存する。
【００５３】
一連の画像データは、一つの群に纏められ互いに関係付けられて、さらに通信端末識別データに関係付けられて蓄積部７３に格納される。このように通信端末識別データに関係付けられて蓄積される結果、同じ携帯電話から過去にアップロードされた同じ通信端末識別データに関係付けられた画像データの群が既に蓄積部７３に格納されている場合には、その画像データの群とも関係付けられ、一つの組を構成することになる。
【００５４】
処理部７４は、蓄積部７３から画像データ等を読み取って、同一の携帯電話からアップロードされた上記一連の画像から構成された画像アルバムを作成する。この場合、過去に同じ携帯電話から読み出され、同じ携帯電話番号に関係付けられた画像データの群がすでに蓄積部内に格納されている場合には、それとともに、一つのアルバムを構成するようにしても良く、上記一連の画像データの群のみで一つのアルバムを構成するようにしても良い。以下では、後者の態様が採用されているものとして説明する。
【００５５】
アルバムを構成する際、処理部７４は、携帯電話の表示部１３に表示できるようように撮像画像を縮小した縮小画像を作成する。例えば、撮像画像は、水平３５２画素、垂直２８８画素で約１０万画素のＣＩＦサイズであったり、水平６４０画素、垂直４８０画素で約３０万画素のＶＧＡサイズであったりする。あるいは、１００万画素を超える画素数の場合もある。一方、一般に携帯電話の表示部の画素数は、水平１２０画素、垂直１６０画素程度である場合が多い。そこで、携帯電話での閲覧のために、図７のように撮像画像を携帯電話の表示部に対応した画像サイズに縮小する。電子的画像アルバム中の各縮小画像は、画像識別符号によりフルサイズ画像との対応関係が保持されている。
【００５６】
処理部７４は作成した画像アルバムのＨＴＭＬファイル及び対応する画像ファイル等のリンクファイルをＷＷＷサーバ７１に格納する。なお、画像アルバムの画像は携帯電話での閲覧のために作成されるものであるのに対し、印刷を行う場合は、後述のように、蓄積部７３に蓄積されたフルサイズの画像が用いられる。
【００５７】
ＷＷＷサーバ７１は、上記画像アルバムのホームページが準備できると、上記画像アルバムのＷＷＷサイトのＵＲＬ(Ｕｎｉｆｏｒｍ  Ｒｅｓｏｕｒｃｅ  Ｌｏｃａｔｏｒ)を通知する電子メールを、上記カメラ付き携帯電話１０の電子メール・アドレスに宛てて送信する。この電子メールは、画像アルバムが完成したことを知らせる役割を持つものであり、ＵＲＬ以外にアクセス方法の説明も記載する。ＷＷＷサーバ７１から発信された上記電子メールはインターネット６０を介して、通信事業者８０で受けられる。
【００５８】
通信事業者８０のシステムの構成は図８に示されている。画像管理センター７０内のＷＷＷサーバ７１から発信された上記電子メールはネット・サーバ８４で受信される。ネット・サーバ８４で受信された上記電子メールは、バス８３を経てサービス・サーバ８２に送られ．基地局８１からの無線通信によりカメラ付き携帯電話１０で受信される。
【００５９】
この電子メールがカメラ付き携帯電話１０に受信されると、上記電子メールがカメラ付き携帯電話１０の表示部１３に電子的画像アルバムの閲覧を案内する画面として表示される。これに応じて、カメラ付き携帯電話１０の利用者は、上記ＵＲＬにアクセスして、画像を閲覧することができる。
【００６０】
次に、カメラ付き携帯電話１０のＷＷＷ(Ｗｏｒｌｄ  Ｗｉｄｅ  Ｗｅｂ)サイトへのアクセスに関する動作について、図３、図６、及び図８を参照して説明する。利用者は、操作部１６でインターネット上のＷＷＷサイトにアクセスするように指示する。操作部１６の入力情報は制御部１７に入り、制御部１７は、パケット通信部１８、及び無線制御部１９を制御する信号を出力する。パケット通信部１８は、所定のＵＲＬにアクセスするパケットを生成する。無線制御部１９は、パケットデータを無線信号化し、アンテナ２０から発信する。
【００６１】
無線信号は、通信事業者８０の基地局８１で受信されて通信事業者のサービス・サーバ８２に送られる。サービス・サーバ８２は、携帯電話に各種パケット通信サービスを提供する。サービス・サーバ８２はパケットを解析して当該パケットの宛先がインターネット上にあることからバス８３を介してネット・サーバ８４に送る。ネット・サーバ８４は所定のＵＲＬに対応するＷＷＷサーバ７１にパケットを送る。ネット・サーバ８４とＷＷＷサーバ７１はインターネット６０上にある。
【００６２】
ＷＷＷサーバ７１は、携帯電話１０がアクセスしてきたＨＴＭＬ(Ｈｙｐｅｒ  Ｔｅｘｔ  Ｍａｒｋｕｐ  Ｌａｎｇｕａｇｅ)ファイル(あるいはＨＴＭＬファイルの簡易版ファイル)をパケット化してカメラ付き携帯電話１０に送る。このパケット化ファイルは、前述のカメラ付き携帯電話１０から画像管理センター７０へのアクセス経路を逆にたどってカメラ付き携帯電話１０に届けられる。
【００６３】
画像管理センター７０から送られた上記パケット化ファイルは、アンテナ２０で受けられて、無線制御部１９を経て、パケット通信部１８でファイルとして得られる。パケット通信部１８は、ＨＴＭＬファイルをバス１４、画像処理部１２を介して表示部１３に送る。利用者はＨＴＭＬファイルの表示画面を見ながら、操作部１６を操作して携帯電話１０で所望のＵＲＬのＷＷＷサイトを閲覧し、所望の画像を表示させたり、画像の注文を行うことができる。
【００６４】
((画像閲覧及び画像注文))
図９及び図１０は、上記のようなカメラ付き携帯電話１０からの、画像閲覧要求や、画像注文に対応して画像管理センター７０で行われる処理を示すフローチャートである。以下の動作を説明においては、各動作に対応した図９及び図１０の対応部分の符号を付記する。
【００６５】
画像管理センター７０は、カメラ付き携帯電話１０のアクセスに応じて電子的画像アルバムの閲覧サービスを提供する。(ｆ１)。
即ち、ＷＷＷサーバ７１は、携帯電話からの通信が画像の閲覧要求であることを確認し、アクセスされたＵＲＬに対応したＨＴＭＬファイル及び関連ファイルを送信する。上記ＨＴＭＬファイル及び関連ファイルは、インターネット６０を介して、通信事業者８０のネット・サーバ８４で受信される。ネット・サーバ８４で受信した上記ＨＴＭＬファイル及び関連ファイルは、バス８３を経てサービス・サーバ８２からパケット通信としてカメラ付き携帯電話１０に送信される。
【００６６】
この結果、カメラ付き携帯電話１０の表示部１３には例えば、図１１に示される画面が表示される。図１１に示すように、この画面は、表示部１３のうちの画像表示領域１１１にアルバムの最初のページの一部を構成する画像を表示し、ボタン表示領域１１２に、ボタンを表示するものである。ボタン表示領域１１２のボタンは図示の例では３つあり、中央に選択ボタン１１３、右側に右矢印ボタン１１５、左側に左矢印ボタン１１４が設けられている。画像表示領域１１１に表示されている画像を選択する場合には後述のように、選択ボタン１１３を選択して、決定操作を行う。
【００６７】
アルバム中の別の画像の閲覧を希望する場合には、右矢印ボタン１１５又は左矢印ボタン１１４を選択して決定操作を行う。図１１に示すように、右矢印ボタン１１５を選択して(選択されると例えば図にハッチングで示すように表示色が変わるようになっている)、決定操作を行うと、画像アルバムの次のページ(次の画像を含むものであり、次のページの選択により発生されるＵＲＬで指定される)へのアクセスが行われる。このアクセスは、画像アルバムの次のページの閲覧の申込みとしてインターネット６０を介して画像管理センター７０に伝えられる。
【００６８】
この場合も、画像管理センター７０は、カメラ付き携帯電話１０からの通信が、指定された画像の閲覧要求であることを確認し、アクセスされたＵＲＬで指定されたＨＴＭＬファイル及び関連ファイルを送信する。この結果、カメラ付き携帯電話１０の表示部１３には、例えば、図１２の画面(画像アルバムの次のページの画像を含む)が表示される。以下の操作は、上記と同様である。
【００６９】
図１２において、例えば、図１２にハッチングで示すように、左矢印ボタン１１４を選択して、決定操作を行ったとすると、この決定操作により発生されるＵＲＬにより画像アルバムの前のページへのアクセスが行われる。その結果、カメラ付き携帯電話１０の表示部１３には再び図１１の画面が表示される。ここで説明に使用した図１１、図１２の画面は、撮像画像に基づいて作られる画像アルバムの例である。このように、現在表示されている画像から矢印ボタン(１１４、１１５)を用いて一連の画像を順番に辿っていくことで画像アルバムに登録された画像を順に閲覧できる。
【００７０】
なお、画像アルバムの画像の選択(表示されている画像の変更)のための操作として例えば矢印状の三角形のボタンの表示が用いられるものとして説明したが、他のユーザインタフェースを用いても良い。
【００７１】
例えば、カメラ付き携帯電話１０の表示部１３に図１３の画面が表示されている時に、図１３にハッチングで示すように、「選択」ボタン１１３を選択して、決定操作を行うと、この決定操作により発生されるＵＲＬにより画像アルバムの画像印刷の注文ページへのアクセスが行われる(ｆ２)。この場合も、画像印刷の注文ページを示すＵＲＬが画像管理センター７０に送られ、画像管理センター７０では、送られたＵＲＬで指定されたページを送る。
【００７２】
その結果、カメラ付き携帯電話１０の表示部１３には送られたページが図１４に示すような画面として表示される。(なお、このような特定のページを送信して、画面を表示することを「画面を送信する」とも言う。)図１４に示される画面(注文画像確認画面)は、利用者が画像データを注文するか印刷画像を注文するか設定するためのものであり、「印刷画像」ボタン１１６、「画像データ」ボタン１１７、画像データ及び印刷画像の「両方」ボタン１１８を表示するとともに、「ＯＫ」ボタン１２０、及び「戻る」ボタン１１９を表示するものである(ｆ３)。
【００７３】
例えば、利用者が「画像データ」ボタン１１７を選択した場合、注文操作を行った携帯電話の(識別データとしての)電話番号、画像データに対応する画像の識別符号を含む注文データが画像管理センター７０に送信される。画像管理センター７０は、送られてきたデータが注文確定を示すものであると判断すると、画像を受け取る画像サービス端末４０の設置場所を設定乃至選択する画面を送信して、設置場所の選択を促す(ｆ９)。
【００７４】
((印刷注文))
図１４の画面(図９のステップｆ２、ｆ３)で、利用者が「印刷画像」ボタン１１６あるいは、「両方」ボタン１１８を選択した場合、カメラ付き携帯電話１０の表示部１３には図１５に示すような画面が送信される(ｆ４)。図１５に示される画面(印刷設定画面)は、印刷の条件を設定乃至変更するためのものであり、それぞれ印刷条件の各項目である、「枚数」ボタン１２１、「サイズ」ボタン１２２、第１の「用紙種類」(ツヤ有無／縁有無)ボタン１２３、及び第２の「用紙種類」(シール有無)ボタン１２４を表示するとともに、「ＯＫ」ボタン１２０、及び「戻る」ボタン１１９を表示している。
【００７５】
印刷条件の各項目(ボタン１２１乃至１２４)は最初は既定値(デフォルト値)となっている。図１５には、印刷枚数は１枚、用紙サイズはＬサイズ、用紙はツヤ有り／縁無し、シール(粘着シート)無しとする既定値の例を示している。
【００７６】
例えば、図１５の既定値で満足できる(既定値が要求に合致しており、変更すべき印刷条件項目がない)場合、図１６にハッチングで示すように、「ＯＫ」ボタン１２０を選択して、決定操作を行うと、注文操作を行った携帯電話の(識別データとしての)電話番号、印刷の対象となる画像の識別符号を含む印刷注文データが画像管理センター７０に送信される(ｆ５)。画像管理センター７０は、送られてきたデータが印刷条件確定を示すものであると判断すると、画像(印刷画像のみ或いは印刷画像と画像データ)を受け取る画像サービス端末４０の設置場所を設定乃至選択する画面を送信して、設置場所の選択を促す(ｆ９)。
【００７７】
図１５の設定で、例えば印刷枚数を「１」から「２」に変更したい場合、図１７にハッチングで示すように、「枚数」ボタン１２１を選択して、決定操作を行うと、この決定操作により発生されるＵＲＬにより印刷枚数の変更のためのページへのアクセスが行われる。これに応じて、画像管理センター７０は、送られたＵＲＬで指定される、枚数変更のためのページをカメラ付き携帯電話１０に送信する(ｆ６)。
【００７８】
その結果、カメラ付き携帯電話１０の表示部には送られたページが図１８に示される画面として表示される。図１８に示される画面は、印刷条件の一つの項目である、印刷枚数を変更するためのものであり、「枚数」表示部分１２６、「上矢印」ボタン１２７、「下矢印」ボタン１２８、「ＯＫ」ボタン１２０、及び「戻る」ボタン１１９を含む。印刷枚数の既定値は１枚となっている。図１８にハッチングで示すように、上矢印１２７を選択して、決定操作を行うと、図１９のように枚数は２枚と表示される。図１９にハッチングで示すように、「ＯＫ」ボタン１２０を選択して、決定操作を行うと、印刷設定ページを指定するＵＲＬとともに枚数データが画像管理センター７０に送信され、送信されたＵＲＬにより、印刷設定ページへのアクセスが行われる。
【００７９】
画像管理センター７０は、印刷設定ページの印刷条件の一つの項目である、枚数データを１枚から２枚に修正し、修正された印刷設定ページを携帯電話に送信する(ｆ４)。その結果、カメラ付き携帯電話１０の表示部には図２０の画面が表示される。図２０は、図１５と同様であるが、印刷条件のうちの「枚数」が「２」に変わっている。
【００８０】
図２０の設定値で満足できる(表示されている値が要求に合致しており、変更すべき印刷条件項目がない)場合、図２１にハッチングで示すように、「ＯＫ」ボタン１２０を選択して、決定操作を行うと、注文操作を行った携帯電話の(識別データとしての)電話番号、印刷の対象となる画像の識別符号を含む印刷注文データが画像管理センター７０に送信される(ｆ５)。画像管理センター７０は、送られてきたデータが印刷条件確定を示すものであると判断すると、画像を受け取る画像サービス端末４０の設置場所を設定乃至選択する画面を送信して、設置場所の選択を促す(ｆ９)。
【００８１】
図２０の設定で、例えば用紙サイズをＬサイズからＡ５サイズに変更したい場合、図２２にハッチングで示すように、「サイズ」ボタン１２２を選択して、決定操作を行うと、この決定操作により発生されるＵＲＬにより、印刷用紙サイズの変更のためのページへのアクセスが行われる。これに応じて、画像管理センター７０は用紙サイズ変更のためのページをカメラ付き携帯電話１０に送信する(ｆ７)。その結果、カメラ付き携帯電話１０の表示部には図２３の画面が表示される。
【００８２】
図２３に示されるページは用紙サイズを変更するためのものであり、用紙サイズの選択肢として、「Ｌサイズ(８９×１２７ｍｍ)」ボタン１３０、「２Ｌサイズ(１２７×１７８ｍｍ)」ボタン１３１、「ＨＶサイズ(８９×１５８ｍｍ)」ボタン１３２、「Ｐサイズ(８９×２５４ｍｍ)」ボタン１３３、「Ａ５サイズ(１４８×２１０ｍｍ)」ボタン１３４、及び「Ａ４サイズ(２１０×２９７ｍｍ)」ボタン１３５を含み、さらに「ＯＫ」ボタン１２０、及び「戻る」ボタン１１９を含む。
【００８３】
既定値はＬサイズ(８９×１２７ｍｍ)となっている。例えば、図２４にハッチングで示すように、Ａ５サイズ(１４８×２１０ｍｍ)を選択して、決定操作を行うと、用紙サイズデータが印刷設定ページを指定するＵＲＬとともに画像管理センター７０に送信され、送信されたＵＲＬにより印刷設定ページへのアクセスが行われる。画像管理センター７０は、用紙サイズをＬサイズからＡ５サイズに変更し、修正された設定ページを携帯電話に送信する(ｆ４)。その結果、カメラ付き携帯電話１０の表示部には図２５の画面が表示される。図２５は、図２０と同様であるが、印刷条件のうちの「サイズ」が「Ａ５」に変わっている。
【００８４】
図２５の設定値で満足できる(表示されている値が要求に合致しており、変更すべき印刷条件項目がない)場合、図２６にハッチングで示すように、「ＯＫ」ボタン１２０を選択して、決定操作を行うと、注文操作を行った携帯電話の(識別データとしての)電話番号、印刷の対象となる画像の識別符号を含む印刷注文データが画像管理センター７０に送信される(ｆ５)。画像管理センター７０は、送られてきたデータが印刷条件確定を示すものであると判断すると、画像(印刷画像及び画像データ)を受け取る画像サービス端末４０の設置場所を設定乃至選択する画面を送信して、設置場所の選択を促す(ｆ９)。
【００８５】
図２５の設定で、例えば用紙を「ツヤ有り／縁無し」から「ツヤ無し／縁無し」に変更したい場合、図２７にハッチングで示すように、「用紙」ボタン１２３を選択して、決定操作を行うと、決定操作により発生されるＵＲＬにより印刷用紙の設定ページへのアクセスが行われる。これに応じて、画像管理センター７０は用紙の設定のためページをカメラ付き携帯電話１０に送信する(ｆ８ａ)。その結果、カメラ付き携帯電話１０の表示部には図２８の画面が表示される。図２８に示す画面は用紙の種類(表面の性質、縁の有無)を変更するためのもので、用紙種類の選択肢として、「ツヤ有り／縁無し」ボタン１３７、「ツヤ無し／縁無し」ボタン１３８、「ツヤ有り／縁有り」ボタン１３９、及び「ツヤ無し／縁有り」ボタン１４０を含み、さらに「ＯＫ」ボタン１２０、及び「戻る」ボタン１１９を含む。既定値は「ツヤ有り／縁無し」１３７となっている。
【００８６】
図２９にハッチングで示すように、「ツヤ無し／縁無し」１３８を選択して、決定操作を行うと、用紙データが印刷設定ページを指定するＵＲＬとともに画像管理センター７０に送信され、送信されたＵＲＬにより印刷設定ページへのアクセスが行われる。画像管理センター７０は、印刷設定ページの用紙データを「ツヤ有り／縁無し」から「ツヤ無し／縁無し」に修正し、修正したページを携帯電話に送信する(ｆ４)。その結果、カメラ付き携帯電話１０の表示部には図３０の画面が表示される。図３０は、図２５と同様であるが、印刷条件のうちの「用紙種類」が「ツヤ有り／縁無し」から「ツヤ無し／縁無し」に変わっている。
【００８７】
図３０の設定値で満足できる(表示されている値が要求に合致しており、変更すべき印刷条件項目がない)場合、図３１にハッチングで示すように、「ＯＫ」ボタン１２０を選択して、決定操作を行うと、注文操作を行った携帯電話の(識別データとしての)電話番号、印刷の対象となる画像の識別符号を含む印刷注文データが画像管理センター７０に送信される(ｆ５)。画像管理センター７０は、送られてきたデータが印刷条件確定を示すものであると判断すると、画像を受け取る画像サービス端末４０の設置場所を設定乃至選択する画面を送信して、設置場所の選択を促す(ｆ９)。
【００８８】
図３０の設定で、例えば用紙を「シール無し」から「シール紙」に変更したい場合、図３２にハッチングで示すように、第２の「用紙」ボタン(シール有無)１２４を選択して、決定操作を行うと、決定操作により発生されるＵＲＬにより印刷用紙の設定ページへのアクセスが行われる。これに応じて、画像管理センター７０は用紙の設定のためページをカメラ付き携帯電話１０に送信する(ｆ８ｂ)。その結果、カメラ付き携帯電話１０の表示部には図３３の画面が表示される。図３３に示す画面は用紙の種類(粘着性の有無)を変更するためのもので、用紙種類の選択肢として、「シール無し」ボタン１４２、「シール紙」ボタン１４３を含み、さらに「ＯＫ」ボタン１２０、及び「戻る」ボタン１１９を含む。既定値は「シール無し」１４２となっている。
【００８９】
図３４にハッチングで示すように、「シール紙」ボタン１４３を選択して、決定操作を行うと、用紙データが印刷設定ページを指定するＵＲＬとともに画像管理センター７０に送信され、送信されたＵＲＬにより印刷設定ページへのアクセスが行われる。画像管理センター７０は、印刷設定ページの用紙データを「シール無し」から「シール紙」に修正し、修正したページを携帯電話に送信する(ｆ４)。その結果、カメラ付き携帯電話１０の表示部には図３５の画面が表示される。図３５は、図３０と同様であるが、印刷条件のうちの「用紙種類」が「シール無し」から「シール紙」に変わっている。
【００９０】
図３５の設定値で満足できる(表示されている値が要求に合致しており、変更すべき印刷条件項目がない)場合、図３６にハッチングで示すように、「ＯＫ」ボタン１２０を選択して、決定操作を行うと、注文操作を行った携帯電話の(識別データとしての)電話番号、印刷の対象となる画像の識別符号を含む印刷注文データが画像管理センター７０に送信される(ｆ５)。画像管理センター７０は、送られてきたデータが印刷条件確定を示すものであると判断すると、画像を受け取る画像サービス端末４０の設置場所を設定乃至選択する画面を送信して、設置場所の選択を促す(ｆ９)。
【００９１】
((受取り場所設定))
画像(印刷画像や画像データ)を受け取る画像サービス端末４０の設置場所を設定乃至選択する画面は、図３７のように、「履歴参照」ボタン１４５、「現在地最寄」ボタン１４６、「自宅最寄」ボタン１４７、「希望地最寄」ボタン１４８と、「ＯＫ」ボタン１２０、及び「戻る」ボタン１１９を表示する(ｆ１０)。利用者は、いずれかの方法で画像データあるいは印刷画像を受取る画像サービス端末４０の設置場所を設定乃至選択する。利用者は、しばらく現在地周辺に留まる場合は「現在地最寄」と指定を行い、移動する場合は「希望地最寄」と指定する。帰宅途中などにおいて自宅の近くで受取る場合は「自宅最寄」と指定する。
【００９２】
ステップｆ１０で、例えば図３７にハッチングで示すように、「履歴参照」ボタン１４５を選択して決定操作を行うと、画像管理センター７０は、その利用者が最近指定した画像サービス端末４０の設置場所の履歴を提示する図３８のような画面を送信する。図３８には、「東京駅前コンビニＡ」ボタン１５０、「大阪駅前Ｂ百貨店」ボタン１５１、「京都駅前Ｃカメラ店」ボタン１５２、「Ｄ大学売店」ボタン１５３と、「ＯＫ」ボタン１２０、及び「戻る」ボタン１１９を表示する(ｆ１１)。
【００９３】
「東京駅前コンビニＡ」ボタン１５０、「大阪駅前Ｂ百貨店」ボタン１５１、「京都駅前Ｃカメラ店」ボタン１５２、「Ｄ大学売店」ボタン１５３の各ボタンは利用者の最新の使用履歴に対応する。さらに古い履歴もスクロール表示で対応する。
図３８でいずれかの設置場所を選択すると(ｆ１６)、画像管理センター７０は、詳細な設置場所を案内する画面を送信して確認を行なう。例えば、「大阪駅前Ｂ百貨店」ボタン１５１を選択すると(ｆ１６)、図３９のような詳細な設置場所を表示し案内する領域１５４を含む画面を送信して確認を行なう。
【００９４】
ステップｆ１０で、例えば図４０のように「現在地最寄」ボタン１４６を選択すると、画像管理センター７０は通信事業者８０に、その利用者の現在地を照会する(ｆ１２)。通信事業者８０は、その利用者が保有するカメラ付き携帯電話１０の位置を、電波強度が最も強い基地局から判断して、画像管理センター７０に現在地を連絡する。あるいは、ＧＰＳ(Ｇｌｏｂａｌ  Ｐｏｓｉｔｉｏｎｉｎｇ  Ｓｙｓｔｅｍ)に基づいて現在地を判断しても良い。
【００９５】
画像管理センター７０は、その利用者が現在いる場所の最寄の画像サービス端末４０の設置場所を提示する図４１のような画面を送信する。図４１には、「東京駅前コンビニＡ」ボタン１５６、「ＤＰＥサービス丸ノ内店」ボタン１５７、「大手町駅前コンビニＢ」ボタン１５８、「二重橋前駅前売店」ボタン１５９、「ＯＫ」ボタン１２０、及び「戻る」ボタン１１９を表示する(ｆ１５)。
【００９６】
「東京駅前コンビニＡ」ボタン１５６、「ＤＰＥサービス丸ノ内店」ボタン１５７、「大手町駅前コンビニＢ」ボタン１５８、「二重橋前駅前売店」ボタン１５９の各ボタンは利用者が現在いる場所に最も近い画像サービス端末４０の設置場所に対応する。さらに周辺の設置場所もスクロール表示で対応する。
図４１でいずれかの設置場所を選択すると(ｆ１６)、画像管理センター７０は、詳細な設置場所を案内する画面を送信して確認を行なう。例えば、「東京駅前コンビニＡ」ボタン１５６を選択すると(ｆ１６)、図４２のような詳細な設置場所を案内する画面を送信して確認を行なう。
【００９７】
ステップｆ１０で、例えば図４３のように「自宅最寄」ボタン１４７を選択すると、画像管理センター７０は既に利用者によって登録されている現住所の最寄の画像サービス端末４０の設置場所を提示する図４４のような画面を送信する(ｆ１３)。図４４には、「四条駅前コンビニＡ」ボタン１６３、「河原町駅前Ｂ百貨店」ボタン１６４、「烏丸駅前コンビニＣ」ボタン１６５、「京都市役所駅前地下街」ボタン１６６、「ＯＫ」ボタン１２０、及び「戻る」ボタン１１９を表示する(ｆ１５)。
【００９８】
「四条駅前コンビニＡ」ボタン１６３、「河原町駅前Ｂ百貨店」ボタン１６４、「烏丸駅前コンビニＣ」ボタン１６５、「京都市役所駅前地下街」ボタン１６６の各ボタンは利用者の自宅に最も近い画像サービス端末４０の設置場所に対応する。さらに周辺の設置場所もスクロール表示で対応する。
図４４でいずれかの設置場所を選択すると(ｆ１６)、画像管理センター７０は、詳細な設置場所を案内する画面を送信して確認を行なう。例えば、「烏丸駅前コンビニＣ」ボタン１６５を選択すると(ｆ１６)、図４５のような詳細な設置場所１６１を案内する画面を送信して確認を行なう。
【００９９】
ステップｆ１０で、例えば図４６のように「希望地最寄」ボタン１４８を選択すると、画像管理センター７０は、図４７のような利用者に希望地の入力するための領域１６８を含み、希望値の入力を促す画面を送信する(ｆ１４)。例えば利用者が「大阪市北区梅田」と入力した場合、画像管理センター７０は周辺の検索を行い、希望地最寄の画像サービス端末４０の設置場所を提示する図４８のような画面を送信する。図４８には、「大阪駅前Ｂ百貨店５Ｆ」ボタン１７０、「梅田駅前コンビニＡ」ボタン１７１、「西梅田駅前コンビニＣ」ボタン１７２、「東梅田駅前売店」ボタン１７３、「ＯＫ」ボタン１２０、及び「戻る」ボタン１１９を表示する(ｆ１５)。
【０１００】
「大阪駅前Ｂ百貨店５Ｆ」ボタン１７０、「梅田駅前コンビニＡ」ボタン１７１、「西梅田駅前コンビニＣ」ボタン１７２、「東梅田駅前売店」ボタン１７３の各ボタンは利用者が希望する場所に最も近い画像サービス端末４０の設置場所に対応する。さらに周辺の設置場所もスクロール表示で対応する。
図４８でいずれかの設置場所を選択すると(ｆ１６)、画像管理センター７０は、詳細な設置場所を案内する画面を送信して確認を行なう。例えば、「梅田駅前コンビニＡ」ボタン１７１を選択すると(ｆ１６)、図４９のような詳細な設置場所(１７４)を案内する画面を送信して確認を行なう。
【０１０１】
((印刷指示情報の、センターから画像サービス端末への転送))
画像管理センター７０は、利用者からの注文データに基づいて、画像注文の対象となる画像のフルサイズ画像データと、注文操作を行った携帯電話の電話番号、電子メール・アドレス等を含む通信端末識別データをインターネット６０を介して画像サービス端末４０にダウンロードする。また、印刷画像の注文が行なわれた場合は、印刷枚数、印刷用紙情報も併せてダウンロードする(ｆ１７)。
【０１０２】
図６の画像管理センター７０において、管理部７５は蓄積部７３から注文対象のフルサイズ画像データを読み出し、通信端末識別データ、画像注文データと共に、ＷＷＷサーバ７１から画像サービス端末(４０、４０ａ、４０ｂなどのいずれか)に宛ててインターネット６０に送信する。この画像サービス端末は、図１０のステップｆ１６でその設置場所が選択された画像サービス端末である。
【０１０３】
((料金の精算))
画像管理センター７０は、利用者の画像注文内容に基づいて利用費用を算出して、通信事業者８０に請求する(ｆ１８)。画像管理センター７０の管理部７５は、画像データの容量や、印刷画像の枚数、用紙等から費用を算出する。管理部７５は請求データをバス７２を介して送受信部７６から通信事業者８０に送信する(図６)。通信事業者８０(図８)では、請求データを送受信部８６で受信し、バス８３を介して管理部８５に送る。管理部８５は、画像データあるいは画像の注文サービスの請求費用を、利用者の電話代、パケット交換通信費用、メール・サービス費用、ＷＷＷサービスの情報料を含む携帯電話利用費用とまとめて管理し、例えば毎月単位で集計して利用者に請求する。
【０１０４】
((印刷実行))
図５の画像サービス端末４０において、通信部４７はインターネット６０から注文対象のフルサイズ画像データ及び、通信端末識別データ、画像注文データを受信し、蓄積部４３に記憶させる。
利用者からの注文が印刷画像を含む場合は、制御部４２は蓄積部４３、印刷部４５に制御信号を送る。印刷部４５は、この注文データに基づいて印刷を行う。印刷部４５は、印刷画像を保管部５５に搬送する。保管部５５は、通信端末識別データに関連付けて保管する。
【０１０５】
印刷部４５は、印刷注文データ指定の印刷用紙の表面に、画像データに基づいた印刷を行う。印刷用紙の裏面に、通信端末識別データに基づいた印刷を行う。
印刷用紙の裏面には例えば、通信端末識別データ(を表す英数字)をそのまま(英数字で)印字する。また、通信端末識別データを暗号化して印字する。また、通信端末識別データを、バーコード化、あるいは２次元コード化等のパターン化して印刷する。バーコードにはＩＴＦ(Ｉｎｔｅｒｌｅａｖｅｄ  Ｔｗｏ  ｏｆ  Ｆｉｖｅ)コード(ＪＩＳ−Ｘ−０５０２)、ＪＡＮ(Ｊａｐａｎｅｓｅ  Ａｒｔｉｃｌｅ  Ｎｕｍｂｅｒ)コード等が含まれる。２次元コードにはＰＤＦ４１７、データマトリックス、ＱＲコード等が含まれる。
【０１０６】
((印刷完了通知))
画像サービス端末４０は、利用者のカメラ付き携帯電話１０に宛てて、画像の印刷が完了したこと、印刷画像の準備が完了したことを通知する電子メールを送信する。上記電子メールは、画像サービス端末４０の通信部４７からインターネット６０、通信事業者８０を介してカメラ付き携帯電話１０に送られる。
【０１０７】
((画像引渡し))
利用者は、図４のように注文画像を受取る為に受け取り場所に指定した画像サービス端末４０の設置場所に立ち寄る。利用者はカメラ付き携帯電話１０のリムーバブルメディア用スロット２９からリムーバブルメディア２８を抜いて、画像サービス端末４０のリムーバブルメディア用スロット５０に挿入する。画像サービス端末４０は、リムーバブルメディア２８に記録されている通信端末識別データを読み取り、利用者の認証を行う。画像サービス端末４０は、当該画像を注文した利用者と確認する。
【０１０８】
注文画像の形式が、画像データだった場合、画像サービス端末４０は、リムーバブルメディア２８に画像データを書込む。書き込みが完了したら、利用者は、リムーバブルメディア用スロット５０からリムーバブルメディア２８を抜く。
その後、必要に応じ、リムーバブルメディア２８を、携帯電話１０のスロット２９に挿入し、メディア制御部２３は、メディア５０から画像データを読み込み、記憶部１５に記憶させる。
【０１０９】
注文画像の形式が印刷画像だった場合、画像サービス端末４０の保管部５５は通信端末識別データに関連付けて保管していた印刷画像を提供部５６に搬送する排出する。利用者は、提供部５６から印刷画像を取り出す。
印刷画像を受取ったら、利用者は、リムーバブルメディア用スロット５０からリムーバブルメディア２８を抜く。
【０１１０】
印刷画像の提供のための搬送に当たり、保管部５５は、画像サービス端末４０に接続されたる携帯電話１０の通信端末識別データに基づいて保管している印刷画像を検索する。
例えば、印刷画像の裏面の通信端末識別データを表す英数字等を光学センサ等で読み取り、ＯＣＲ(Ｏｐｔｉｃａｌ  Ｃｈａｒａｃｔｅｒ  Ｒｅｃｏｇｎｉｔｉｏｎ  ／  Ｏｐｔｉｃａｌ  Ｃｈａｒａｃｔｅｒ  Ｒｅａｄｅｒ)にて照合したり、或いは、通信端末識別データを表すバーコードまたは２次元コードを読み取り照合することにより、接続された携帯電話１０の所有者に渡すべき印刷画像であることを確認する。
【０１１１】
((画像データへの通信端末識別データの関連付けの態様の変形例))
上記説明において、画像データが通信端末識別データに関連付けて扱われるものとしたが、代わりに図５０のように画像データのファイル内に通信端末識別データを埋め込んでも良い。例えばＪＰＥＧ(Ｊｏｉｎｔ  Ｐｈｏｔｏｇｒａｐｈｉｃ  Ｅｘｐｅｒｔ  Ｇｒｏｕｐ)圧縮画像ファイルに通信端末識別データをアプリケーション・マーカーやコメント・マーカーとして埋め込んでも良い。
【０１１２】
また、図５１のように画像ファイルをまとめたフォルダに通信端末識別データを含むヘッダファイルを加えておいても良い。あるいは、図５２のようにリムーバブルメディア内に画像ファイルをまとめたフォルダとは別に通信端末識別データのファイルを加えておいても良い。上記通信端末識別データは暗号化データである。
【０１１３】
((リムーバブルメディア内の記憶領域の詳細))
また、上記リムーバブルメディア２８の一例が図５３に示されている。図示のように、このリムーバブルメディア２８は、読み出し専用で書換え不可能な記憶手段２８ａと、大容量不揮発性記憶手段２８ｂとから構成されている。読み出し専用で書換え不可能な記憶手段２８ａは管理用の記憶領域として用いられるものであり、例えばＲＯＭ(Ｒｅａｄ  Ｏｎｌｙ  Ｍｅｍｏｒｙ)で構成され、大容量不揮発性記憶手段は２８ｂは例えばフラッシュメモリで構成される。ＲＯＭには例えば通信端末識別データが書込まれている。フラッシュメモリには、カメラ付き携帯電話１０あるいは画像サービス端末４０によって、随時画像ファイルが書込まれる。図５３には、画像ファイルがそれぞれ、画像１データ２８ｂ１、画像２データ２８ｂ２、画像３データ２８ｂ３、画像４データ２８ｂ４、画像５データ２８ｂ５などとして示されている。
【０１１４】
((実施の形態１の効果))
以上のように構成したので、撮像画像の閲覧、蓄積、印刷等のサービスを提供できる画像管理方法及びシステムにおいて、撮像画像の送信のための通信料金負担を軽くすることができる。また、新たにＩＤとパスワードを設定する手間をかけさせずに撮像画像の閲覧、蓄積、印刷等のサービスが提供される。さらに、画像印刷にかかる時間の間、利用者が同じ場所で待つ必要がなく、都合の良い別の場所で印刷画像を受取ることができるので、便利である。
【０１１５】
実施の形態１において画像の注文が印刷画像の注文である場合の効果をまとめると以下のとおりである。
まず、印刷画像を他の人に入手させる際の画像の所有者の手間が大幅に削減できる。印刷画像を他の人に入手させる場合、従来は、写真の所有者は、例えば複数の関係者に写真を回覧して、その焼き増し希望を取り纏めて写真店に焼き増しを発注して、でき上がった写真を希望者に配布するなど煩雑な手間がかかった。また、写真の焼き増し費用も写真所有者が立て替え払いの上、写真希望者各々と個別精算するなど煩雑な手間がかかった。
【０１１６】
また、画像データをアップロードするための料金を安くできる。カメラ付き携帯電話１０は、縦横が３５２画素×２８８画素の約１０万画素の画像データぐらいまでは、パケット通信で画像データをアップロードしても、それほど負担になることはなかった。しかし、例えば１０倍の約１００万画素の画像データになるとデータ容量も１０倍になり非常に大きな負担となる。画像データのアップロードにかかる携帯電話の利用料金が高いという問題があった。同時に、通信時間もかかり、その間着信電話に対応できないという問題があった。
【０１１７】
また最近は、ブロードバンド通信環境が整ったパーソナルコンピュータ等の機器経由で画像データをアップロードすることも可能であるが、パーソナルコンピュータ等の機器を所有していない者には利用することができない。またパーソナルコンピュータ等の機器を所有している者にとっても、外出先では利用できない。あるいは、外出の際パーソナルコンピュータ等の機器を持ち歩く煩わしさが伴う。実施の形態１で説明した画像管理システムにおいては、画像データは、通信端末から画像サービス端末に転送され、画像サービス端末から画像管理センターに送信されるので、画像データが安価な料金でアップロードできる。
【０１１８】
さらに、画像印刷の待ち時間の無駄を少なくできる。従来のプリントサービスでは、カメラ付き携帯電話１０やディジタル・スチル・カメラの画像を印刷する際に印刷所要時間による利用者の待ち時間がかかった。１枚なら、わずかの待ち時間でも、枚数の増加に伴い待ち時間が長くなり、待つのが困難となり、従来のプリントサービスでは不便な面があった。本実施の形態１で説明した画像管理システムにより、画像データを任意の画像サービス端末４０に、一旦預けて、ＷＷＷサイトから印刷したい画像を指定しておけば希望する場所に近い画像サービス端末４０で印刷画像を受け取ることができるようになった。これにより、無駄な待ち時間をなくすことができるようになった。
【０１１９】
特に、画像サービス端末４０を、コンビニエンスストア、写真店、ＤＰＥ(Ｄｅｖｅｌｏｐｍｅｎｔ  Ｐｒｉｎｔｉｎｇ  Ｅｎｌａｒｇｅｍｅｎｔ)サービス店、携帯電話販売店、ショッピングセンター、家電量販店、等の小売店の店頭等に自動販売機と同様に幅広く設置しておけば、特定の写真店でしか写真を受け取れないシステムに比べて、利用者の行動がより自由にできるようになる。特定の写真店に立ち寄るための時間は必要であるが、最も都合の良い場所で、例えば他の用事で小売店などに立ち寄るついでに印刷画像を受け取れるので無駄な時間を大幅に短くできる。
【０１２０】
また、画像の閲覧、印刷画像の注文、印刷画像の引渡しなどに際しての本人確認のための認証に通信端末識別データを利用することによって、利用者も画像管理システムも、複雑なパスワード管理や預かり伝票による管理を行う手間を省くことができるようになった。
【０１２１】
次に、実施の形態１において画像の注文が画像データの注文である場合の効果をまとめると以下のとおりである。
まず、通信端末やそれとともに用いる可搬型記憶媒体の記憶容量を有効に活用することができる。例えば、カメラ付き携帯電話１０は、縦横が３５２画素×２８８画素の約１０万画素の画像データぐらいまでは、内蔵の記憶手段で保存しても、それほど負担になることはなかった。しかし、例えば１０倍の約１００万画素の画像データになるとデータ容量も１０倍になり非常に大きな負担となる。撮影した画像データが大きくなると、カメラ付き携帯電話１０に内蔵の記憶手段に保存されている、電話帳や電子メール、着信通知用の楽曲データの保存領域が圧迫される。また追加の撮影ができなくなる等の問題があった。
【０１２２】
パーソナルコンピュータ等の記憶手段を有する機器に、データをバックアップできるカメラ付き携帯電話１０もあるが、パーソナルコンピュータ等の記憶手段を有する機器を所有していない者には利用できない。またパーソナルコンピュータ等の記憶手段を有する機器を所有している者にとっても、外出先で記憶手段の空き容量が少なくなった時には利用できない。本実施の形態１で説明したように、画像データを任意の画像サービス端末４０に、一旦預けて、カメラ付き携帯電話１０に内蔵の記憶手段などの空き容量に余裕がある時に受け取ることができるようになる。
【０１２３】
また、画像の閲覧、画像データの注文、画像データの引渡しなどに際しての本人確認のための認証に通信端末識別データを利用することによって、利用者も画像管理システムも、複雑なパスワード管理や預かり伝票による管理を行う手間を省くことができるようになった。
【０１２４】
実施の形態２．
上記の実施の形態１では、カメラ付き携帯電話１０と画像サービス端末４０への画像データの転送をリムーバブルメディア２８を介して行い、同様に画像サービス端末における本人確認のための認証と、カメラ付き携帯電話１０へのデータ転送を、リムーバブルメディア２８を介して行っているが、代わりに、カメラ付き携帯電話１０と画像サービス端末４０をインタフェースケーブル５２で接続して画像データの転送などを行っても良い。以下、この代替構成(第１の代替構成)を、図５４、図５５及び図５６を参照して説明する。
【０１２５】
図５４は、この第１の代替構成における、インターフェースケーブル５２でカメラ付き携帯電話１０から画像サービス端末４０に画像データを転送する様子を示す。図５５は、この第１の代替構成に用いられる、カメラ付き携帯電話１０内の、画像の撮像、撮像により得られた画像データに対する処理を行う部分を示す。図５６は、この第１の代替構成に用いられる、画像サービス端末４０内の、画像データの処理に関与する部分を示す。
【０１２６】
図５４に示すように、利用者はカメラ付き携帯電話１０のコネクタ端子２４と画像サービス端末４０をケーブル５２で接続する。
【０１２７】
図５５に示すように、利用者は、操作部１６で撮像画像の画像データを画像サービス端末４０に転送するように指示する。操作部１６の入力情報は制御部１７に入り、制御部１７は、記憶部１５、及び近距離通信部２３を制御する信号を出力する。記憶部１５に保存されている画像データはバス１４を介して近距離通信部２３に送られる。必要に応じて、記憶部１５に保存されている画像データはバス１４を介して画像処理部１２に送られる。画像処理部１２は画像データを圧縮する等、保存用の加工を加えてバス１４を介して近距離通信部２３に送る。近距離通信部２３は画像データをコネクタ端子２４からケーブル５２を介して画像サービス端末４０に送信する。
【０１２８】
図５６に示すように、近距離通信部５１はケーブル５２を介してカメラ付き携帯電話１０に接続されているコネクタ端子５２ａから画像データと識別データを読み出す。読み出された画像データと識別データは、バス４６を介して蓄積部４３に記憶される。
【０１２９】
上記カメラ付き携帯電話１０から画像サービス端末４０への通信は、例えばＵＳＢ(Ｕｎｉｖｅｒｓａｌ  Ｓｅｒｉａｌ  Ｂｕｓ)やＩＥＥＥ１３９４等によって行うことができる。ケーブルにより画像データの転送を行うこととすれば、リムーバブルメディアや赤外線通信、近距離無線通信を搭載しない携帯電話でも画像サービス端末４０への画像データ転送が可能となる利点がある。
【０１３０】
また、第１の代替構成で、画像サービス端末４０での利用者認証、及びカメラ付き携帯電話１０への画像データの転送を行う場合には、図５４に示すように、利用者はカメラ付き携帯電話１０のコネクタ端子２４と画像サービス端末４０をケーブル５２で接続する。画像サービス端末４０は、カメラ付き携帯電話１０から通信端末識別データを読み取って利用者の認証を行う。画像サービス端末４０は、当該画像を注文した利用者と確認する。
【０１３１】
注文画像の形式が、画像データだった場合、画像サービス端末４０は、図５６に示される蓄積部４３に記憶させた画像データを近距離通信部５１からコネクタ端子５１ａに送信する。画像データはコネクタ端子５１ａに接続されたケーブル５２を通って、図５５に示されるコネクタ端子２４に入る。コネクタ端子２４に入る画像データは近距離通信部２３で受信し記憶部１５に記憶させる。
【０１３２】
注文画像の形式が印刷画像だった場合、画像サービス端末４０の保管部５５は通信端末識別データに関連付けて保管していた印刷画像を提供部５６に搬送する排出する。利用者は、提供部５６から印刷画像を受取る。利用者は、カメラ付き携帯電話１０のコネクタ端子２４から接続ケーブル５２を抜く。
【０１３３】
印刷画像の提供のための搬送に当たり、保管部５５は、画像サービス端末４０に接続された携帯電話１０の通信端末識別データに基づいて、保管している印刷画像を検索する。例えば、印刷画像の裏面の通信端末識別データを表す英数字等を光学センサ等で読み取り、ＯＣＲ(Ｏｐｔｉｃａｌ  Ｃｈａｒａｃｔｅｒ  Ｒｅｃｏｇｎｉｔｉｏｎ  ／  Ｏｐｔｉｃａｌ  Ｃｈａｒａｃｔｅｒ  Ｒｅａｄｅｒ)にて照合したり、或いは通信端末識別データを表すバーコードまたは２次元コードを読み取り照合することにより、接続された携帯電話１０の所有者に渡すべき印刷画像であることを確認する。
【０１３４】
実施の形態３．
また、カメラ付き携帯電話１０から画像サービス端末４０へのデータ転送や、画像サービス端末における利用者認証と、カメラ付き携帯電話１０へのデータ転送を、上記の実施の形態１や実施の形態２のように行う代わりに、カメラ付き携帯電話１０と画像サービス端末４０との間の赤外線通信で行うこととしても良い。以下にこの代替構成(第２の代替構成)を、図５７及び図５８を参照して説明する。
【０１３５】
図５７は、この第２の代替構成に用いられる、カメラ付き携帯電話１０内の、画像の撮像、撮像により得られた画像データに対する処理を行う部分を示す。図５８は、この第２の代替構成に用いられる、画像サービス端末４０内の、画像データの処理に関与する部分を示す。
【０１３６】
データ転送に際し、利用者はカメラ付き携帯電話１０の赤外線通信部２５の一部をなす赤外線発光部(図示しない)と画像サービス端末４０の受光部(図示しない)を正対させる。そして、利用者は、図５７に示す操作部１６で撮像画像の画像データを画像サービス端末４０に転送するように指示する。操作部１６の入力情報は制御部１７に入り、制御部１７は、記憶部１５、及び赤外線通信部２５を制御する信号を出力する。記憶部１５に保存されている画像データはバス１４を介して赤外線通信部２５に送られる。必要に応じて、記憶部１５に保存されている画像データはバス１４を介して画像処理部１２に送られる。画像処理部１２は画像データを圧縮する等、保存用の加工を加えてバス１４を介して赤外線通信部２５に送る。赤外線通信部２５は画像データを赤外線発光部から画像サービス端末４０に送信する。
【０１３７】
図５８に示される赤外線通信部５３は赤外線受光部を介してカメラ付き携帯電話１０の赤外線発光部から送信されている画像データと識別データを受ける。読み出された画像データと識別データは、バス４６を介して蓄積部４３に記憶される。
【０１３８】
上記カメラ付き携帯電話１０から画像サービス端末４０への赤外線通信は、ＩｒＤＡ(Ｉｎｆｒａｒｅｄ  Ｄａｔａ  Ａｓｓｏｃｉａｔｉｏｎ)等を含む。赤外線通信は、リムーバブルメディアやケーブルの着脱の手間が省ける利点がある。
【０１３９】
また、第２の代替構成で、画像サービス端末４０での利用者認証、及びカメラ付き携帯電話１０への画像データの転送を行う場合には、利用者はカメラ付き携帯電話１０の赤外線発光部と画像サービス端末４０の受光部を正対させる。画像サービス端末４０は、カメラ付き携帯電話１０から通信端末識別データを読み取って利用者の認証を行う。画像サービス端末４０は、当該画像を注文した利用者と確認する。
【０１４０】
注文画像の形式が、画像データだった場合、画像サービス端末４０は、図５８において、蓄積部４３に記憶させた画像データを赤外線通信部５３からカメラ付き携帯電話１０に送信する。画像データは赤外線通信で、図５７における赤外線通信部２５で受信し記憶部１５に記憶させる。
【０１４１】
注文画像の形式が印刷画像だった場合、画像サービス端末４０の保管部５５は通信端末識別データに関連付けて保管していた印刷画像を提供部５６に搬送する。利用者は、提供部５６から印刷画像を受取る。
【０１４２】
印刷画像の提供のための搬送に当たり、保管部５５は、画像サービス端末４０に接続された携帯電話１０の通信端末識別データに基づいて保管している印刷画像を検索する。
例えば、印刷画像の裏面の通信端末識別データを表す英数字等を光学センサ等で読み取り、ＯＣＲ(Ｏｐｔｉｃａｌ  Ｃｈａｒａｃｔｅｒ  Ｒｅｃｏｇｎｉｔｉｏｎ  ／  Ｏｐｔｉｃａｌ  Ｃｈａｒａｃｔｅｒ  Ｒｅａｄｅｒ)にて照合したり、或いは通信端末識別データを表すバーコードまたは２次元コードを読み取り照合することにより、接続された携帯電話１０の所有者に渡すべき印刷画像であることを確認する。
【０１４３】
実施の形態４．
また、カメラ付き携帯電話１０から画像サービス端末４０へのデータ転送や、画像サービス端末における利用者認証と、カメラ付き携帯電話１０へのデータ転送を、上記の実施の形態１や実施の形態２、実施の形態３のように行う代わりに、カメラ付き携帯電話１０と画像サービス端末４０との間の無線通信で行うこととしても良い。以下にこの代替構成(第３の代替構成)を、図５９及び図６０を参照して説明する。
【０１４４】
図５９は、この第３の代替構成に用いられる、カメラ付き携帯電話１０内の、画像の撮像、撮像により得られた画像データに対する処理を行う部分を示す。図６０は、この第３の代替構成に用いられる、画像サービス端末４０内の、画像データの処理に関与する部分を示す。
【０１４５】
データ転送に際し、利用者はカメラ付き携帯電話１０の無線電波の到達範囲に画像サービス端末４０が入るように画像サービス端末４０に近づく。そして、利用者は、図５９に示される操作部１６で撮像画像の画像データを画像サービス端末４０に転送するように指示する。操作部１６の入力情報は制御部１７に入り、制御部１７は、記憶部１５、及び無線通信部２６を制御する信号を出力する。記憶部１５に保存されている画像データはバス１４を介して無線通信部２６に送られる。必要に応じて、記憶部１５に保存されている画像データはバス１４を介して画像処理部１２に送られる。画像処理部１２は画像データを圧縮する等、保存用の加工を加えてバス１４を介して無線通信部２６に送る。無線通信部２６は画像データを無線アンテナ部から画像サービス端末４０に送信する。
【０１４６】
図６０に示される無線通信部５４は無線アンテナ部を介してカメラ付き携帯電話１０の無線アンテナ部から送信されている画像データと識別データを受ける。読み出された画像データと識別データは、バス４６を介して蓄積部４３に記憶される。
【０１４７】
上記カメラ付き携帯電話１０から画像サービス端末４０への無線通信は、携帯電話本来の無線通信機能ではなく、近距離小電力の無線通信規格である、例えば、Ｂｌｕｅｔｏｏｔｈ、ＩＥＥＥ８０２．１１(ＩＥＥＥ８０２．１１ａ、ＩＥＥＥ８０２．１１ｂ、ＩＥＥＥ８０２．１１ｇ)等により行われる。無線通信を利用すれば、リムーバブルメディアやケーブルの着脱の手間が省ける利点がある。また、赤外線通信は発光部と受光部を正対させる必要があるが、無線通信は近くにいれば接続できる利点がある。
【０１４８】
また、第３の代替構成で、画像サービス端末４０での利用者認証、及びカメラ付き携帯電話１０への画像データの転送を行う場合には、利用者はカメラ付き携帯電話１０の無線電波の到達範囲に画像サービス端末４０が入るように画像サービス端末４０に近づく。画像サービス端末４０は、カメラ付き携帯電話１０から通信端末識別データを読み取って利用者の認証を行う。画像サービス端末４０は、当該画像を注文した利用者と確認する。
【０１４９】
注文画像の形式が、画像データだった場合、画像サービス端末４０は、図６０に示される蓄積部４３に記憶させた画像データを無線通信部５４からカメラ付き携帯電話１０に送信する。画像データは無線通信で、図５９に示される無線通信部２６で受信し記憶部１５に記憶させる。
【０１５０】
注文画像の形式が印刷画像だった場合、画像サービス端末４０の保管部５５は通信端末識別データに関連付けて保管していた印刷画像を提供部５６に搬送する。利用者は、提供部５６から印刷画像を受取る。
【０１５１】
印刷画像の提供のための搬送に当たり、保管部５５は、画像サービス端末４０に接続された携帯電話１０の通信端末識別データに基づいて保管している印刷画像を検索する。
例えば、印刷画像の裏面の通信端末識別データを表す英数字等を光学センサ等で読み取り、ＯＣＲ(Ｏｐｔｉｃａｌ  Ｃｈａｒａｃｔｅｒ  Ｒｅｃｏｇｎｉｔｉｏｎ  ／  Ｏｐｔｉｃａｌ  Ｃｈａｒａｃｔｅｒ  Ｒｅａｄｅｒ)にて照合したり、或いは通信端末識別データを表すバーコードまたは２次元コードを読み取り照合することにより、接続された携帯電話１０の所有者に渡すべき印刷画像であることを確認する。
【０１５２】
実施の形態５．
上記の実施の形態１では、カメラ付き携帯電話１０の利用者が画像サービス端末４０に画像データを転送し、さらに画像管理センター７０で画像アルバムを作成し、そのアルバムの画像について後で同じ利用者(画像の所有者。以下「第１の利用者」とも言う)が画像を閲覧したり、画像データや印刷画像を注文する場合について説明したが、上記画像の所有者とは異なる人(第２の利用者)に画像の閲覧や注文を許容するようにすることもできる。そのためのひとつの方法は、利用権の設定によるものである。この方法では、各利用者は利用権の範囲内で画像を利用することができる。即ち、各利用者は、アルバムを構成する画像の一部又は全部について、閲覧及び画像注文の一方又は双方について、利用権を与えられる。
【０１５３】
利用権の設定は、画像の所有者がそのカメラ付き携帯電話１０を操作することにより行うことができ、設定された利用権は画像管理センター７０に記憶される。
【０１５４】
カメラ付き携帯電話１０の操作による利用権の設定を可能にするため、画像管理センター７０は、電子的画像アルバムの閲覧の準備が整った段階で、電子的画像アルバムの閲覧画面の接続情報(ＵＲＬ)、及び利用権設定のための画面の接続情報(ＵＲＬ)を対応する通信端末に電子メールで送信し、利用者が電子的画像アルバムを閲覧や画像注文するのを可能にする画面と、画像の所有者が利用権を設定するのを可能にする画面とを利用者の通信端末に提供し、利用者からの閲覧要求、画像注文、利用権設定要求を受信する。
【０１５５】
画像管理センター７０はまた、利用権設定の要求に応じて、画像アルバムの全体または一部について、閲覧や画像注文に関する利用権の設定のための処理を行ない、設定内容を保存する。画像管理センター７０はさらに、閲覧要求や画像注文に対し、利用者が利用権を有することを確認した上で閲覧、画像(印刷画像や画像データ)の提供を可能にする。利用権の確認は、例えば利用者の通信端末から送信された通信端末識別データと、予め記憶されている、設定された利用権を表わす情報とを参照して行なわれる。また、利用に際し、利用者に利用権確認のための所定の操作(例えばパスワードの入力)を行なわせる場合もある。
【０１５６】
上記のように、利用権の設定を可能にするために画像管理センター７０から画像アルバムの接続情報及び利用権設定のための画面の接続情報とを通知する電子メールがカメラ付き携帯電話１０に受信されると、電子メールが携帯電話１０の表示部に電子的画像アルバムの閲覧又は利用権設定を可能にする画面として表示される。その一例を図６１に示す。これに応じて、携帯電話１０の利用者(画像の所有者)は、「閲覧」ボタン２０１又は「利用権設定」２０２のいずれかを選択して決定操作を行なうことで、(上記ＵＲＬで指定される)上記画像アルバムのホームページ又は、利用権設定のためのホームページにアクセスして、画像の閲覧又は利用権の設定を要求することができる。
【０１５７】
最初に、利用権の設定を行なう場合について説明する。図６２は、利用権設定のための処理を示す。以下の説明において、図６２の対応するステップの符号を示す。この利用権の設定は、電子的画像アルバム(その一部である画像)の閲覧、画像注文に関し、その所有者、即ち当該アルバムの画像の撮像に用いられた携帯電話(携帯電話１０)の所有者が、他の人(例えば、携帯電話１０ａ、１０ｂ、１０ｃ、３０、３０ａ、３０ｂなどの所有者)に(或いはその画像の所有者が他の携帯電話を用いてアクセスした場合)に、利用する権利を設定するものである。
【０１５８】
利用権の設定を行なう前の状態(初期状態)では、例えば、この利用権は画像所有者のみが有している。(即ち画像の撮像に用いられた携帯電話でアクセスする場合にのみ利用が認められる。)
【０１５９】
上記のように、「利用権の設定」ボタン２０２が選択されて決定操作が行なわれると、利用権設定画面の閲覧要求として、携帯電話１０は上記ＵＲＬをパケット通信でサービス・サーバ８２に送信する(ｆ４１)。この閲覧要求は、サービス・サーバ８２からバス８３を経てネット・サーバ８４から発信され、インターネット６０を介して、画像管理センター７０で受信される。
【０１６０】
画像管理センター７０は、携帯電話からの通信が利用権設定画面の閲覧要求であることを確認し、上記ＵＲＬで指定されるホームページの先頭のページ(一連の画像のうちの所定のもの、例えば最初の画像を含む)に対応したＨＴＭＬファイル及び関連ファイルを送信する。上記ＨＴＭＬファイル及び関連ファイルは、インターネット６０を介して、通信事業者８０のサービス・サーバ８２で受信される。サービス・サーバ８２で受信した上記ＨＴＭＬファイル及び関連ファイルは、バス８３を経てネット・サーバ８４からパケット通信としてカメラ付き携帯電話１０に送信される。
【０１６１】
この結果、カメラ付き携帯電話１０の表示部１３には例えば、図６３に示される画面が表示される。この画面は、利用権の設定範囲を設定するためのものである。図６３に示すように、画像所有者が登録している電子的画像アルバム全ての利用権を一括して設定するための「全アルバム」ボタン２０３、電子的画像アルバム単位にて利用権を設定するための「アルバム毎」ボタン２０４、画像単位毎にて利用権を設定するための「画像毎」ボタン２０５、並びに「ＯＫ」ボタン１２０、及び「戻る」ボタン１１９を表示するものである。
【０１６２】
例えば、図６３の画面において、画像所有者が登録している電子的画像アルバム全ての利用権を一括して設定するため、「全アルバム」ボタン２０３を選択すると、図６４のように「全アルバム」ボタン２０３がハッチングで示すように表示色が変わり選択された状態となる。図６４の「全アルバム」ボタン２０３が選択された状態で決定操作を行なうと(ｆ４２)、図６５の利用権対象設定画面が表示される。
【０１６３】
図６５に示される画面は、利用権の設定対象を設定するためのものであり、画像閲覧の利用権及び画像の注文の利用権をまとめて設定するための「閲覧/画像注文利用権」ボタン２０７、画像閲覧の利用権だけを設定するための「閲覧利用権」ボタン２０８、画像の注文の利用権だけを設定するための「画像注文利用権」ボタン２０９、並びに「ＯＫ」ボタン１２０、及び「戻る」ボタン１１９を表示している。なお、「閲覧利用権」ボタン２０８を用いて閲覧について利用権を設定し、これとは別に、「画像注文利用権」ボタン２０９を用いて画像注文について利用権を設定することもできる。
【０１６４】
例えば、図６５の画面において、画像閲覧の利用権及び画像の注文の利用権をまとめて設定するため、「閲覧/画像注文利用権」ボタン２０７を選択すると、図６６のように「閲覧/画像注文利用権」ボタン２０７がハッチングで示すように表示色が変わり選択された状態となる。図６６の「閲覧/画像注文利用権」ボタン２０７が選択された状態で決定操作を行うと(ｆ４３)、図６７の利用権設定画面が表示される。
【０１６５】
図６７に示される画面は、利用権を与えられる者乃至端末を設定するためのものであり、本端末のみに利用権を設定するための「本端末のみ」ボタン２１１、どの端末でも利用権を持ちいずれの端末からでもアクセスできるように設定するための「無制限」ボタン２１２、いずれの端末からのアクセスも拒否するように設定するための「非公開」ボタン２１３、特定の端末だけが利用権を有するよう設定するための「端末登録者」ボタン２１４、アクセスにあたりパスワード入力を要求しパスワード認証の上でアクセスを許可するよう設定するための「パスワード認証者」ボタン２１５、並びに「ＯＫ」ボタン１２０、及び「戻る」ボタン１１９を表示している。
【０１６６】
例えば、図６７の画面において、本端末のみに利用権を設定するため、「本端末のみ」ボタンを選択すると図６８のように「本端末のみ」ボタン２１１がハッチングで示すように表示色が変わり選択された状態を示す。図６８の「本端末のみ」ボタン２１１が選択された状態で決定操作を行うと(ｆ４４)、図６９の利用権設定結果画面が表示される。(ｆ４５)
【０１６７】
図６９に示される画面は、利用権の設定内容を確認するためのものであり、画像所有者が登録している電子的画像アルバム全て(２１６)を対象とした、画像閲覧の利用権及び画像の注文の利用権(２１７)を、本端末のみ(２１８)が保有するように設定したことを確認できる。また「ＯＫ」ボタン１２０、及び「戻る」ボタン１１９とを表示している。例えば、図６９の画面において、表示状態で設定するため、「ＯＫ」ボタン１２０を選択すると表示の内容にて利用権が設定される。
【０１６８】
例えば、図６７の画面において、どの端末でも利用権を持ちいずれの端末からでもアクセスできるように設定するため、「無制限」ボタン２１２を選択すると図７０のように「無制限」ボタン２１２が選択された状態(ハッチングで示すように表示色が変わっている)となる。この状態で決定操作を行うと(ｆ４４)、図７１の利用権設定結果画面が表示される。
【０１６９】
図７１に示される画面は、利用権の設定内容を確認するためのものであり、画像所有者が登録している電子的画像アルバム全て(２１６)を対象とした、画像閲覧の利用権及び画像の注文の利用権(２１７)を、どの端末も(１４１９)保有するように設定したことを確認できる。また「ＯＫ」ボタン１２０、及び「戻る」ボタン１１９を表示している。例えば、図７１の画面において、表示状態で設定するため、「ＯＫ」ボタン１２０を選択すると表示の内容にて利用権が設定される。
【０１７０】
例えば、図６７の画面において、いずれの端末からのアクセスも拒否するように設定するため、「非公開」ボタン２１３を選択すると図７２のように「非公開」ボタン２１３が選択された状態(ハッチングで示すように表示色が変わっている)を示す。図７２の「非公開」ボタン２１３が選択された状態で決定操作を行うと(ｆ４４)、図７３の利用権設定結果画面が表示される。
【０１７１】
図７３に示される画面は、利用権の設定内容を確認するためのものであり、画像所有者が登録している電子的画像アルバム全て(２１６)を対象とした、画像閲覧の利用権及び画像の注文の利用権(２１７)を、いずれの端末も保有していない(２１７)ように設定したことを確認できる。また「ＯＫ」ボタン１２０、及び「戻る」ボタン１１９を表示している。例えば、図７３の画面において、表示状態で設定するため、「ＯＫ」ボタン１２０を選択すると表示の内容にて利用権が設定される。
【０１７２】
例えば、図６７の画面において、特定の端末だけが利用権を有するよう設定するため、「端末登録者」ボタン２１４を選択すると図７４のように「端末登録者」ボタン２１４が選択された状態(ハッチングで示すように表示色が変わっている)となる。図７４の「端末登録者」ボタン２１４が選択された状態で決定操作を行うと(ｆ４４)、図７５の端末登録者画面が表示される。
【０１７３】
図７５には、利用権を保有する端末の登録者を示す画面を表示している。図７５は初期状態のため、「自分」(２２４)だけが表示される。さらに追加の端末登録を行うための「追加登録」ボタン２２５も表示されている。また「ＯＫ」ボタン１２０、及び「戻る」ボタン１１９が表示されている。追加の端末登録を行うため「追加登録」ボタン２２５を選択すると図７５のように「追加登録」ボタン２２５が選択された状態(ハッチングで示す)となる。図７５の「追加登録」ボタン２２５が選択された状態で決定操作を行うと、図７６の端末登録画面が表示される。
【０１７４】
図７６には、利用権を追加する端末を設定するための画面を表示している。図７６に示すように、追加する端末をアドレス帳から選択して設定できる「アドレス帳から指定」ボタン２２７、追加する端末の指定を電話番号入力で設定できる「電話番号入力」ボタン２２８、追加する端末の指定をメール・アドレス入力で設定できる「メール・アドレス入力」ボタン２２９、及び「ＯＫ」ボタン１２０、及び「戻る」ボタン１１９が表示されている。
【０１７５】
例えば、アドレス帳からの選択によって追加端末の登録を行うため「アドレス帳から指定」ボタン２２７を選択すると図７６のように「アドレス帳から指定」ボタン２２７が選択された状態(ハッチングで示す)となる。図７６の「アドレス帳から指定」ボタン２２７が選択された状態で決定操作を行うと、図７７のアドレス帳による端末登録画面が表示される。
【０１７６】
図７７には、アドレス帳データを利用した端末登録画面が表示されており、アドレス帳に登録している「田中さん」２３１、「佐藤君」２３２、「鈴木様」２３３、「渡部さん」２３４、「山本様」２３５が表示されている。また「ＯＫ」ボタン１２０、及び「戻る」ボタン１１９が表示されている。田中さんの端末に利用権を設定するため「田中さん」ボタン２３１を選択すると図７７のように「田中さん」ボタン２３１が選択された状態(ハッチングで示す)となる。図７７の「田中さん」ボタン２３１が選択された状態で決定操作を行うと、図７８の端末登録者画面が表示される。
【０１７７】
図７８には、利用権を保有する端末の登録者を示す画面を表示している。図７５の「自分」(２２４)だけから図７８では「田中さん」(２３７)も追加されて表示される。図７８で「ＯＫ」ボタン１２０を選択すると、図７９の利用権設定結果画面が表示される。
【０１７８】
図７９に示される画面は、利用権の設定内容を確認するためのものである。図７９に示すように、画像所有者が登録している電子的画像アルバム全て(２１６)を対象とした、画像閲覧の利用権及び画像の注文の利用権(２１７)を、田中さん(２３９)の端末に設定したことを確認できる。また「ＯＫ」ボタン１２０、及び「戻る」ボタン１１９が表示されている。例えば、図７９の画面において、表示状態で設定するため、「ＯＫ」ボタン１２０を選択すると表示の内容にて利用権が設定される。
【０１７９】
図７６の画面が表示されている状態で、電話番号の入力によって追加端末の登録を行うため「電話番号入力」ボタン２２８を選択すると図８０のように「電話番号入力」ボタン２２８が選択された状態(ハッチングで示す)となる。図８０の「電話番号入力」ボタン２２８が選択された状態で決定操作を行うと、図８１の電話番号入力による端末登録画面が表示される。
【０１８０】
図８１には、電話番号入力による端末登録画面を表示しており、さらに電話番号の入力領域と、「ＯＫ」ボタン１２０、及び「戻る」ボタン１１９とを表示している。入力領域２４１に電話番号を入力して、「ＯＫ」ボタン１２０を選択した状態で決定操作を行うと、図８２の端末登録者画面が表示される。
【０１８１】
図８２には、利用権を保有する端末の登録者を示す画面を表示している。図７５の「自分」(２２４)だけから図８２では電話番号入力した端末(２４３)も追加されて表示される。図８２で「ＯＫ」ボタン１２０を選択すると、図８３の利用権設定結果画面が表示される。
【０１８２】
図８３に示される画面は、利用権の設定内容を確認するためのものであり、画像所有者が登録している電子的画像アルバム全て(２１６)を対象とした、画像閲覧の利用権及び画像の注文の利用権(２１７)を、指定の電話番号の端末(２４５)に設定したことを確認できる。また「ＯＫ」ボタン１２０、及び「戻る」ボタン１１９が表示されている。例えば、図８３の画面において、表示状態で設定するため、「ＯＫ」ボタン１２０を選択すると表示の内容にて利用権が設定される。
【０１８３】
図７６の画面が表示されている状態で、メール・アドレスの入力によって追加端末の登録を行うため「メール・アドレス入力」ボタン２２９を選択すると図８４のように「メール・アドレス入力」ボタン２２９が選択された状態(ハッチングで示す)となる。図８４の「メール・アドレス入力」ボタン２２９が選択された状態で決定操作を行うと、図８４のメール・アドレス入力による端末登録画面が表示される。
【０１８４】
図８５には、メール・アドレス入力による端末登録画面を表示している。メール・アドレスの入力領域２４７と、「ＯＫ」ボタン１２０、及び「戻る」ボタン１１９とを表示している。入力領域２４７にメール・アドレスを入力して、「ＯＫ」ボタン１２０を選択した状態で決定操作を行うと、図８６の端末登録者画面が表示される。
【０１８５】
図８６には、利用権を保有する端末の登録者を示す画面を表示している。図７５の「自分」(２２４)だけから図８６ではメール・アドレス入力した端末(２４９)も追加されて表示される。図８６で「ＯＫ」ボタン１２０を選択すると、図８７の利用権設定結果画面が表示される。
【０１８６】
図８７に示される画面は、利用権の設定内容を確認するためのものであり、画像所有者が登録している電子的画像アルバム全て(２１６)を対象とした、画像閲覧の利用権及び画像の注文の利用権(２１７)を、指定の電話番号の端末(２５１)に設定したことを確認できる。また「ＯＫ」ボタン１２０、及び「戻る」ボタン１１９が表示されている。例えば、図８７の画面において、表示状態で設定するため、「ＯＫ」ボタン１２０を選択すると表示の内容にて利用権が設定される。
【０１８７】
((「パスワードでのアクセス」を設定))
図６７の画面において、アクセスにあたりパスワード入力を要求しパスワード認証の上でアクセスを許可するよう設定するため、「パスワード認証者」ボタン２１５を選択すると図８８のように「パスワード認証者」ボタン２１５が選択された状態(ハッチングで示す)となる。図８８の「パスワード認証者」ボタン２１５が選択された状態で決定操作を行うと(ｆ４４)、図８９のパスワード設定画面が表示される。
【０１８８】
図８９に示される画面は、パスワードの設定を行うためのものであり、パスワードの設定を行う設定画面へとつながる「設定」ボタン２５３、パスワードの設定を削除する「削除」ボタン２５４、及び「ＯＫ」ボタン１２０、及び「戻る」ボタン１１９を表示している。例えば、図８９の画面において、パスワードを設定するため、「ＯＫ」ボタン１２０を選択すると、図９０のパスワード入力設定画面が表示される。
【０１８９】
図９０に示される画面は、パスワードの入力設定を行うためのものであり、パスワードの入力領域２５６、パスワードの確認用入力領域２５７、及び「ＯＫ」ボタン１２０、及び「戻る」ボタン１１９を表示している。例えば、図９０の画面において、パスワードの入力領域２５６、パスワードの確認用入力領域２５７に、設定するパスワードを入力して「ＯＫ」ボタン１２０を選択すると、図９１の利用権設定結果画面が表示される。
【０１９０】
図９１に示される画面は、利用権の設定内容を確認するためのものであり、画像所有者が登録している電子的画像アルバム全て(２１６)を対象とした、画像閲覧の利用権及び画像の注文の利用権(２１７)を、設定したパスワード認証者(２５９)に設定したことを確認できる。また「ＯＫ」ボタン１２０、及び「戻る」ボタン１１９を表示している。例えば、図９１の画面において、表示状態で設定するため、「ＯＫ」ボタン１２０を選択すると表示の内容にて利用権が設定される。
【０１９１】
図６５の画面において、画像閲覧の利用権だけを設定するため、「閲覧利用権」ボタン２０８を選択すると図９２のように「閲覧利用権」ボタン２０８が選択された状態(ハッチングで示す)となる。図９２の「閲覧利用権」ボタン２０８が選択された状態で決定操作を行うと(ｆ４３)、図６７の利用権設定画面が表示される。以降の詳細設定の動作は、設定できる利用権が画像閲覧に関するものとなる以外は上述のとおりである。
【０１９２】
例えば、図６５の画面において、画像注文の利用権だけを設定するため、「画像注文利用権」２０９ボタンを選択すると図９３のように「画像注文利用権」ボタン２０９が選択された状態(ハッチングで示す)となる。図９３の「画像注文利用権」ボタン２０９が選択された状態で決定操作を行うと(ｆ４３)、図６７の利用権設定画面が表示される。以降の詳細設定の動作は、設定できる利用権が画像注文に関するものとなる以外は上述のとおりである。
【０１９３】
図６３の画面において、画像所有者が登録している電子的画像アルバム各々についての利用権を設定するため、「アルバム毎」ボタン２０４を選択すると図９４のように「アルバム毎」ボタン２０４が選択された状態(ハッチングで示す)となる。図９４の「アルバム毎」ボタン２０４が選択された状態で決定操作を行うと(ｆ４２)、図９５の利用権範囲設定画面が表示される。
【０１９４】
図９５に示される画面は、利用権の設定範囲を設定するためのものであり、画像所有者が登録している電子的画像アルバムの「アルバム（１）」ボタン２６１、「アルバム（２）」ボタン２６２、「アルバム（３）」ボタン２６３、「アルバム（４）」ボタン２６４、「アルバム（５）」ボタン２６５、並びに「ＯＫ」ボタン１２０、及び「戻る」ボタン１１９を表示している。（なお、図面では、丸付き数字が用いられているが、本明細書では括弧付き数字で代用する。）
【０１９５】
例えば、図９５の画面において、電子的画像アルバム（１）の利用権を設定するため、「アルバム（１）」ボタン２６１を選択すると図９６のように「アルバム（１）」ボタン２６１が選択された状態(ハッチングで示す)となる。図９６の「アルバム（１）」ボタン２６１が選択された状態で決定操作を行うと(ｆ４２)、図６５の利用権対象設定画面が表示される。以降の詳細設定の動作は、設定できる利用権の設定範囲が電子的画像アルバム（１）に限定されるものとなる以外は上述のとおりである。また、電子的画像アルバム（２）〜電子的画像アルバム（５）の利用権を設定する場合も電子的画像アルバム（１）の利用権設定の操作と同様である。
【０１９６】
図６３の画面において、画像所有者が登録している電子的画像アルバム内の特定の画像についての利用権を設定するため、「画像毎」ボタン２０５を選択すると図９７のように「画像毎」ボタン２０５が選択された状態(ハッチングで示す)となる。図９７の「画像毎」ボタン２０５が選択された状態で決定操作を行うと(ｆ４２)、図９８の利用権範囲設定画面が表示される。
【０１９７】
図９８に示される画面は、利用権の設定範囲を設定するためのものであり、画像所有者が登録している電子的画像アルバムの「アルバム（１）」ボタン２６１、「アルバム（２）」ボタン２６２、「アルバム（３）」ボタン２６３、「アルバム（４）」ボタン２６４、「アルバム（５）」ボタン２６５、並びに「ＯＫ」ボタン１２０、及び「戻る」ボタン１１９を表示している。
【０１９８】
例えば、図９８の画面において、電子的画像アルバム（１）内の特定画像の利用権を設定するため、「アルバム（１）」ボタン２６１を選択すると図９９のように「アルバム（１）」ボタン２６１が選択された状態(ハッチングで示す)となる。図９９の「アルバム（１）」ボタン２６１が選択された状態で決定操作を行うと(ｆ４２)、図１００の電子的画像アルバム（１）の先頭画像の閲覧画面が表示される。
【０１９９】
図１００は、上記電子的画像アルバム（１）の画像１を閲覧することを可能にする画面で、上部２７２に画像１が表示され、下部２７３の中央に「利用権」ボタン２６７、右側に右矢印ボタン１１５、左側に左矢印ボタン１１４が表示されている。
【０２００】
例えば、図１００の画面において、「利用権」ボタン２６７の選択決定操作を行うと、図６５の利用権対象設定画面が表示される。以降の詳細設定の動作は、設定できる利用権の設定範囲が電子的画像アルバム（１）の画像１に限定されるものとなる以外は上述のとおりである。
【０２０１】
例えば、図１００の画面において、右矢印ボタン１１５の選択決定操作を行なうと、図１０１の電子的画像アルバム（１）の２番目の画像の閲覧画面が表示される。図１０１は、上記電子的画像アルバム（１）の画像２を閲覧することを可能にする画面で、上部に画像２が表示され、下部中央に「利用権」ボタン２６７、右側に右矢印ボタン１１５、左側に左矢印ボタン１１４が表示されている。
【０２０２】
例えば、図１０１の画面において、「利用権」ボタン２６７の選択決定操作を行なうと、図６５の利用権対象設定画面が表示される。以降の詳細設定の動作は、設定できる利用権の設定範囲が電子的画像アルバム（１）の画像２に限定されるものとなる以外は上述のとおりである。
【０２０３】
例えば、図１０１の画面において、右矢印ボタン１１５の選択決定操作を行なうと、図１０２の電子的画像アルバム（１）の３番目の画像の閲覧画面が表示される。図１０２は、上記電子的画像アルバム（１）の画像３を閲覧することを可能にする画面で、上部に画像３が表示され、下部中央に「利用権」ボタン２６７、右側に右矢印ボタン１１５、左側に左矢印ボタン１１４が表示されている。
【０２０４】
例えば、図１０２の画面において、「利用権」ボタンの選択決定操作を行なうと、図６５の利用権対象設定画面が表示される。以降の詳細設定の動作は、設定できる利用権の設定範囲が電子的画像アルバム（１）の画像３に限定されるものとなる以外は上述のとおりである。
【０２０５】
例えば、図１０２の画面において、右矢印ボタン１１５の選択決定操作を行なうと、図１０３の電子的画像アルバム（１）の４番目の画像の閲覧画面が表示される。図１０３、上記電子的画像アルバム（１）の画像４を閲覧することを可能にする画面で、上部に画像４が表示され、下部中央に「利用権」ボタン２６７、右側に右矢印ボタン１１５、左側に左矢印ボタン１１４が表示されている。
【０２０６】
例えば、図１０３の画面において、「利用権」ボタン２６７の選択決定操作を行なうと、図６５の利用権対象設定画面が表示される。以降の詳細設定の動作は、設定できる利用権の設定範囲が電子的画像アルバム（１）の画像４に限定されるものとなる以外は上述のとおりである。
【０２０７】
例えば、図１０３の画面において、右矢印ボタン１１５の選択決定操作を行なうと、図１０４の電子的画像アルバム（１）の５番目の画像の閲覧画面が表示される。図１０４は、上記電子的画像アルバム（１）の画像５を閲覧することを可能にする画面で、上部に画像５が表示され、下部中央に「利用権」ボタン２６７、右側に右矢印ボタン１１５、左側に左矢印ボタン１１４が表示されている。また、電子的画像アルバム（２）〜電子的画像アルバム（５）内の特定画像の利用権を設定する場合も、上述の電子的画像アルバム（１）内の特定画像の利用権設定の操作と同様である。
【０２０８】
上記のような画像毎の利用権の設定を行なった結果の一例につき、図１０５乃至図１０７を参照して説明する。
【０２０９】
図１０５は、電子的画像アルバムの一例を示す。この電子的画像アルバムは画像１、画像２、画像３、画像４、画像５の５枚の画像から構成される。
【０２１０】
以下、利用者が限定された利用権を有する場合を説明するための、ある利用者の利用権設定の例を説明する。一例として、図１０６は、上記電子的画像アルバムにおいて、例えば、ある利用者(例えば携帯電話３０の所有者)が画像アルバムを閲覧できる利用権を有している画像を示す。図示の例では、画像１、画像２、画像４、画像５に対して利用者は画像アルバムを閲覧できる利用権を有している。画像３に対して利用者は画像アルバムを閲覧できる利用権を有していない。図１０７は上記電子的画像アルバムにおいて上記と同じ利用者が画像アルバムを画像注文できる利用権を有している画像を示す。画像１、画像４、画像５に対して利用者は画像アルバムを画像注文できる利用権を有している。画像２、画像３に対して利用者は画像アルバムを閲覧できる利用権を有していない。
【０２１１】
((利用権を有する者による閲覧、画像注文))
次に、上記のように利用権が設定されている場合に、電子画像アルバムの閲覧及び画像注文を行なう場合の動作について説明する。携帯電話１０に図６１のような表示が行なわれているときに「閲覧」ボタン２０１を選択して決定操作を行なうことにより、画像の閲覧及び画像注文を行なうことができる。閲覧及び画像注文はまた、画像の所有者からアルバムのホームページのＵＲＬを紹介された他の者がその携帯電話、例えば携帯電話３０、３０ａ、３０ｂなどを用いてそのＵＲＬにアクセスした場合にも行なわれる。
【０２１２】
以下図１０８を参照して説明する。上記のいずれかの操作が行なわれると、カメラ付き携帯電話１０ａ、１０ｂ、１０ｃ、携帯電話３０、３０ｂ、３０ｃなどは上記アルバムの先頭ページのＵＲＬをパケット通信で通信事業者８０を介して画像管理センター７０に送信する(ｆ３０)。この閲覧要求は、インターネット６０を介して、該当する画像管理センター７０で受信される。
【０２１３】
以下、閲覧要求が携帯電話３０から発せられたものとして説明する。最初に、その携帯電話３０の利用者が閲覧及び画像注文に関し全面的な利用権を有している場合について説明する。また、以下の例では、利用権が画像毎に設定されており、さらに利用権が図６７の画面の端末登録者ボタン２１４によって登録されたもののみであり、従って利用権の有無が通信端末識別データのみによって判定されるものとする。
【０２１４】
画像管理センター７０は、携帯電話３０からの通信がアルバムの先頭の画像(画像１)の閲覧要求であることを確認すると、利用権を確認するために、閲覧要求をした携帯電話３０に対し、その通信端末識別データを送るよう要求する。即ち、一連のパケット通信の手順にしたがって識別データ送信要求を送る。携帯電話３０は、自身の通信端末識別データを一連のパケット通信の手順にしたがって応答する。画像管理センター７０は、受信した携帯電話３０の通信端末識別データを確認して、各識別データに関連付けて保存されている利用権に関する情報を参照して、利用権の有無、その内容を参照し、画像閲覧の利用権を有することを確認する(ｆ３１)。次に画像管理センター７０は、受信した携帯電話３０の通信端末識別データを確認して、画像注文の利用権を有することを確認する(ｆ３２)。
【０２１５】
画像注文の利用権を有することを確認した場合には、画像管理センター７０は、選択ボタン１１３を表示するＨＴＭＬファイルを構成して関連ファイルと共に送信する(ｆ３３)。上記ＨＴＭＬファイル及び関連ファイルは、インターネット６０を介して、通信事業者８０のネット・サーバ８４で受信される。ネット・サーバ８４で受信された上記ＨＴＭＬファイル及び関連ファイルは、バス８３を経てサービス・サーバ８２からパケット通信として例えば携帯電話３０に送信される。この結果、携帯電話３０の表示部には例えば、図１０９に示される画面が表示される。
【０２１６】
図１０９に示すように、この画面は、表示部２７１のうちの上部の画像表示領域２７２にアルバムの最初のページの一部を構成する画像を表示し、下部のボタン表示領域２７３にボタンを表示している。ボタン表示領域２７３の中央に選択ボタン１１３、右側に右矢印ボタン１１５、左側に左矢印ボタン１１４が設けられている。利用者が、表示されている画像の印刷を希望する場合には後述のように、選択ボタン１１３を選択して、決定操作を行なう。
【０２１７】
利用者がアルバム中の別の画像の閲覧を希望する場合には、右矢印ボタン１１５又は左矢印ボタン１１４を選択して決定操作を行なう(ｆ３４)。図１０９に示すように、右矢印ボタン１１５を選択して(選択されると例えば図にハッチングで示すように表示色が変わるようになっている)、決定操作を行なうと、画像アルバムの次のページ(次の画像を含むものであり、次のページの選択により発生されるＵＲＬで指定される)へのアクセスが行なわれる(ｆ３５)。このアクセスは、画像アルバムの次のページの閲覧の申込みとしてインターネット６０を介して画像管理センター７０に伝えられる。
【０２１８】
この場合も、画像管理センター７０は、携帯電話３０からの通信が、指定された画像(例えば画像２)の閲覧要求であることを確認し、利用権を確認するために、携帯電話３０への上記通信端末識別データの要求を、一連のパケット通信の手順にしたがって送信する。携帯電話３０は、自身の通信端末識別データを一連のパケット通信の手順にしたがって応答する。画像管理センター７０は、受信した携帯電話３０の通信端末識別データを確認して、画像閲覧の利用権を有することを確認する(ｆ３１)。次に画像管理センター７０は、受信した携帯電話３０の通信端末識別データを確認して、画像注文の利用権を有することを確認する(ｆ３２)。画像管理センター７０は、選択ボタン１１３を表示するＨＴＭＬファイルを構成して関連ファイルと共に携帯電話３０に送信する(ｆ３３)。この結果、携帯電話３０の表示部には例えば、図１１０に示される画面が表示される。
【０２１９】
図１１０は、上記電子的画像アルバムの画像２の閲覧を許容する画面で、右矢印ボタン１１５の選択決定操作によって、上記電子的画像アルバムの次の画像、即ち画像３の閲覧を要求できる(ｆ３４)。
【０２２０】
利用者がアルバム中の次の画像(画像３)の閲覧を希望する場合には、図１１０に示すように、右矢印ボタン１１５を選択して決定操作を行なう(ｆ３４)。これに対し、画像管理センター７０は、携帯電話３０からの通信が画像の閲覧要求であることを確認し、利用権を確認するために、携帯電話３０への上記通信端末識別データの要求を、一連のパケット通信の手順にしたがって送信する。携帯電話３０は、自身の通信端末識別データを一連のパケット通信の手順にしたがって応答する。画像管理センター７０は、受信した携帯電話３０の通信端末識別データを確認して、画像閲覧の利用権を有することを確認する(ｆ３１)。次に画像管理センター７０は、受信した携帯電話３０の通信端末識別データを確認して、画像注文の利用権を有することを確認する(ｆ３２)。画像管理センター７０は、選択ボタン１１３を表示するＨＴＭＬファイルを構成して関連ファイルと共に携帯電話３０に送信する(ｆ３３)。この結果、携帯電話３０の表示部には例えば、図１１１に示される画面が表示される。
【０２２１】
図１１１は、上記電子的画像アルバムの画像３の閲覧を許容する画面で、右矢印ボタン１１５の選択決定操作によって、上記電子的画像アルバムの次の画像、即ち画像４の閲覧を要求できる(ｆ３４)。
【０２２２】
利用者がアルバム中の次の画像(画像４)の閲覧を希望する場合には、図１１１に示すように、右矢印ボタン１１５を選択して決定操作を行なう(ｆ３４)。これに対し、上記電子的画像アルバムの画像４の閲覧画面にアクセスする(ｆ３５)。画像管理センター７０は、携帯電話３０からの通信が画像の閲覧要求であることを確認し、利用権を確認するために、携帯電話３０への上記通信端末識別データの要求を、一連のパケット通信の手順にしたがって送信する。携帯電話３０は、自身の通信端末識別データを一連のパケット通信の手順にしたがって応答する。画像管理センター７０は、受信した携帯電話３０の通信端末識別データを確認して、画像閲覧の利用権を有することを確認する(ｆ３１)。次に画像管理センター７０は、受信した携帯電話３０の通信端末識別データを確認して、画像注文の利用権を有することを確認する(ｆ３２)。画像管理センター７０は、選択ボタン１１３を表示するＨＴＭＬファイルを構成して関連ファイルと共に携帯電話３０に送信する(ｆ３３)。この結果、携帯電話３０の表示部には例えば、図１１２に示される画面が表示される。
【０２２３】
図１１２は、上記電子的画像アルバムの画像４の閲覧を許容する画面で、右矢印ボタン１１５の選択決定操作によって、上記電子的画像アルバムの次の画像、即ち画像５の閲覧を要求できる(ｆ３４)。
【０２２４】
利用者がアルバム中の次の画像(画像５)の閲覧を希望する場合には、図１１２に示すように、右矢印ボタン１１５を選択して決定操作を行なう(ｆ３４)。これに対し上記画像管理センター７０は、携帯電話３０からの通信が画像の閲覧要求であることを確認し、利用権を確認するために、携帯電話３０への上記通信端末識別データの要求を、一連のパケット通信の手順にしたがって送信する。携帯電話３０は、自身の通信端末識別データを一連のパケット通信の手順にしたがって応答する。画像管理センター７０は、受信した携帯電話３０の通信端末識別データを確認して、画像閲覧の利用権を有することを確認する(ｆ３１)。次に画像管理センター７０は、受信した携帯電話３０の通信端末識別データを確認して、画像注文の利用権を有することを確認する(ｆ３２)。画像管理センター７０は、選択ボタン１１３を表示するＨＴＭＬファイルを構成して関連ファイルと共に携帯電話３０に送信する(ｆ３３)。この結果、携帯電話３０の表示部には例えば、図１１３に示される画面が表示される。図１１３は、上記電子的画像アルバムの画像５の閲覧を許容する画面である。
【０２２５】
以上のように、上記電子的画像アルバムに対して、利用者が全面的な利用権を有している場合には、図１０９乃至図１１３のように画像１、画像２、画像３、画像４、画像５の順番で順に閲覧可能であるし、各々の画像の閲覧画面から後述のようにして画像注文を行なうことも可能である。
【０２２６】
なお、例えば図１１２において、左矢印ボタン１１４を選択して、決定操作を行なったとすると(ｆ３４)、この決定操作により発生されるＵＲＬにより画像アルバムの前のページへのアクセスが行なわれる(ｆ３８)。その結果、携帯電話３０の表示部には再び図１１１の画面が表示される。ここで説明に使用した図１０９、図１１０、図１１１、図１１２、図１１３のページは、撮像画像に基づいて作られる画像アルバムの例である。このように、現在表示されている画像から矢印ボタン(１１４、１１５)を用いて一連の画像を順番に辿っていくことで画像アルバムに登録された画像を順に閲覧できる。
【０２２７】
なおまた、画像アルバムの画像の選択(表示されている画像の変更)のための操作として例えば矢印状の三角形のボタンの表示が用いられるものとして説明したが、他のユーザインタフェースを用いても良い。
【０２２８】
例えば、携帯電話３０の表示部に図１０９のページが表示されている時に、図１１４にハッチングで示すように、「選択」ボタン１１３を選択して、決定操作を行なうと、この画像注文を行なうことができる。これ以降の画像注文に対する処理については、実施の形態１について先に述べたのと同様である。
【０２２９】
次に、利用者が画像の一部についてのみ利用権を有する場合について説明する。一例として、携帯電話３０の利用者が、図１０６のように画像１、画像２、画像４、画像５に対する閲覧利用権を有し、図１０７のように画像１、画像４、画像５に対する画像注文利用権を有する場合の動作を、図１１５乃至図１１８、及び図１０８を参照して説明する。
【０２３０】
例えば携帯電話３０の利用者は、上記と同様画像所有者から紹介された電子的画像アルバムのＵＲＬを用いて、上記電子的画像アルバムの最初の画像(画像１)の閲覧画面にアクセスする(ｆ３０)。画像管理センター７０は、携帯電話３０からの通信が画像の閲覧要求であることを確認し、利用権を確認するために、携帯電話３０への上記通信端末識別データの要求を、一連のパケット通信の手順にしたがって送信する。携帯電話３０は、自身の通信端末識別データを一連のパケット通信の手順にしたがって応答する。画像管理センター７０は、受信した携帯電話３０の通信端末識別データを確認して、画像閲覧の利用権を有することを確認する(ｆ３１)。次に画像管理センター７０は、受信した携帯電話３０の通信端末識別データを確認して、画像注文の利用権を有することを確認する(ｆ３２)。画像管理センター７０は、選択ボタン１１３を表示するＨＴＭＬファイルを構成して関連ファイルと共に携帯電話３０に送信する(ｆ３３)。この結果、携帯電話３０の表示部には例えば、図１１５に示される画面が表示される。
【０２３１】
図１１５は、上記電子的画像アルバムの画像１の閲覧を許容する画面で、右矢印ボタン１１５の選択決定操作によって、上記電子的画像アルバムの次の画像、即ち画像２の閲覧を要求できる(ｆ３４)。
【０２３２】
電子的画像アルバムの次の画像(画像２)の閲覧要求があると、上記電子的画像アルバムの画像２の閲覧画面にアクセスする(ｆ３５)。即ち、利用者が電子的画像アルバムの次の画像(画像２)の閲覧要求をした場合、画像管理センター７０は、携帯電話３０からの通信が画像の閲覧要求であることを確認し、利用権を確認するために、携帯電話３０への上記通信端末識別データの要求を、一連のパケット通信の手順にしたがって送信する。携帯電話３０は、自身の通信端末識別データを一連のパケット通信の手順にしたがって応答する。画像管理センター７０は、受信した携帯電話３０の通信端末識別データを確認して、画像閲覧の利用権を有することを確認する(ｆ３１)。次に画像管理センター７０は、受信した携帯電話３０の通信端末識別データを確認して、画像注文の利用権は有していないことを確認する(ｆ３２)。画像管理センター７０は、選択ボタン１１３を表示しないＨＴＭＬファイルを構成して関連ファイルと共に携帯電話３０に送信する(ｆ３６)。この結果、携帯電話３０の表示部には例えば、図１１６に示される画面が表示される。
【０２３３】
図１１６は、上記電子的画像アルバムの画像２の閲覧を許容する画面で、図１１５の選択ボタン１１３が表示されておらず、画像注文はできない。右矢印ボタン１１５の選択決定操作によって、上記電子的画像アルバムの次の画像、即ち画像３の閲覧を要求できる(ｆ３７)。
【０２３４】
電子的画像アルバムの次の画像(画像３)の閲覧要求があると、上記電子的画像アルバムの画像３の閲覧画面にアクセスする(ｆ３５)。即ち、利用者が電子的画像アルバムの次の画像(画像３)の閲覧要求をした場合、画像管理センター７０は、携帯電話３０からの通信が画像の閲覧要求であることを確認し、利用権を確認するために、携帯電話３０への上記通信端末識別データの要求を、一連のパケット通信の手順にしたがって送信する。携帯電話３０は、自身の通信端末識別データを一連のパケット通信の手順にしたがって応答する。画像管理センター７０は、受信した携帯電話３０の通信端末識別データを確認して、画像閲覧の利用権は有していないことを確認する(ｆ３１)。次に画像管理センター７０は、受信した携帯電話３０の通信端末識別データを確認して、画像注文の利用権は有していないことを確認する(ｆ３２)。画像管理センター７０は上記電子的画像アルバムの画像３の閲覧画面の表示をパスする。即ち、拒否されたのが次の画像へのアクセス(ｆ３５)であったか、前の画像へのアクセス(ｆ３８)であったかに応じて(ｆ３９)、さらに次の画像または前の画像へのアクセスを行なう(ｆ３５、ｆ３８)。
【０２３５】
本例では、拒否されたのが次の画像である画像３へのアクセスであったので、その次の画像、即ち画像４へのアクセスを行なう(ｆ３５)。画像管理センター７０は、携帯電話３０からの通信が画像の閲覧要求であることを確認し、利用権を確認するために、携帯電話３０への上記通信端末識別データの要求を、一連のパケット通信の手順にしたがって送信する。携帯電話３０は、自身の通信端末識別データを一連のパケット通信の手順にしたがって応答する。画像管理センター７０は、受信した携帯電話３０の通信端末識別データを確認して、画像閲覧の利用権を有することを確認する(ｆ３１)。次に画像管理センター７０は、受信した携帯電話３０の通信端末識別データを確認して、画像注文の利用権を有することを確認する(ｆ３２)。画像管理センター７０は、選択ボタン１１３を表示するＨＴＭＬファイルを構成して関連ファイルと共に携帯電話３０に送信する(ｆ３３)。この結果、携帯電話３０の表示部には例えば、図１１７に示される画面が表示される。
【０２３６】
図１１７は、上記電子的画像アルバムの画像４の閲覧を許容する画面で、右矢印ボタン１１５の選択決定操作によって、上記電子的画像アルバムの次の画像、即ち画像５の閲覧を要求できる(ｆ３４)。
【０２３７】
電子的画像アルバムの次の画像(画像５)の閲覧要求があると、上記電子的画像アルバムの画像５の閲覧画面にアクセスする(ｆ３５)。即ち、利用者が電子的画像アルバムの次の画像(画像５)の閲覧要求をした場合、画像管理センター７０は、携帯電話３０からの通信が画像の閲覧要求であることを確認し、利用権を確認するために、携帯電話３０への上記通信端末識別データの要求を、一連のパケット通信の手順にしたがって送信する。携帯電話３０は、自身の通信端末識別データを一連のパケット通信の手順にしたがって応答する。画像管理センター７０は、受信した携帯電話３０の通信端末識別データを確認して、画像閲覧の利用権を有することを確認する(ｆ３１)。次に画像管理センター７０は、受信した携帯電話３０の通信端末識別データを確認して、画像注文の利用権を有することを確認する(ｆ３２)。画像管理センター７０は、選択ボタン１１３を表示するＨＴＭＬファイルを構成して関連ファイルと共に携帯電話３０に送信する(ｆ３６)。この結果、携帯電話３０の表示部には例えば、図１１８に示される画面が表示される。図１１８は、上記電子的画像アルバムの画像５の閲覧を許容する画面である。
【０２３８】
以上のように、上記電子的画像アルバムに対して、利用者が図１０６のように画像１、画像２、画像４、画像５に対する閲覧利用権を有し、図１０７のように画像１、画像４、画像５に対する画像注文利用権を有する利用者の場合、画像１、画像２、画像４、画像５の順番で順に閲覧可能で、画像３は存在しないものとして扱われる。また、画像注文の利用権を有しない画像２には選択ボタン１１３は表示されず、画像注文の利用権を有する画像１、画像４、画像５のみに選択ボタン１１３が表示される。
【０２３９】
((パスワードによる利用))
上記の例では、通信端末識別データのみによって利用権の有無が判定されるが、通信端末識別データによって利用権を認めるのに加えて、利用権の設定に関し上に説明したように、正しいパスワードが入力されたら、利用を認める設定をすることも可能である。即ち、上記の例では、利用権を有する利用者の通信端末の識別データが予め記憶されており、利用を希望する利用者に携帯電話３０に通信端末識別データを送信させ、画像管理センター７０において、記憶されている識別データと一致するかどうかのみに基づいて、利用権の有無を判断している。このようにする代わりにパスワード等により利用者認証を行った上で画像の利用を許容することとしても良い。
【０２４０】
この場合、本人以外のすべての利用者に対し、パスワード等による認証を条件としても良く、特定の(指定された)カテゴリーの利用者に対してのみパスワード等による認証を行うこととしても良い。また、全てのアルバムについてパスワード等による認証を行うこととしても良く、一部のアルバムについてのみパスワード等による認証を行うこととしても良い。さらに、各アルバムの全ての画像についてパスワード等による認証を行うこととしても良く、各アルバムの一部の画像についてのみパスワード等による認証を行うこととしても良い。また、画像閲覧と画像の注文の双方についてのみパスワード等による認証を行うこととしても良く、画像閲覧と画像の注文の一方についてのみパスワード等による認証を行うこととしても良い。
【０２４１】
以下、そのようなパスワードによる認証を条件として利用を許容する設定をした場合の動作を図１１９を参照して説明する。
【０２４２】
図１１９は、図１０８と概して同じである。異なるのは、ステップｆ３１、ｆ３２がそれぞれステップｆ５１、ｆ５２で置き換えられ、ステップｆ５３、ｆ５４が付加されている点である。
【０２４３】
ステップｆ５１は、「利用権有り」、「利用権無し」のほかパスワードが正しく入力された場合に利用権を認めるための「パスワード要」の判定結果乃至分岐を有する。ステップｆ５１でパスワード要と判定されたときは、ステップｆ５３に進む。ステップｆ５３は、パスワードのチェックを行なう。ステップｆ５２は、「利用権有り」、「利用権無し」のほかパスワードが正しく入力された場合に利用権を認めるための「パスワード要」の判定結果乃至分岐を有する。ステップｆ５２でパスワード要と判定されたときは、ステップｆ５４に進む。ステップｆ５４は、パスワードのチェックを行なう。
【０２４４】
図１２０は、ステップｆ５３の内容を示す。図示のように、最初にパスワードの入力を促す(ｆ６１)。そのため、画像管理センター７０は、携帯電話３０に、パスワードの入力等を促すための画面(その一例を図１２１に示す)を送信し、その表示部に表示させる。これに対して、利用者は、「パスワードの入力」２７１、「次画像」２７３、または「戻る」１１９を選択することができる(ｆ６２)。パスワード認証を受ける場合には、パスワード入力領域２７２にパスワードを入力して決定操作を行なう。入力されたパスワードは管理システム１０に送信されてチェックされる(ｆ６３)。正しければ、ステップｆ５２に進む。間違っていれば、再び図１２１の画面が表示され、パスワードの再入力を促す。これに応じて再入力を行なう。再入力されたパスワードも間違っていれば、再び図１２１の画面が表示され、パスワードの再入力(３度目の入力)を促す。これに応じて再入力を行なう。このような処理を所定回数例えば３回繰り返しても正しいパスワードが入力されないときは(ｆ６４)、ステップｆ３９に進む。
【０２４５】
図１２１の画面で、パスワードを知らないときは、「次画像」２７３を選択して決定操作を行なうことにより、ステップｆ３５に進み、次の画像へのアクセスを行ない、または「戻る」を選択して決定操作を行なうことにより、ステップｆ３８に進み、一つ前の画像へのアクセスを行なうことができる。
【０２４６】
図１２２は、ステップｆ５４の内容を示す。図示のように、最初にパスワードの入力を促す(ｆ７１)。そのため、画像管理センター７０は、携帯電話３０に、パスワードの入力等を促すための画面(その一例を図１２３に示す)を送信し、その表示部に表示させる。これに応じて、利用者は、「パスワードの入力」２８１、又は「閲覧のみ」２８３を選択することができる。即ち、パスワード認証を受ける場合には、パスワード入力領域２８２にパスワードを入力して決定操作を行なう。入力されたパスワードはシステム１０に送信されてチェックされる。正しければ、ステップｆ３３に進む。間違っていれば、再び図１２３の画面が表示され、パスワードの再入力を促す。これに応じて再入力を行なう。再入力されたパスワードも間違っていれば、再び図１２３の画面が表示され、パスワードの再入力(３度目の入力)を促す。これに応じて再入力を行なう。このような処理を所定回数例えば３回繰り返しても正しいパスワードが入力されないときは(ｆ７４)、ステップｆ３６に進む。
【０２４７】
図１２３の画面で、パスワードを知らないときは、「閲覧のみ」を選択して決定操作を行なうことにより、ステップｆ３６に進み、選択ボタンの表示のない画像を閲覧することができる。
【０２４８】
以下、上記のようなパスワードチェックを行なって複数の画像を順次閲覧する場合の動作を図１２４、図１２５、図１２１、図１２２、図１２０、図１１９、図１２７、図１２３を参照して説明する。
【０２４９】
以下の例では、上記電子的画像アルバムの画像１乃至５のうち画像３についてのみ画像の閲覧及び画像の注文にパスワード認証が必要であるものとする。
【０２５０】
最初に、利用者が、上記電子的画像アルバムの最初の画像(画像１)の閲覧画面に対しアクセスが行なったものとする(ｆ３０)。画像管理センター７０は、携帯電話３０からの通信が画像の閲覧要求であることを確認し、利用権を確認するために、携帯電話３０への上記通信端末識別データの要求を、一連のパケット通信の手順にしたがって送信する。携帯電話３０は、自身の通信端末識別データを一連のパケット通信の手順にしたがって応答する。画像管理センター７０は、受信した携帯電話３０の通信端末識別データを確認して、画像閲覧及び画像注文の利用権を有することを確認する(ｆ５１、ｆ５２)。画像管理センター７０は、画像閲覧のためのＨＴＭＬファイルを構成して関連ファイルと共に携帯電話３０に送信する(ｆ３３)。この結果、携帯電話３０の表示部には例えば、図１２４に示される画面が表示される。
【０２５１】
図１２４は、上記電子的画像アルバムの画像１の閲覧を許容する画面で、右矢印ボタン１１５の選択決定操作によって、上記電子的画像アルバムの次の画像、即ち画像２の閲覧を要求できる。
【０２５２】
次に、電子的画像アルバムの次の画像(画像２)の閲覧要求があると、上記電子的画像アルバムの画像２の閲覧画面にアクセスする(ｆ３０)。即ち、利用者が電子的画像アルバムの次の画像(画像２)の閲覧要求をした場合、画像管理センター７０は、携帯電話３０からの通信が画像の閲覧要求であることを確認し、利用権を確認するために、携帯電話３０への上記通信端末識別データの要求を、一連のパケット通信の手順にしたがって送信する。携帯電話３０は、自身の通信端末識別データを一連のパケット通信の手順にしたがって応答する。画像管理センター７０は、受信した携帯電話３０の通信端末識別データを確認して、画像閲覧及び画像注文の利用権を有することを確認する(ｆ５１、ｆ５２)。画像管理センター７０は、画像閲覧のためのＨＴＭＬファイルを構成して関連ファイルと共に携帯電話３０に送信する(ｆ３３)。この結果、携帯電話３０の表示部には例えば、図１２５に示される画面が表示される。
【０２５３】
図１２５は、上記電子的画像アルバムの画像２の閲覧を許容する画面で、右矢印ボタン１１５の選択決定操作によって、上記電子的画像アルバムの次の画像、即ち画像３の閲覧を要求できる。
【０２５４】
次に、電子的画像アルバムの次の画像(画像３)の閲覧要求があると、上記電子的画像アルバムの画像３の閲覧画面にアクセスする(ｆ３０)。即ち、利用者が電子的画像アルバムの次の画像(画像３)の閲覧要求をした場合、画像管理センター７０は、携帯電話３０からの通信が画像の閲覧要求であることを確認し、利用権を確認するために、携帯電話３０への上記通信端末識別データの要求を、一連のパケット通信の手順にしたがって送信する。携帯電話３０は、自身の通信端末識別データを一連のパケット通信の手順にしたがって応答する。画像管理センター７０は、受信した携帯電話３０の通信端末識別データを確認して、画像閲覧にあたりパスワード認証が必要なことを確認する(ｆ５１)。画像管理センター７０は、パスワード入力のためのＨＴＭＬファイルを構成して関連ファイルと共に携帯電話３０に送信する。この結果、携帯電話３０の表示部には例えば、図１２１に示される画面が表示される(ｆ６１)。
【０２５５】
この画面は、パスワード入力のための領域２７２を含む。図１２１において、領域２７２にパスワードを入力した上で「ＯＫ」ボタン１２０の選択決定操作により、入力したパスワードは、携帯電話３０から送信される(ｆ６２)。画像管理センター７０は、パスワードを確認して正しいパスワードか否か確認する(ｆ６３)。
【０２５６】
パスワードが正しい場合、次に、画像注文にあたりパスワード認証が必要なことを確認する(ｆ５２)。画像管理センター７０は、パスワード入力のためのＨＴＭＬファイルを構成して関連ファイルと共に携帯電話３０に送信する。この結果、携帯電話３０の表示部には例えば、図１２３に示される画面が表示される(ｆ７１)。
【０２５７】
図１２３において、パスワードを入力した上で「ＯＫ」ボタン１２０の選択決定操作により、入力したパスワードは、携帯電話３０から送信される(ｆ７２)。画像管理センター７０は、パスワードを確認して正しいパスワードか否か確認する(ｆ７３)。パスワードが正しい場合、図１２６のような次の画像、例えば画像３の閲覧を許容する画面を表示する(ｆ３３)。
【０２５８】
ステップｆ５２で画像注文利用権がないと判断された場合、又はステップｆ５４でＮＧの場合(正しいパスワードが入力されない場合、又は「閲覧のみ」が選択された場合)には、ステップｆ３６に進み、図１２７に示すような、選択ボタンが表示されない画像の表示を行なう。
【０２５９】
例えば、携帯電話３０の表示部に図１２４、図１２５、図１２６のページが表示されている時に、「選択」ボタン１１３を選択して、決定操作を行なうと、この画像注文を行なうことができる。これ以降の処理は実施の形態１に関し、図９及び図１０のステップｆ４以降及び図１４以降を参照して説明したのと同様である。
【０２６０】
((画像注文後に利用権チェック))
なお、上記の実施の形態では、画像閲覧利用権の有無及び画像注文利用権の有無を判定し、画像閲覧利用権があって画像注文利用権がない場合には、選択ボタンのない画像表示を行なっているが、画像表示に際は、画像注文利用権の有無はチェックせず、画像注文があったときに始めて画像注文利用権の有無をチェックすることとしても良い。
【０２６１】
以下、このような場合の動作を図１２８乃至図１３２を参照して説明する。この例では、画像の閲覧に関しては、通信端末識別データによる判別のみを行ない、パスワードによる利用権を認めないものとする。
【０２６２】
図１２８は、画像管理センター７０による、画像閲覧のための画像提供、画像注文受付けなどの動作を説明するフローチャートであり、概して図１０８と同様である。しかし、図１０８のステップｆ３２、ｆ３６、及びｆ３７が設けられておらず、ステップｆ３１で、閲覧利用権有りとの判定がなされると、ステップｆ３３に進む。
【０２６３】
図１２９は、図１２２と類似である。即ち、図１２９のステップｆ８１乃至ｆ８４はそれぞれ図１２２のステップｆ７１乃至ｆ７４と類似である。しかし、ステップｆ８０が加えられている点、ステップｆ８１によるパスワード入力の案内のための図１２３の画面の代わりに図１３２の画面が表示される点、及び印刷不要の場合には、直前の閲覧画面に戻る点で異なる。
【０２６４】
以下、ある利用者が上記電子的画像アルバムの画像２についてだけ画像の注文に関しパスワードによる認証が必要であり、画像の閲覧に関してはパスワードによる認証が不要であるように設定されている場合の動作について説明する。
【０２６５】
以下の動作の説明においては、各動作に対応した図１２８、図１２９の対応部分の符号を付記する。
【０２６６】
最初に、上記電子的画像アルバムの画像１の閲覧画面に対しアクセスが行なわれるものとする(ｆ３０)。画像管理センター７０は、携帯電話３０からの通信が画像の閲覧要求であることを確認し、利用権を確認するために、携帯電話３０への上記通信端末識別データの要求を、一連のパケット通信の手順にしたがって送信する。携帯電話３０は、自身の通信端末識別データを一連のパケット通信の手順にしたがって応答する。画像管理センター７０は、受信した携帯電話３０の通信端末識別データを確認して、画像閲覧の利用権を有することを確認する(ｆ３１)。画像管理センター７０は、画像閲覧のためのＨＴＭＬファイルを構成して関連ファイルと共に携帯電話３０に送信する(ｆ３３)。この結果、携帯電話３０の表示部には例えば、図１３０に示される画面が表示される。
【０２６７】
図１３０は、上記電子的画像アルバムの画像１の閲覧を許容する画面で、右矢印ボタン１１５の選択決定操作によって、上記電子的画像アルバムの次の画像、即ち画像２の閲覧を要求できる。選択ボタン１１３の選択決定操作によって、上記電子的画像アルバムの画像１の画像注文を行える。
【０２６８】
電子的画像アルバムの次の画像(画像２)の閲覧要求があると、上記電子的画像アルバムの画像２の閲覧画面にアクセスする(ｆ３４)。即ち、利用者が電子的画像アルバムの次の画像(画像２)の閲覧要求をした場合、画像管理センター７０は、携帯電話３０からの通信が画像の閲覧要求であることを確認し、利用権を確認するために、携帯電話３０への上記通信端末識別データの要求を、一連のパケット通信の手順にしたがって送信する。携帯電話３０は、自身の通信端末識別データを一連のパケット通信の手順にしたがって応答する。画像管理センター７０は、受信した携帯電話３０の通信端末識別データを確認して、画像閲覧の利用権を有することを確認する(ｆ３１)。画像管理センター７０は、画像閲覧のためのＨＴＭＬファイルを構成して関連ファイルと共に携帯電話３０に送信する(ｆ４０)。この結果、携帯電話３０の表示部には例えば、図１３１に示される画面が表示される。
【０２６９】
図１３１は、上記電子的画像アルバムの画像２の閲覧を許容する画面で、右矢印ボタン１１５の選択決定操作によって、上記電子的画像アルバムの次の画像、即ち画像３の閲覧を要求できる。選択ボタン１１３の選択決定操作によって、上記電子的画像アルバムの画像２の画像注文を行える。
【０２７０】
画像の注文があると(ｆ３４)、上記表示されている画像２の注文画面にアクセスする。即ち、利用者が表示されている画像(画像２)の注文をした場合、画像管理センター７０は、携帯電話３０からの通信が画像注文であることを確認し、利用権を確認するために、携帯電話３０への上記通信端末識別データの要求を、一連のパケット通信の手順にしたがって送信する。携帯電話３０は、自身の通信端末識別データを一連のパケット通信の手順にしたがって応答する。画像管理センター７０は、受信した携帯電話３０の通信端末識別データを確認して、画像注文にあたり無条件で画像注文が認められるか、パスワード入力が必要か、利用権がないかの判定を行なう(ｆ８０)。無条件に利用権があるときは、ステップｆ７に進む。利用権がないときは、直前の閲覧画面(図１３１)に戻る(ｆ３３)。(なお、閲覧画面に戻る代わりに、画像注文利用権がないと言う旨のメッセージを表示するようにしても良い。)パスワード入力が必要な場合には、画像管理センター７０は、パスワード入力のためのＨＴＭＬファイルを構成して関連ファイルと共に携帯電話３０に送信する(ｆ８１)。この結果、携帯電話３０の表示部には例えば、図１３２に示される画面が表示される。
【０２７１】
図１３２の画面はパスワードの入力のための領域２８２を有する。
図１３２に示す画面において、利用者は、「パスワードの入力」２８１、又は「画像注文不要」２８５を選択することができる。即ち、パスワード認証を受ける場合には、パスワード入力領域２８２にパスワードを入力した上で「ＯＫ」ボタン１２０の選択決定操作を行なうと(ｆ８２)、入力されたパスワードは、携帯電話３０から送信される。画像管理センター７０は、パスワードを確認して正しいパスワードか否か確認する(ｆ８３)。パスワードが正しい場合、画像注文に応じる処理を行う。即ち、これ以降の処理は実施の形態１に関し、図９及び図１０のステップｆ４以降及び図１４以降を参照して説明したのと同様である。
【０２７２】
以上では、閲覧画面へのアクセス毎に、また画像注文画面へのアクセス毎に、利用権の確認を行うようなシステムを例に説明したが、最初のアクセスで画像管理センター７０が通信端末識別データを入手して先に当該の携帯電話の利用権を確認したときは、その後一連の(携帯電話の通話状態が維持されている限り)閲覧や、画像注文に関しては画像毎に通信端末識別データの送信を要求せず、利用権があるものとして処理することとしても良い。このようにすれば、データの送受信回数を削減することができ、処理に要する時間が短くなる。
【０２７３】
また、携帯電話側からの閲覧画面要求あるいは、画像注文画面要求のコマンドに、通信端末識別データを含ませることとしても良い。そうすれば、送受信回数を削減することができ、処理に要する時間が短くなる。
【０２７４】
なお、上記の例では、パスワードによる認証を用いる場合を例に動作を説明したが、認証方法としては、パスワード認証に限らず指紋認証や虹彩認証など、他の方法でも良い。
【０２７５】
((実施の形態５の効果))
以上のように構成したので、撮像機能付き携帯電話の所有者は、電子的画像アルバムを画像管理システムに登録して、そのＵＲＬを例えば電子メールで連絡することで、当該電子的画像アルバムを見せたい者に簡単に見せることができる。また、ＵＲＬを知らせてもらった関係者は、自分が入手希望する画像の注文を自分で行うことができ、画像所有者も関係者もともに面倒な思いをすることなく希望する画像を入手できる。
【０２７６】
また、プライベートな画像アルバムはごく限られた特定の関係者にしか公開しないとか、閲覧はしてもらっても良いが画像の印刷や画像データの入手まではして欲しくないなど、また特定の集団のメンバには公開してもいいので、その集団のメンバには教えるパスワードを設けて公開する等、関係者への公開のレベルを画像所有者本人が設定できるので、プライバシーの侵害を防げる。
【０２７７】
次に、実施の形態５において画像の所有者以外の者に印刷画像の入手を可能にすることにより得られる効果をまとめると以下のとおりである。
従来、関係者への写真の配布は、銀塩カメラではフイルムの所有者が、ディジタルカメラではデータの所有者が、関係者の希望をとりまとめ行うことが多かった。フイルムやデータの所有者は枚数や大きさ等の個人の希望を聴取して、費用も立替える必要があり、データ所有者の負担が大きかった。
【０２７８】
上記の実施の形態５のようにして画像の所有者以外の者が印刷画像の入手が可能なようにすれば、関係者は希望の写真が簡単に入手でき、またデータ所有者に取って写真配布に伴う負担がなくなる。
【０２７９】
次に、実施の形態５において画像の所有者以外の者に画像データの入手を可能にすることにより得られる効果をまとめると以下のとおりである。
従来、関係者への画像データの配布は、電子メールに画像ファイルを添付して行うことが多かった。画像データの送受信にかかる電話の利用料金が高いという問題があった。同時に、通信時間もかかり、着信電話に対応できないという問題があった。
【０２８０】
また最近は、ブロードバンド通信環境が整ったパーソナルコンピュータ等の機器経由で画像データを送受信することも可能であるが、パーソナルコンピュータ等の機器を所有していない者には利用できない。またパーソナルコンピュータ等の機器を所有している者にも、外出先では利用できない。あるいは、外出の際パーソナルコンピュータ等の機器を持ち歩く煩わしさが伴う。
上記の実施の形態５のようにして画像の所有者以外の者が画像データの入手が可能なようにすれば、関係者は希望の画像データを安価に配布できる。またアルバムの閲覧や画像の印刷なども含めたサービスを受けることができるようになり便利である。
【０２８１】
実施の形態６．
実施の形態１や実施の形態５では、画像データをカメラ付き携帯電話(１０など)から画像サービス端末(４０など)に転送して、預け、アルバムの作成、管理、画像の提供などを行わせているが、撮像機能のない携帯電話などの通信端末から画像データを画像サービス端末に転送し、同様の処理を行わせることとしても良い。撮像機能のない携帯電話に記憶されている画像データとしては、一旦電子的画像アルバムからダウンロードしたものや、他の携帯電話から直接転送されたものなどがある。以下の説明では、携帯電話３０が撮像機能のないものであり、携帯電話３０から画像サービス端末４０に画像データを転送するものとする。この場合も、画像管理システムの全体的構成は図１に表されるごとくである。
【０２８２】
図１において、携帯電話３０は、その記憶部に画像を保管している。携帯電話３０ａ、３０ｂは、携帯電話は１台に限定されるものでなく、他に何台もあることを示す為に表記しており、動作については携帯電話３０と同様であるため各々についての説明は省略する。
【０２８３】
携帯電話３０に記憶されている画像データは、リムーバブルメディアを介して、或いはケーブル、赤外線、無線などの通信路を介して、画像サービス端末４０に取り込まれる。画像サービス端末４０、画像管理センター７０、通信事業者８０は、通信網、例えばインターネット６０に接続されている。インターネット６０の代わりに、専用線でも良いし、電話網でも良い。また、画像サービス端末４０からインターネットに接続するまでが無線通信によっても、有線通信によっても良い。
【０２８４】
利用者は、最寄の或いは他の理由で都合の良い画像サービス端末４０に立ち寄り、携帯電話３０に記憶されている画像データを画像サービス端末４０に転送する。利用者は画像サービス端末４０に画像データを入力することで、写真印刷、画像データの保管、ＷＷＷサイトでのアルバム閲覧、及び関係者への写真紹介などのサービスを受けることができる。
【０２８５】
携帯電話３０は、画像サービス端末４０に、画像データと共に電話番号、メール・アドレスなどの通信端末識別データを転送する。画像サービス端末４０は、通信端末識別データに関連付けられた画像データを画像管理センター７０にインターネット６０を介してアップロードする。
【０２８６】
画像管理センター７０は、画像サービス端末４０から受けた画像データを通信端末識別データに基づいて分類してアルバムを作成する。この時、画像管理センター７０は、携帯電話３０での閲覧に適するように、携帯電話３０の液晶表示画面を考慮して画像サイズを縮小する。
【０２８７】
画像管理センター７０は、アルバム閲覧サービスの提供準備が整うと、利用者の携帯電話３０のメール・アドレス宛に利用者の画像アルバム用に用意したＷＷＷサイトのＵＲＬを含む接続情報を電子メールとして送信する。利用者は、上記電子メールを受信した際に、上記ＵＲＬをアクセスして画像アルバムを閲覧する。携帯電話３０のメール受信及びＷＷＷサイトの閲覧は通信事業者８０を中継したインターネット接続で行われる。
【０２８８】
利用者は、画像アルバムを閲覧し、入手した画像(印刷画像や画像データ)を選択して画像を注文する。上記画像管理センター７０は、通信事業者８０から、携帯電話３０の位置情報を入手して、最寄の画像サービス端末４０の設置場所を、画像の受け取り場所として案内する。利用者は、画像の受け取り場所として「最寄の画像サービス端末４０」か、「自宅近くの画像サービス端末４０」か、「任意の画像サービス端末４０を検索して指定する」か、いずれかを選択する。
【０２８９】
利用者が「任意の画像サービス端末４０を検索して指定する」を選択した場合、画像管理センター７０は、希望場所の住所入力などを促して希望の場所に最も近い場所に設置されている画像サービス端末４０を案内する。また、過去の画像サービス端末４０の利用履歴を示して、そこからの選択を促しても良い。画像管理センター７０は、利用者が選択した画像サービス端末４０に、利用者が注文した画像の画像データを通信端末識別データと共にインターネット６０を介してダウンロードする。
【０２９０】
画像管理センター７０は、利用者に提供した画像アルバム閲覧サービスや、画像ダウンロード・サービスの費用を通信事業者８０に請求する。通信事業者８０は、画像管理センター７０のサービス利用料を、利用者の電話料金やパケット通信使用料、他のＷＷＷサイトの情報料と共に管理して、所定の期間毎にまとめて利用者に請求する。
【０２９１】
画像サービス端末４０は、利用者が注文した画像を用意し、保管する。即ち注文した画像が印刷画像である場合には、画像を印刷し、印刷画像を画像サービス端末内の所定の個所(保管部)に保管する。注文した画像が画像データである場合には、画像データを転送可能な形にして、引渡しに備える。利用者は、画像サービス端末４０に注文した画像を受け取りに行く。画像サービス端末４０は、画像データに関連付けられた通信端末識別データに基づいて、利用者が所有する携帯電話３０で利用者認証を行って画像を引き渡す。即ち印刷画像の場合には、印刷画像を所定の提供部に排出する。利用者は排出された印刷画像を受取る。画像データの場合には、画像サービス端末から携帯電話３０に画像データを転送する。画像の転送は、実施の形態１に関し図４を参照して説明したようにリムーバブルメディア２８を介しておこなっても良く、また、実施の形態２、実施の形態３、実施の形態４に関して説明したように、ケーブル、赤外線、無線などによって行っても良い。
【０２９２】
((実施の形態６の効果))
実施の形態６によって解決できる問題点について説明する。
携帯電話３０は、縦横が３５２画素×２８８画素の約１０万画素の画像データぐらいまでは、内蔵の記憶手段で保存しても、それほど負担になることはなかった。しかし、例えば１０倍の約１００万画素の画像データになるとデータ容量も１０倍になり非常に大きな負担となる。保存した画像データが大きくなると、携帯電話３０に内蔵の記憶手段に保存されている、電話帳や電子メール、着信通知用の楽曲データの保存領域が圧迫される。また追加の画像を保存できなくなる等の問題があった。
【０２９３】
パーソナルコンピュータ等の記憶手段を有する機器に、データをバックアップできる携帯電話３０もあるが、パーソナルコンピュータ等の記憶手段を有する機器を所有していない者には利用できない。またパーソナルコンピュータ等の記憶手段を有する機器を所有している者にも、外出先で記憶手段の空き容量が少なくなった時には利用できない。実施の形態６で説明した画像管理システムにより、画像データは任意の画像サービス端末４０に、一旦預けて、携帯電話３０に内蔵の記憶手段の空き容量に余裕がある時に受け取ることができるようになった。
【０２９４】
また、利用者認証に通信端末識別データを利用することによって、利用者も画像管理システムも、複雑なパスワード管理や預かり伝票による管理を行う手間を省くことができるようになった。
【０２９５】
実施の形態７．
実施の形態５では、利用権の設定により、画像の所有者以外の者が画像を利用することを可能にした。画像の所有者以外の者が画像を利用することを可能にしる他の方法として、以下のものがある。
【０２９６】
この方法を実施するための画像管理システムの構成も図１に表されるごとくである。以下画像の所有者(第１の利用者)がカメラ付き携帯電話１０を使用し、携帯電話３０を使用する他の者(第２の利用者)に利用させる場合について説明する。画像の所有者(第１の利用者)が画像アルバムを閲覧するまでの動作は実施の形態１と同様である。
【０２９７】
画像管理センター７０は、保管している画像にユニークな画像識別符号をつけて管理している。第１の利用者は、画像アルバムを閲覧し、第２の利用者に利用させたい画像(被転送画像と呼ぶ)を選択して画像識別符号(例えば、ＵＲＬを含む)付きのメールを作成する。第１の利用者は、メールの宛先に第２の利用者を設定し、被転送画像の画像識別符号を添付した電子メールを発信する。通信事業者８０のサービス・サーバ８２は利用者の発信メールから宛先が第２の利用者のメールアドレスであることを認識して通信事業者８０内の通信網か、インターネット６０経由かを判断して上記発信メールを中継送信する。
【０２９８】
サービス・サーバ８２は同時に上記発信メールに添付されている画像識別符号を検出する。サービス・サーバ８２はネット・サーバ８４を介して画像管理センター７０に、現在第１の利用者の画像アルバムに関連付けられている被転送画像の画像識別符号を、第２の利用者の画像アルバムにも関連付けるように設定すべきことを通知する。(第２の利用者の画像アルバムがこのときまでに存在しない場合には、このとき第２の利用者がの画像アルバムを作成した上で、上記の処理を行う。)画像管理センター７０は、被転送画像の画像識別符号を、第２の利用者の画像アルバムにも関連付けるように設定する。例えば被転送画像の画像ファイルに第２の利用者の画像アルバムのトップページからリンクをはる。
【０２９９】
第２の利用者は、携帯電話３０で第１の利用者からの上記電子メールを受信したら、添付の画像識別符号(例えば、ＵＲＬを含む)
に基づいて画像管理センター７０にアクセスして当該画像を閲覧する。以降、第２の利用者の通信端末識別データが対応する携帯電話３０から電子アルバムの受信ページにアクセスして閲覧できる。
【０３００】
携帯電話３０の所有者である第２の利用者は、第１の利用者にとっての親族や友人、知人など、利用者が自分の画像アルバムを見て欲しいと思う相手であったり、画像アルバムの画像に、被写体として写っている人達であったりする。
【０３０１】
第２の利用者は、入手したい画像を選択して注文する。上記画像管理センター７０は、通信事業者８０から、携帯電話３０の位置情報を入手して、最寄の画像サービス端末４０の設置場所を、画像の受け取り場所として案内する。第２の利用者は、画像の受け取り場所として、「最寄の画像サービス端末４０」か、「自宅近くの画像サービス端末４０」か、「任意の画像サービス端末４０を検索して指定する」か、いずれかを選択する。
【０３０２】
第２の利用者が「任意の画像サービス端末４０を検索して指定する」を選択した場合、画像管理センター７０は、希望場所の住所入力などを促して希望の場所に最も近い場所に設置されている画像サービス端末４０を案内する。また、過去の画像サービス端末４０の利用履歴を示して、そこからの選択を促しても良い。画像管理センター７０は、第２の利用者が選択した画像サービス端末４０に、第２の利用者が注文した画像の画像データを通信端末識別データと共にインターネット６０を介してダウンロードする。
【０３０３】
画像管理センター７０は、第２の利用者に提供した画像アルバム閲覧サービスや、画像利用サービスの費用を通信事業者８０に請求する。通信事業者８０は、画像管理センター７０のサービス利用料を、第２の利用者の電話料金やパケット通信使用料、他のＷＷＷサイトの情報料と共に管理して、所定の期間毎にまとめて利用者に請求する。
【０３０４】
画像サービス端末４０は、第２の利用者が注文した画像を用意し、保管する。即ち注文した画像が印刷画像である場合には、画像を印刷し、印刷画像を画像サービス端末内の保管部に保管する。注文した画像が画像データである場合には、画像データを転送可能な形にして、引渡しに備える。第２の利用者は、画像サービス端末４０に注文した画像を受け取りに行く。画像サービス端末４０は、画像データに関連付けられた通信端末識別データに基づいて、第２の利用者が所有する携帯電話３０で利用者認証を行って画像を引き渡す。即ち印刷画像の場合には、印刷画像を所定の提供部に排出する。利用者は排出された印刷画像を受取る。画像データの場合には、画像サービス端末から携帯電話３０に画像データを転送する。画像の転送は、実施の形態１に関し図４を参照して説明したようにリムーバブルメディア２８を介しておこなっても良く、また、実施の形態２、実施の形態３、実施の形態４に関して説明したように、ケーブル、赤外線、無線などによって行っても良い。
【０３０５】
((実施の形態７の効果))
実施の形態７によって解決できる問題点について説明する。
従来、関係者への写真の配布は、銀塩カメラではフイルムの所有者が、ディジタルカメラではデータの所有者が、関係者の希望をとりまとめて行うことが多かった。フイルムやデータの所有者は枚数や大きさ等の個人の希望を聴取して、費用も立替て負担が大きかった。実施の形態７で説明した画像管理システムにより、関係者は希望の写真が簡単に入手できるようになった。また画像データ所有者は写真配布に伴う負担がなくなった。
【０３０６】
また、第２の利用者は、第１の利用者のアルバムではなく、第２の利用者専用のアルバムを参照することになるため、第１の利用者のアルバムを第２の利用者がアクセスすることに伴うアクセス権のチェックの問題が生じなくなる。アクセス権のチェックは、画像管理センター７０にとって管理の負荷が増えると言う問題があった。また、第２の利用者にとってもパスワードを要求されるなど、アクセスに手数が掛かり不便と言う問題があった。
【０３０７】
実施の形態８．
上記の各実施の形態では、画像管理センターにおいて、フルサイズ画像データを保管するとともに、縮小画像データで画像アルバムを作成し、保管しているが、代りに画像サービス端末においてフルサイズ画像データを保管し、画像サービス端末が縮小画像データを作成して画像管理センターに送り、画像管理センターでは送られた縮小画像データで画像アルバムを作成し、保管し、フルサイズ画像データは画像管理センターでは保管しないこととしても良い。この場合の画像管理システムの全体的構成も図１に表されるごとくである。以下カメラ付き携帯電話１０から画像サービス端末４０に画像データを転送する場合について説明する。
【０３０８】
図１において、利用者は、カメラ付き携帯電話１０で、撮影を行う。カメラ付き携帯電話１０は、利用者のシャッター操作に応じて、撮像により得られた画像データを記憶する。利用者は、撮影場所から最寄の或いは他の理由で都合の良い画像サービス端末４０に立ち寄り、カメラ付き携帯電話１０で撮影した画像データを画像サービス端末４０に転送する。転送は、リムーバブルメディアを介して、或いはケーブル、赤外線、無線などの通信路を介して行われる。
【０３０９】
画像サービス端末４０、画像管理センター７０、通信事業者８０は、通信網例えばインターネット６０に接続されており、利用者は画像サービス端末４０に画像データを入力することで、写真印刷、画像データの保管、ＷＷＷサイトでのアルバム閲覧、及び関係者への写真紹介などのサービスを受けることができる。カメラ付き携帯電話１０は、画像サービス端末４０に、画像データと共に電話番号、メール・アドレスなどの通信端末識別データを転送する。
【０３１０】
画像サービス端末４０は、図５において、カメラ付き携帯電話１０から受取った画像データ及び通信端末識別データを蓄積部４３に格納する。処理部４４は蓄積部４３から画像データを読み出して、図７のような携帯電話の表示画面に対応した縮小画像ファイルを生成し蓄積部４３に格納する。
【０３１１】
画像サービス端末４０は、上記縮小画像ファイルを画像管理センター７０にインターネット６０を介してアップロードする。画像管理センター７０は、画像サービス端末４０から受けた上記縮小画像ファイルを通信端末識別データに基づいて分類してアルバムを作成する。
【０３１２】
画像管理センター７０は、アルバム閲覧サービスの提供準備が整うと、利用者のカメラ付き携帯電話１０のメール・アドレス宛に利用者の画像アルバム用に用意したＷＷＷサイトのＵＲＬを含む接続情報を電子メールとして送信する。利用者は、上記電子メールを受信した際に、上記ＵＲＬをアクセスして画像アルバムを閲覧する。カメラ付き携帯電話１０のメール受信及びＷＷＷサイトの閲覧は通信事業者８０を中継したインターネット接続で行われる。利用者のカメラ付き携帯電話１０は、画像管理センター７０のＷＷＷサーバ７１にアクセスして画像アルバムを閲覧する。
【０３１３】
利用者は、入手したい画像を選択して注文する。上記画像管理センター７０は、通信事業者８０から、カメラ付き携帯電話１０の位置情報を入手して、最寄の画像サービス端末４０の設置場所を、画像の受け取り場所として案内する。利用者は、画像の受け取り場所として「最寄の画像サービス端末４０」か、「自宅近くの画像サービス端末４０」か、「任意の画像サービス端末４０を検索して指定する」か、いずれかを選択する。
【０３１４】
利用者が「任意の画像サービス端末４０を検索して指定する」を選択した場合、画像管理センター７０は、希望場所の住所入力などを促して希望の場所に最も近い場所に設置されている画像サービス端末４０を案内する。また、過去の画像サービス端末４０の利用履歴を示して、そこからの選択を促しても良い。画像管理センター７０は、利用者が選択した画像サービス端末４０に、利用者が注文した画像(縮小画像)のＵＲＬを通信端末識別データと共にインターネット６０を介してダウンロードする。
【０３１５】
画像管理センター７０は、利用者に提供した画像アルバム閲覧サービスや、画像利用サービスの費用を通信事業者８０に請求する。通信事業者８０は、画像管理センター７０のサービス利用料を、利用者の電話料金やパケット通信使用料、他のＷＷＷサイトの情報料と共に管理して、所定の期間毎にまとめて利用者に請求する。
【０３１６】
利用者が選択した画像サービス端末４０が、上記縮小画像のフルサイズ画像データを保管していた場合、利用者が注文した画像を用意し、保管する。
【０３１７】
利用者が選択した第２の画像サービス端末(例えば４０ａ)が、上記縮小画像に対応するフルサイズ画像データを保管していなかった場合、この第２の画像サービス端末４０ａは、フルサイズ画像データを保管している画像サービス端末４０に上記縮小画像のＵＲＬに対応するフルサイズ画像データの送信を要求する。画像サービス端末４０は、上記縮小画像のＵＲＬに対応するフルサイズ画像を第２の画像サービス端末４０ａに送信する。第２の画像サービス端末４０ａは、このフルサイズ画像データを受信して、利用者が注文した画像を用意し、保管する。
【０３１８】
元々フルサイズ画像を保管していた画像サービス端末４０で引き渡す場合にも、他の画像サービス端末からフルサイズ画像を受信した画像サービス端末４０ａで引き渡す場合にも、いずれの場合も画像の引渡しのために、注文した画像が印刷画像である場合には、画像を印刷し、印刷画像を画像サービス端末内の保管部に保管する。注文した画像が画像データである場合には、画像データを転送可能な形にして、引渡しに備える。利用者は、画像サービス端末４０又は４０ａに注文した画像を受け取りに行く。画像サービス端末４０又は４０ａは、画像データに関連付けられた通信端末識別データに基づいて、利用者が所有する携帯電話１０で利用者認証を行って画像を引き渡す。即ち印刷画像の場合には、印刷画像を所定の提供部に排出する。利用者は排出された印刷画像を受取る。画像データの場合には、画像サービス端末から携帯電話１０に画像データを転送する。画像の転送は、実施の形態１に関し図４を参照して説明したようにリムーバブルメディア２８を介しておこなっても良く、また、実施の形態２、実施の形態３、実施の形態４に関して説明したように、ケーブル、赤外線、無線などによって行っても良い。
【０３１９】
上記実施の形態８において、画像サービス端末４０は、蓄積部４３を有しているので、画像管理センター７０の蓄積部７１、及び各画像サービス端末４０の蓄積部４３の記憶容量各々を考慮して、各フルサイズ画像データを保存する蓄積部を割当てられる。フルサイズ画像データの移動はインターネットのトラフィックを増大させる要因となるので、最小限に留めるのが望ましい。フルサイズ画像データの必要が生じた段階で転送が実行される。そこでまずは画像データを取り込んだ各画像サービス端末４０の蓄積部４３で保存し、蓄積部４３の記憶容量が満杯に近づいたら、インターネットのトラフィックが低い時間帯を狙ってまとめて画像管理センター７０に転送しても良い。また、他の画像サービス端末４０間で各々の記憶容量を考慮してフルサイズ画像データを再配分しても良い。画像管理センター７０は、通信端末識別データ、フルサイズ画像データの保存場所、縮小画像データの保存場所を、互いに関連付けて管理する。
【０３２０】
画像サービス端末間での画像データの転送を可能にするため、各画像サービス端末４０の通信部４７は、他の画像サービス端末４０と直接通信することができるように構成されている。
他の画像サービス端末との通信は、回線交換方式データ通信によって行うこととしても良く、パケット交換方式データ通信によって行うこととしても良い。後者の場合、通信部４７はデータの暗号化手段を有するものであっても良い。
【０３２１】
実施の形態９．
実施の形態８では、画像サービス端末でフルサイズ画像データを保管する一方、画像サービス端末で縮小画像データを作成し、画像管理センターに送り、画像管理センターでは、送られた縮小画像データで画像アルバムを作成して保管している。このようにする代りに、画像サービス端末でフルサイズ画像データのみならず縮小画像データをも保管し、画像管理センターには縮小画像データのＵＲＬのみを送り、画像管理センターではこのＵＲＬを用いて画像アルバムを作成し、保管することとしても良い。このような処理を行う画像管理システムの全体的構成は図１に表されるごとくである。以下、カメラ付き携帯電話１０の画像データを画像サービス端末４０に取りこんで画像データの保管、アルバムの作成などを行う場合について説明する。
【０３２２】
図１において、利用者は、カメラ付き携帯電話１０で撮影を行う。カメラ付き携帯電話１０は、利用者のシャッター操作に応じて、撮像により得られた画像データを記憶する。利用者は、撮影場所から最寄の或いは他の理由で都合の良い画像サービス端末４０に立ち寄り、カメラ付き携帯電話１０で撮影した画像データを画像サービス端末４０に転送する。転送は、リムーバブルメディアを介して、或いはケーブル、赤外線、無線などの通信路を介して、行われる。
【０３２３】
画像サービス端末４０、画像管理センター７０、通信事業者８０は、通信網例えばインターネット６０に接続されており、利用者は画像サービス端末４０に画像データを入力することで、写真印刷、画像データの保管、ＷＷＷサイトでのアルバム閲覧、及び関係者への写真紹介などのサービスを受けることができる。カメラ付き携帯電話１０は、画像サービス端末４０に、画像データと共に電話番号、メール・アドレスなどの通信端末識別データを転送する。
【０３２４】
画像サービス端末４０は、図５において、カメラ付き携帯電話１０から受取った画像データ及び通信端末識別データを蓄積部４３に格納する。処理部４４は蓄積部４３から画像データを読み出して、図７のような携帯電話の表示画面に対応した縮小画像ファイルを生成し、サーバ部４８に格納する。サーバ部４８はインターネット６０に接続されており、インターネット経由で、サーバ４８中の上記縮小画像ファイルにアクセスすることができる。
【０３２５】
画像サービス端末４０は、上記縮小画像ファイルのＵＲＬを画像管理センター７０にインターネット６０を介してアップロードする。上記縮小画像ファイルのＵＲＬをアップロードし、フルサイズ画像データはアップロードしない。画像管理センター７０は、画像サービス端末４０から受けた上記縮小画像ファイルのＵＲＬを通信端末識別データに基づいて分類してアルバムを作成する。画像管理センター７０がカメラ付き携帯電話１０に提供する画像アルバムのホ−ムページのＨＴＭＬには、画像サービス端末４０から受けた縮小画像ファイルのＵＲＬへのリンクを記述してある。
【０３２６】
画像管理センター７０は、アルバム閲覧サービスの提供準備が整うと、利用者のカメラ付き携帯電話１０のメール・アドレス宛に利用者の画像アルバム用に用意したＷＷＷサイトのＵＲＬを含む接続情報を電子メールとして送信する。利用者は、上記電子メールを受信した際に、上記ＵＲＬをアクセスして画像アルバムを閲覧する。カメラ付き携帯電話１０のメール受信及びＷＷＷサイトの閲覧は通信事業者８０を中継したインターネット接続で行われる。利用者のカメラ付き携帯電話１０は、画像管理センター７０のＷＷＷサーバ７１にアクセスして画像アルバムを閲覧する。画像アルバムのＨＴＭＬファイルは、画像サービス端末４０のサーバ部４８の縮小画像にもリンクしているので、利用者が当該画像(縮小画像)を閲覧する際には、画像サービス端末４０のサーバ部４８の画像(縮小画像)が閲覧される。
【０３２７】
利用者は、入手したい画像を選択して注文する。上記画像管理センター７０は、通信事業者８０から、カメラ付き携帯電話１０の位置情報を入手して、最寄の画像サービス端末４０の設置場所を、画像の受け取り場所として案内する。利用者は、画像の受け取り場所として「最寄の画像サービス端末４０」か、「自宅近くの画像サービス端末４０」か、「任意の画像サービス端末４０を検索して指定する」か、いずれかを選択する。
【０３２８】
利用者が「任意の画像サービス端末４０を検索して指定する」を選択した場合、画像管理センター７０は、希望場所の住所入力などを促して希望の場所に最も近い場所に設置されている画像サービス端末４０を案内する。また、過去の画像サービス端末４０の利用履歴を示して、そこからの選択を促しても良い。画像管理センター７０は、利用者が選択した画像サービス端末４０、４０ａなどに、利用者が注文した画像(縮小画像)のＵＲＬを通信端末識別データと共にインターネット６０を介してダウンロードする。
【０３２９】
画像管理センター７０は、利用者に提供した画像アルバム閲覧サービスや、画像利用サービスの費用を通信事業者８０に請求する。通信事業者８０は、画像管理センター７０のサービス利用料を、利用者の電話料金やパケット通信使用料、他のＷＷＷサイトの情報料と共に管理して、所定の期間毎にまとめて利用者に請求する。
【０３３０】
利用者が選択した画像サービス端末(４０)が、上記縮小画像に対応するフルサイズ画像データを保管していた場合、利用者が注文した画像を用意し、保管する。
【０３３１】
利用者が選択した第２の画像サービス端末(例えば４０ａ)が、上記縮小画像に対応しうるフルサイズ画像データを保管していなかった場合、この第２の画像サービス端末４０ａは、画像サービス端末４０に上記縮小画像のＵＲＬに対応するフルサイズ画像データの送信を要求する。画像サービス端末４０は、上記縮小画像のＵＲＬに対応するフルサイズ画像データを第２の画像サービス端末４０ａに送信する。第２の画像サービス端末４０ａは送信されたフルサイズ画像データを用いて、利用者が注文した画像を用意し、保管する。
【０３３２】
元々フルサイズ画像を保管していた画像サービス端末４０で引き渡す場合にも、他の画像サービス端末からフルサイズ画像を受信した画像サービス端末４０ａで引き渡す場合にも、いずれの場合も画像の引渡しのために、注文した画像が印刷画像である場合には、画像を印刷し、印刷画像を画像サービス端末内の所定の保管部に保管する。注文した画像が画像データである場合には、画像データを転送可能な形にして、引渡しに備える。利用者は、画像サービス端末４０又は４０ａに注文した画像を受け取りに行く。画像サービス端末４０又は４０ａは、画像データに関連付けられた通信端末識別データに基づいて、利用者が所有する携帯電話１０で利用者認証を行って画像を引き渡す。即ち印刷画像の場合には、印刷画像を所定の提供部に排出する。利用者は排出された印刷画像を受取る。画像データの場合には、画像サービス端末から携帯電話１０に画像データを転送する。画像の転送は、実施の形態１に関し図４を参照して説明したようにリムーバブルメディア２８を介しておこなっても良く、また、実施の形態２、実施の形態３、実施の形態４に関して説明したように、ケーブル、赤外線、無線などによって行っても良い。
【０３３３】
上記実施の形態９において、画像サービス端末４０は、サーバ部４８、蓄積部４３を有しているので、画像管理センター７０の蓄積部７１、及び各画像サービス端末４０の蓄積部４３の記憶容量各々を考慮して、各フルサイズ画像データを保存する蓄積部を割当てられる。画像データの移動はインターネットのトラフィックを増大させる要因となるので、最小限に留めるのが望ましい。画像データの必要が生じた段階で転送が実行される。そこでまずは画像データを取り込んだ各画像サービス端末４０の蓄積部４３で保存し、蓄積部４３の記憶容量が満杯に近づいたら、インターネットのトラフィックが低い時間帯を狙ってまとめて画像管理センター７０に転送しても良い。また、近隣の或いは他の画像サービス端末４０間で各々の記憶容量を考慮してフルサイズ画像データを再配分することとしても良い。画像管理センター７０は、通信端末識別データ、フルサイズ画像データの保存場所、縮小画像データの保存場所(ＵＲＬ)を、互いに関連付けて管理する。
【０３３４】
実施の形態１０．
上記の各実施の形態において、カメラ付き携帯電話１０で撮像を行う際に、撮像対象などによる画像の分類、印刷の要否、印刷の条件などに関する属性データ乃至フラグを生成し、画像データに関連付けて記憶させることとしても良い。この場合に用いられる画像管理システムの全体的構成も図１に表されるとおりである。以下、カメラ付き携帯電話１０で撮像を行い、撮像により得られた画像データを画像サービス端末４０に転送する場合について説明する。
【０３３５】
図１において、カメラ付き携帯電話１０は、そのカメラ部で撮像を行う。カメラ付き携帯電話１０で撮像した画像データは、リムーバブルメディアを介して、或いはケーブル、赤外線、無線などの通信路を介して、画像サービス端末４０に取り込まれる。画像サービス端末４０、画像管理センター７０、通信事業者８０は、インターネット６０に接続されている。
【０３３６】
利用者は、カメラ付き携帯電話１０で、撮影を行う。カメラ付き携帯電話１０は、利用者のシャッター操作に応じて、撮像により得られた画像データを記憶する。図３において、利用者は操作部１６の操作により、画像を画像アルバムに追加するだけでなく印刷をも行いたい場合には、印刷符号を画像に関連付けて付与することができる。また印刷の用紙の種類やサイズ、枚数の設定に関する印刷設定符号をも付与することができる。また、画像アルバムの中のどの分類ページに保存するか指定するアルバム位置指定符号をも付与することができる。画像に関連付けて付与される印刷符号、印刷設定符号、アルバム位置指定符号等は画像のヘッダファイルとして関連付けられる。
【０３３７】
利用者は、撮影場所から最寄の或いは他の理由で都合の良い画像サービス端末４０に立ち寄り、カメラ付き携帯電話１０で撮影した画像データ及び各処理指定フラグを含むヘッダファイルを画像サービス端末４０に転送する。利用者は画像サービス端末４０に画像データを入力することで、写真印刷、画像データの保管、ＷＷＷサイトでのアルバム閲覧、及び関係者への写真紹介などのサービスを受けることができる。カメラ付き携帯電話１０は、画像サービス端末４０に、画像データ及び各処理指定フラグを含むヘッダファイルと共に電話番号、メール・アドレスなどの通信端末識別データを転送する。
【０３３８】
画像サービス端末４０は、ヘッダファイルに含まれる印刷符号、印刷設定符号に基づいて指定画像を指定用紙に印刷し、保管する。利用者は、画像サービス端末４０に注文した印刷画像を受け取りに行く。画像サービス端末４０は、画像データに関連付けられた通信端末識別データに基づいて、利用者が所有するカメラ付き携帯電話１０で利用者認証を行って印刷、保管していた画像を印刷画像受け取り口に排出する。
【０３３９】
画像サービス端末４０は、図５において、カメラ付き携帯電話１０から受取った画像データ及び各処理指定フラグを含むヘッダファイル、通信端末識別データを蓄積部４３に格納する。画像サービス端末４０は、上記画像データとヘッダファイル、通信端末識別データを画像管理センター７０にインターネット６０を介してアップロードする。
【０３４０】
画像管理センター７０は、画像サービス端末４０から受けた画像データを通信端末識別データに基づいて分類してアルバムを作成する。さらに、ヘッダファイルに含まれるアルバム位置指定符号に基づいて所定のページ分類し関連付けられる。この時、画像管理センター７０は、カメラ付き携帯電話１０あるいは携帯電話３０での閲覧に適するように、カメラ付き携帯電話１０あるいは携帯電話３０の液晶表示画面を考慮して画像サイズを縮小する。
【０３４１】
画像管理センター７０は、アルバム閲覧サービスの提供準備が整うと、利用者のカメラ付き携帯電話１０のメール・アドレス宛に利用者の画像アルバム用に用意したＷＷＷサイトのＵＲＬを含む接続情報を電子メールとして送信する。利用者は、上記電子メールを受信した際に、上記ＵＲＬをアクセスして画像アルバムを閲覧する。カメラ付き携帯電話１０のメール受信及びＷＷＷサイトの閲覧は通信事業者８０を中継したインターネット接続で行われる。利用者は、画像アルバムのホームページ内の画像を指定どおりの分類、配置で閲覧することができる。
【０３４２】
画像アルバムは、日付毎、イベント毎、人物毎、テーマ毎等の小分類を持つ事ができる。特に指定を行わないでアップロードした場合は日付で分類されて保存される。分類項目の生成や画像のイベント毎、人物毎、テーマ毎等の小分類への移動は、カメラ付き携帯電話１０からの操作で行えるが、撮像の際に付加されたアルバム位置指定符号により、アルバム閲覧時の移動の手間を省くことができる。
【０３４３】
画像サービス端末４０は、印刷符号、印刷設定符号に基づいて印刷した費用情報を通信端末識別データに関連付けて画像管理センター７０に通知する。画像管理センター７０は、利用者に提供した画像アルバム閲覧サービスや、画像利用サービスの費用を通信事業者８０に請求する。通信事業者８０は、画像管理センター７０のサービス利用料を、利用者の電話料金やパケット通信使用料、他のＷＷＷサイトの情報料と共に管理して、所定の期間毎にまとめて利用者に請求する。
【０３４４】
実施の形態１１．
上記各実施の形態では、画像サービス端末４０は、画像データの受け付け、画像データの保管、及び画像印刷及び印刷画像の引渡しのすべてを行うことができるものであるが、これらの機能の一部のみを有するものを組み合わせて用いても良い。例えば、画像データの受け付けを行う端末と、画像データの保管を行う端末と、画像印刷及び印刷画像の引渡しを行う端末とを別個に設けても良い。また、他のサービス機能をあわせ持つものを用いてもよい。例えば、画像サービス端末４０は、画像サービスの他に、各種入場券や楽曲データやゲーム・ソフトウェアの販売、資格試験の受験申込み、旅行商品の販売、現金預け払いなどの各種サービスを提供するＫＩＯＳＫ端末のような端末であっても良い。ＫＩＯＳＫ端末は、コンビニエンスストア、写真店、ＤＰＥ(Ｄｅｖｅｌｏｐｍｅｎｔ  Ｐｒｉｎｔｉｎｇ  Ｅｎｌａｒｇｅｍｅｎｔ)サービス店、携帯電話販売店、ショッピングセンター、家電量販店等の小売店の店頭等に自動販売機と同様に設置されている。さらに、コンビニエンスストア等に設置されている複写機に機能追加して画像サービス端末を構成しても良い。
【０３４５】
上記各実施の形態では、通信端末として携帯電話が用いられ、カメラ付き携帯電話１０から撮像画像を画像データ端末４０に転送するものとし、携帯電話３０は、外部の供給源から受信し、記憶した画像データを画像データ端末４０に転送するものとして説明したが、画像データを外部の供給源からカメラ付き携帯電話に転送し、記憶させた後、この記憶された画像データを、カメラ付き携帯電話から画像サービス端末４０に転送するようにしても良い。即ち、上記の実施の形態の携帯電話３０は、上記のようにカメラ付きのものでもカメラ付きでないものであっても良い。
【０３４６】
また、通信端末は、携帯電話に限らず、携帯端末、携帯通信端末、携帯情報端末、携帯情報通信端末、ＰＤＡ(Ｐｅｒｓｏｎａｌ  Ｄｉｇｉｔａｌ  Ａｓｓｉｓｔａｎｔｓ、或いはＰｅｒｓｏｎａｌ  Ｄａｔａ  Ａｓｓｉｓｔａｎｔｓ)、ＰＨＳ(Ｐｅｒｓｏｎａｌ  Ｈａｎｄｙｐｈｏｎｅ  Ｓｙｓｔｅｍ)などの携帯可能で通信機能を搭載した機器のいずれでも良い。また、通信機能を内蔵したディジタル・スチル・カメラや、通信機能を内蔵したビデオ・カメラであっても良い。
【０３４７】
上記各実施の形態では、通信端末識別データとして、電話番号と、電子メール・アドレスを例にあげて説明したが、パケット通信サービスのアドレス、通信事業者における顧客管理番号、氏名及び住所を含む加入者情報のいずれであっても良い。さらに、通信端末識別データにセキュリティ用の認証コードを含んでも良い。また、通信端末識別データ自体を暗号化しても良い。さらにまた通信端末識別データに通信事業者識別データを含んでも良い。通信事業者８０によって、表示できる画像フォーマットや、電子メールへの画像情報の添付方法が異なるため、また利用料金の請求のため、画像管理センター７０は通信事業者８０を識別して管理するが、通信端末識別データに基づいて通信事業者８０情報を得るよりも、通信事業者識別データが内蔵してある方が、正確で処理も速くなる。
【０３４８】
上記各実施の形態では、通信網としてインターネット６０を用いる場合を例に説明した。この場合、通信部４７は、パケット通信方式でデータ通信を行う機能を有する。またこの場合、通信部４７はデータの暗号化手段を有するものであっても良い。代りに、専用線あるいは電話網を用いることで伝送データの秘匿性を高めても良い。電話網を用いる場合、通信部４７は回線交換方式でデータ通信を行う機能を有する必要がある。
【０３４９】
さらに、送信情報がオープンなインターネットと、送信情報を他者に漏れないようにできる専用線あるいは電話網による通信網とで、二重のネットワークを構成して、画像データ等の大容量通信はインターネットを通じて行い、通信端末識別データや課金情報等の個人情報は専用線あるいは電話網を通じて行うようにしても良い。
【０３５０】
さらにまた、画像サービス端末４０の通信部４７が、ＷＷＷ(Ｗｏｒｌｄ  Ｗｉｄｅ  Ｗｅｂ)サーバ機能を有するものを用いても良い。
【０３５１】
上記各実施の形態では、画像管理センター７０をＫＩＯＳＫ端末のような画像サービス端末を展開する、小売事業者、写真プリント事業者、カメラ製造業者、インターネット・サービス事業者等により運営される場合について説明したが、画像管理センター７０は通信事業者８０の一部門であっても良い。
【０３５２】
上記各実施の形態では、画像、画像データ、画像ファイル等の表現で説明したが、具体的には静止画像であっても、動画像であっても、静止画像を組み合わせた画像であっても、動画像をコマ落しした画像であっても良い。
【０３５３】
各実施の形態について上記したように、画像管理方法が、データ読み取り工程と、画像アルバム作成工程と、閲覧画面提供工程と、発注画面提供工程と、受注工程と、画像提供準備工程と、利用料金精算工程と、印刷画像提供工程とを備えた場合、画像の入力、閲覧、画像注文、利用料金支払いを含む画像管理サービスを、一元的な管理の下で利用できるので、利用者の利便性が高まる。画像閲覧だけが可能なサービス、或いは画像注文だけが提供されるサービスでは画像の入力や、料金精算が二度手間となるところを、その手間を省いて便利になる。
【０３５４】
また上記のように、複数の画像サービス端末に共通の画像管理センターが設けられ、アルバムの作成が画像管理センターにおいて行われるようにした場合、画像サービス端末の負担が減るという利点がある。
【０３５５】
また上記のように、注文データに基づいて利用料金を計算する利用料金精算工程をさらに備えることとすれば、料金の精算を効率的に行うことができるという利点がある。
【０３５６】
また上記のように、画像管理方法のデータ読み取り工程において、通信端末から画像データを読み取るように構成した場合、撮像装置付き通信端末で撮影した画像でも、画像の閲覧、画像注文、利用料金支払いを含む画像管理サービスを受けることができるようになり、撮像装置付き通信端末の利用者が撮像画像の電子的画像アルバムを閲覧したり、画像を注文したりすること等が容易にできるようになる。
【０３５７】
また上記のように、画像管理方法のデータ読み取り工程において、通信端末から画像データとともに通信端末識別データも読み取るように構成した場合、撮像画像を通信端末識別データで管理することができるようになるので、専用の電子的画像アルバムの実現が容易になる。また、電子的画像アルバムのＵＲＬやアドレス等の接続情報の通知が容易になる。
【０３５８】
また上記のように、画像管理方法の画像アルバム作成工程において通信端末識別データの関連付けられた画像データから画像アルバムを作成するように構成した場合、専用の電子的画像アルバムの実現が容易になる。また、画像データと通信端末識別データが対応しているので、画像データの管理が容易になる。
【０３５９】
また上記のように、画像管理方法の画像アルバム作成工程は画像を縮小するように構成した場合、画像閲覧のためにサーバから画像を含むホームページが送信されても、縮小画像であるので、データ量が少なく通信料金も通信時間も少なくてすむようになる。また、大きな画像のままでは通信端末の表示部にはそのまま全体を表示できないが、表示できる大きさの画像に縮小しているので、一目で画像全体の印象が把握でき見やすくなる。
【０３６０】
また上記のように、画像管理方法の閲覧画面提供工程において通信端末に閲覧画面を提供するように構成した場合、通信端末で画像をいつでも閲覧することができると言う効果がある。画像を通信端末内部のメモリに保管する場合は、メモリ容量の制限から限定された枚数の画像しか保管できず、その範囲しか表示閲覧できないが、サーバのメモリ容量は通信端末のメモリ容量よりもはるかに大きいので、画像アルバムとして多くの枚数の画像を閲覧できるようになる。
【０３６１】
また上記のように、画像管理方法の発注画面提供工程において通信端末に発注画面を提供するように構成した場合、通信端末で画像の画像データや印刷画像をいつでも注文できるようになる。画像の印刷注文は、写真店の店頭申し込みや、パーソナルコンピュータからインターネット経由で行うのが一般的であるが、手元の通信端末から簡単で便利に注文できるようになる。
【０３６２】
また上記のように、画像管理方法の発注画面提供工程において通信端末に画像サービス端末指定画面を提供し、画像の受け取りに利用する画像サービス端末を選択し得るように構成した場合、利用者の現在地付近の画像サービス端末や、自宅付近の画像サービス端末、目的地付近の画像サービス端末を検索して紹介するので、利用者の移動予定などに応じて最適の場所で画像を受取れるようになる。即ち、画像のために、移動予定を変えて遠回りしないでも済む。
【０３６３】
また上記のように、画像管理方法の受注工程において通信端末から通信端末識別データに関連付けた受注情報を受信するように構成した場合、通信端末識別データで画像注文データを一元管理できるので、画像データや印刷画像の受け渡し、課金における重複や間違いを防げる。
【０３６４】
また上記のように、画像管理方法の利用料金精算工程において通信端末識別データに関連付けて利用料金を計算するように構成した場合、通信料金とまとめて請求することで利用料金管理が行いやすくなる。
【０３６５】
また上記のように、画像管理方法の利用料金精算工程において通信料金管理請求者に通信端末識別データに関連付けた利用料金を送信するように構成した場合、利用料金の支払いを通信料金の支払いとまとめて済ますことができる。また、クレジットカード番号等の情報をインターネット経由で送信しないで済みクレジットカード番号の悪用被害を回避できる。また、画像データや印刷画像の注文に関する料金の支払いにあたり、現金振込みのための銀行等の窓口に行く手間を省ける。
【０３６６】
また上記のように、画像管理方法は画像アルバムの接続情報を通信端末に送信するように構成した場合、接続用のＵＲＬを自分で入力する手間を省くことができる。また、閲覧しようとしたのに準備が整っていないため見られないと言ったことが起きるのを回避することができる。
【０３６７】
また上記のように、画像管理方法の印刷画像提供工程が、画像保管工程と提供工程とを備える場合、事前に印刷などを行うことができ、利用者に印刷などの間待たせると言ったことがなくなる。
【０３６８】
また上記のように、画像管理方法が画像データ提供工程を備える場合、利用者の携帯電話の記憶容量がいっぱいになっても一時的に保管できるので、記憶容量を気にすることなく必要なだけ撮像することができる。
【０３６９】
また上記のように、画像管理方法が通信端末に画像用意完了通知を送信する工程を備える場合、利用者に印刷などの間待たせることがなくなる。また、利用者は印刷画像などを受け取りに指定の画像サービス端末まで行って印刷画像がまだできていないと言ったことがなくなり、時間のロスがなくなる。
【０３７０】
また上記のように、画像管理方法において、電話番号あるいはメール・アドレス等を含む通信端末識別データで画像データを管理するように構成した場合、画像データを電話番号のような、重複の無い識別データで管理できるので、第三者の画像データと入れ代わってしまうような管理上の手違いが起きにくくなる。また、利用料金を通信料金に課金しやすく、さらに、電子メール・アドレスあるいはパケット通信サービスのアドレス宛てに上記電子的画像アルバムの閲覧画面の接続情報を送信することができ、接続用のＵＲＬを自分で入力する手間を省くことができる。さらにまた、閲覧しようとしたのに準備が整っていないため見られないと言ったことが起きるのを回避することができる。
【０３７１】
また上記のように、通信端末として、携帯電話、携帯端末、携帯通信端末、携帯情報端末、携帯情報通信端末、ＰＤＡ(Ｐｅｒｓｏｎａｌ  Ｄｉｇｉｔａｌ  Ａｓｓｉｓｔａｎｔｓ、或いはＰｅｒｓｏｎａｌ  Ｄａｔａ  Ａｓｓｉｓｔａｎｔｓ)、ＰＨＳ(Ｐｅｒｓｏｎａｌ  Ｈａｎｄｙｐｈｏｎｅ  Ｓｙｓｔｅｍ)などの携帯可能で通信機能を搭載した機器を用いる場合、画像の閲覧や画像注文などに適したインターネットに接続されたパーソナルコンピュータがある固定環境でなくても、移動しながら携帯可能で通信機能を搭載した機器で画像閲覧や画像注文を行うことが可能となる。
【０３７２】
また上記のように、画像入力手段、印刷手段、表示手段、操作手段、画像データを指定の状態に変換する加工手段、サーバ手段との間で通信するための通信手段、印刷手段で印刷した画像を保管する保管手段、保管手段で保管している印刷画像を利用者に提供する提供手段を備えた画像サービス端末を構成すれば、通信端末やインターネットに接続できるようになり、利用者の都合の良い場所に設置されている画像サービス端末から大容量画像の保存、通信が行えるようになり通信費用を押えることができると共に、利便性が高くなる。
【０３７３】
また上記のように、画像サービス端末に可搬型記憶媒体からのデータ読み出し手段を備える場合には、通信端末から短時間で大容量画像データを画像サービス端末に移動させることができ、利用者の待ち時間が短くなる。
【０３７４】
また上記のように、画像サービス端末が通信機能を備える場合には、可搬型記憶媒体を持たない通信端末から大容量画像データを画像サービス端末に移動させることができ、閲覧サービスや印刷サービスなどを利用できるようになる。
【０３７５】
また上記のように、画像サービス端末が赤外線通信機能を備える場合には、ケーブル接続や、可搬型記憶媒体の出し入れの手間を省き、画像データを通信端末から画像サービス端末に移動させることができるようになる。
【０３７６】
また上記のように、画像サービス端末が無線通信機能を備える場合には、ケーブル接続や、可搬型記憶媒体の出し入れの手間を省き、また発光面と受光面を正対させる必要もなく、画像データを通信端末から画像サービス端末に移動させることができるようになる。
【０３７７】
また上記のように、画像サービス端末が画像データと共に通信端末識別データを受けるように構成した場合、閲覧や保管、印刷などのサービスの提供及び費用精算するにあたり、新たに個人管理や支払方法を設定する必要がなく、利用者は手間を省くことができ、事業者には、費用の回収が確実になるという利点がある。
【０３７８】
また上記のように、画像サービス端末が電話番号あるいはメール・アドレス等を含む通信端末識別データで画像データを管理するように構成した場合、画像データを電話番号のような、重複の無い識別データで管理できるので、第三者の画像データと入れ代わってしまうような管理上の手違いは起きにくくなる。また、利用料金を通信料金に課金しやすく、電子メール・アドレスあるいはパケット通信サービスのアドレス宛てに上記電子的画像アルバムの閲覧画面の接続情報を送信できるので、接続用のＵＲＬを自分で入力する手間が省くことができ、閲覧しようとしたのに準備が整っていないため見られないと言ったことが起きるのを回避することができる。
【０３７９】
また上記のように、画像サービス端末が通信事業者識別データも受けるように構成した場合、費用請求先を直接把握することができ、確認処理を省略することができる。
【０３８０】
また上記のように、画像サービス端末が処理指定フラグも受けるように構成した場合、画像アルバムを閲覧した上で画像の処理を設定する必要がなくなるので、利用者は手間を省くことができる。
【０３８１】
また上記のように、画像サービス端末が印刷フラグも受けるように構成した場合、画像アルバムを閲覧した上で印刷する画像を設定する必要がなくなり、通信端末から画像サービス端末に画像データを転送したら直ちに画像サービス端末において印刷が開始されるので、短時間でかつ少ない操作で印刷画像を得ることができる。
【０３８２】
また上記のように、画像サービス端末が印刷設定フラグも受けるように構成した場合、画像アルバムを閲覧した上で印刷用紙等を設定する必要がなくなり、通信端末から画像サービス端末に画像データを転送したら直ちに印刷が開始されるので、短時間でかつ少ない操作で印刷画像を得ることができる。
【０３８３】
また上記のように、画像サービス端末がアルバム位置指定フラグも受けるように構成した場合、画像アルバムを閲覧した上でアルバムの分類を編集しなくても良く、最初から分類されており、その分類に従ってアルバムが構成されるので、利用者の手間を省くことができる。
【０３８４】
また上記のように、画像サービス端末に接続される通信端末が、携帯電話、カメラ付き携帯電話、携帯端末、携帯通信端末、携帯情報端末、携帯情報通信端末、ＰＤＡ(Ｐｅｒｓｏｎａｌ  Ｄｉｇｉｔａｌ  Ａｓｓｉｓｔａｎｔｓ、或いはＰｅｒｓｏｎａｌ  Ｄａｔａ  Ａｓｓｉｓｔａｎｔｓ)、ＰＨＳ(Ｐｅｒｓｏｎａｌ  Ｈａｎｄｙｐｈｏｎｅ  Ｓｙｓｔｅｍ)などの携帯可能で通信機能を搭載した機器である場合、画像の閲覧や画像印刷に適したインターネットに接続されたパーソナルコンピュータがある固定環境でなくても、移動しながら携帯可能で通信機能を搭載した機器で画像閲覧や画像印刷が可能となる効果がある。
【０３８５】
また上記のように、画像サービス端末の加工手段が縮小画像を生成するように構成した場合、データ量の多いフルサイズ画像データを画像管理センターに送信しなくても、データ量の少ない縮小画像データの送信で済むので、インターネットのトラフィックが改善される。また、通信部の処理が短時間で済む為、早く次の処理に移行できるため全体の処理速度も速くなるという効果がある。
【０３８６】
また上記のように、画像サービス端末の通信手段が他の画像サービス端末と直接通信できるように構成した場合、例えばひとつの画像サービス端末が、印刷に必要なフルサイズ画像データを直接、当該フルサイズ画像データを保有している他の画像サービス端末から入手できるので、画像管理センターを経由するよりもインターネットのトラフィックが改善される。
【０３８７】
また上記のように、画像サービス端末の通信手段が回線交換方式データ通信するように構成した場合、盗みみられたくないデータは、公開のインターネットを通さないで、秘匿性の高い専用線や電話回線で直接送信できるので、プライバシーが守れ、また、データの悪用も防げるという効果がある。
【０３８８】
また上記のように、画像サービス端末の通信手段がパケット交換方式データ通信するように構成した場合、大容量の画像データはインターネットを経由して送られるので、通信コストを安くできる。
【０３８９】
また上記のように、画像サービス端末の通信手段がデータ暗号化するように構成した場合、インターネット経由の通信でもプライバシーが守れ、また、データの悪用も防げるという効果がある。
【０３９０】
また上記のように、画像サービス端末の通信手段が入力画像を送受信するように構成した場合、画像データを画像管理センターにアップロードできるようになるので、印刷サービスだけでなく、画像アルバムを構成して統合サービスを提供できるようになり、利用者の利便性が向上する。
【０３９１】
また上記のように、画像サービス端末の通信手段が加工画像を送受信するように構成した場合、画像サービス端末からの画像アクセス及び画像処理が集中する画像管理センターの処理負荷が軽減できるようになる。
【０３９２】
また上記のように、画像サービス端末の通信手段が縮小画像を送受信するように構成した場合、画像サービス端末からの画像入力及び画像縮小処理が集中する画像管理センターの処理負荷が軽減できるようになり、またデータ量の多いフルサイズ画像データを画像管理センターに送信しなくても、データ量の少ない縮小画像データの送信で済むので、インターネットのトラフィックが改善される。また、通信部の処理が短時間で済む為、早く次の処理に移行でき、全体の処理速度も速くなる。
【０３９３】
また上記のように、画像サービス端末の通信手段が課金データを送信するように構成した場合、画像管理センターを介しないで行った画像サービス端末の印刷サービスの費用も通信端末識別データに基づいて通信料とまとめて処理できるので、利用者は小銭を扱う手間が省ける。
【０３９４】
また上記のように、画像サービス端末の通信手段がＷＷＷサーバ機能を有するように構成した場合、画像管理センターに画像データを送信しなくても、縮小画像のＵＲＬだけすみ、インターネットのトラフィックが改善される。また、通信部の処理が短時間で済む為、早く次の処理に移行でき、全体の処理速度も速くなる。
【０３９５】
また上記のように、画像サービス端末が画像データ出力手段を備える場合、画像データの保存ができるようになり、通信端末のメモリの容量がいっぱいでも、一旦保存して、さらに新たな画像を撮像できるという効果がある。また通信端末識別データに基づいて管理するので画像の保存に関して面倒な入力操作は不要である。
【０３９６】
また上記のように、画像サービス端末の画像データ出力手段が可搬型記憶媒体へのデータ書込み機能を備えるものである場合、短時間で大容量画像データを通信端末に移動させることができ、利用者の待ち時間が短くなる。
【０３９７】
また上記のように、画像サービス端末の画像データ出力手段が通信機能を備えるものである場合、可搬型記憶媒体を持たない通信端末へ大容量画像データを移動させることができ、印刷や閲覧サービスを利用できるようになる。
【０３９８】
また上記のように、画像サービス端末の画像データ出力手段が赤外線通信機能を備えたものである場合、ケーブル接続や、可搬型記憶媒体の出し入れを行う必要がなく、画像データを画像サービス端末から通信端末に移動させることができるようになり、利用者の手間が少なくなる。
【０３９９】
また上記のように、画像サービス端末の画像データ出力手段が無線通信機能を備えたので、ケーブル接続や、可搬型記憶媒体の出し入れを行う必要がなく、また発光面と受光面を正対させる必要もなく、画像データを画像サービス端末から通信端末に移動させることができるようになり、利用者の手間が少なくなる。
【０４００】
また上記のように、画像サービス端末の印刷手段が裏面印刷機能を備えるものである場合、印刷画像の管理情報を印刷することができるようになり、印刷画像の引渡しの際、引渡す相手を間違える可能性が少なくなる。
【０４０１】
また上記のように、画像サービス端末の印刷手段に通信端末識別データのパターン化情報の裏面印刷機能を備えたので、印刷画像を間違いなく管理できるようになる。また、保管している印刷画像の検索が高速になる。
【０４０２】
また上記のように、記憶手段、表示手段、通信手段、閲覧手段、画像サービス端末との近距離通信手段を備えた通信端末は、画像サービス端末やインターネットに接続でき、利用者の都合の良い場所に設置されている画像サービス端末において大容量画像データの保存、通信などが行えるようになり通信費用を押えることができると共に、利便性が高くなる。また画像データの保存ができるようになり、通信端末のメモリの容量がいっぱいでも、一旦保管しておき、さらに新たな画像を撮像できる。さらに通信端末識別データに基づいて管理するので画像の保存に関して面倒な入力操作は不要である。
【０４０３】
また上記のように、通信端末の近距離通信手段が赤外線通信機能を備えるものである場合、ケーブル接続や、可搬型記憶媒体の出し入れの必要がなく、画像データを画像サービス端末と通信端末間で移動させることができるようになり、利用者の手間が少なくなる。
【０４０４】
また上記のように、通信端末の近距離通信手段が無線通信機能を備えるものである場合、ケーブル接続や、可搬型記憶媒体の出し入れの必要がなく、また発光面と受光面を正対させる必要もなく、画像データを画像サービス端末と通信端末間で移動させることができるようになり、利用者の手間が少なくなる。
【０４０５】
また上記のように、通信端末が可搬型記憶媒体へのデータ書込み機能を備えるものである場合、短時間で大容量画像データを画像サービス端末に移動させることができ、利用者の待ち時間が短くなる。
【０４０６】
また上記のように、通信端末の近距離通信手段あるいはデータ書込み手段が、画像データに通信端末識別データを付加することとすれば、画像データの管理が容易になり、またサービス費用の処理も簡単になり、さらに利用者の入力や登録の手間が省ける。
【０４０７】
また上記のように、通信端末が画像データに付加する通信端末識別データとして電話番号やメール・アドレスを含むこととすれば、画像データを電話番号のような、重複の無い識別データで管理でき、第三者の画像データと入れ代わってしまうような管理上の手違いは起きにくくなる。また、利用料金を通信料金に課金しやすい。さらに、電子メール・アドレスあるいはパケット通信サービスのアドレス宛てに上記電子的画像アルバムの閲覧画面の接続情報を送信でき、接続用のＵＲＬを自分で入力する手間が省け、閲覧しようとしたのに準備が整っていないため見られないと言ったことが起きるのを回避することができる。
【０４０８】
また上記のように、通信端末が通信事業者識別データも画像データに付加するように構成した場合、費用請求先が直接把握でき、確認処理を省略できる。
【０４０９】
また上記のように、通信端末の近距離通信手段が処理指定フラグも付加するように構成した場合、画像の処理を画像アルバムを閲覧した上で設定しなくても済み、手間を省ける。
【０４１０】
また上記のように、通信端末のデータ書込み手段が処理指定フラグも付加するように構成した場合、画像の処理を画像アルバムを閲覧した上で設定しなくても済み、手間を省ける。
さらに、撮像時に利用者の操作に基づいて処理指定フラグを設定することとすれば、撮像後に別途の操作を行わなくても利用者の望み通りに処理内容を決めることができる。
【０４１１】
また上記のように、通信端末が印刷フラグも付加するように構成した場合、画像アルバムを閲覧した上で印刷する画像を設定する必要がなくなり、通信端末から画像サービス端末に画像データを転送したら直ちに画像サービス端末において印刷が開始されるので、短時間でかつ少ない操作で印刷画像を得ることができる。
【０４１２】
また上記のように、通信端末が印刷設定フラグも付加するように構成した場合、画像アルバムを閲覧した上で印刷用紙等を設定する必要がなくなり、通信端末から画像サービス端末に画像データを転送したら直ちに画像サービス端末において印刷が開始されるので、短時間でかつ少ない操作で印刷画像を得ることができる。
【０４１３】
また上記のように、通信端末がアルバム位置指定フラグも付加するように構成した場合、画像アルバムを閲覧した上でアルバムの分類を編集しなくても良く、最初から分類されており、その分類に従ってアルバムが構成されるので、利用者の手間を省くことができる。
【０４１４】
また上記のように、通信端末が、携帯電話、カメラ付き携帯電話、携帯端末、携帯通信端末、携帯情報端末、携帯情報通信端末、ＰＤＡ(Ｐｅｒｓｏｎａｌ  Ｄｉｇｉｔａｌ  Ａｓｓｉｓｔａｎｔｓ、或いはＰｅｒｓｏｎａｌ  Ｄａｔａ  Ａｓｓｉｓｔａｎｔｓ)、ＰＨＳ(Ｐｅｒｓｏｎａｌ  Ｈａｎｄｙｐｈｏｎｅ  Ｓｙｓｔｅｍ)などの携帯可能で通信機能を搭載した機器である場合、画像の閲覧や画像印刷に適したインターネットに接続されたパーソナルコンピュータがある固定環境でなくても、移動しながら携帯可能で通信機能を搭載した機器で画像閲覧や画像印刷が可能となる効果がある。
【０４１５】
また上記のように、通信端末が近距離通信手段を備えるものである場合、画像データの受信が可能となり画像データの保存ができるようになる。通信端末のメモリの容量がいっぱいでも、一旦保存して、さらに新たな画像を撮像できる。また、通信端末識別データに基づいて管理するので画像の保存に関して面倒な入力操作は不要である。
【０４１６】
また上記のように、可搬型記憶媒体が管理用の記憶領域を備えるものである場合、画像データ以外の通信端末識別データや通信事業者識別データを格納しておけば、画像サービス端末に、画像データと識別データを関連付けて入力することができる。また、利用者認証のために通信端末と画像サービス端末を接続する必要がなくなる。
【０４１７】
また上記のように、可搬型記憶媒体が読出し専用記憶素子を備えるものである場合、通信端末識別データや通信事業者識別データが書き換えられことがなく悪用されることがなくなる。
【０４１８】
また上記のように、可搬型記憶媒体が通信端末識別データを保持するように構成した場合、通信端末本体で通信端末識別データの信頼性を確保しなくもて、可搬型記憶媒体単体で通信端末識別データの信頼性を確保でき、利用者の操作の手間が省ける。
【図面の簡単な説明】
【０４１９】
【図１】本発明の実施の形態１による画像管理システム及びこれに接続された機器を示す概略図である。
【図２】カメラ付き携帯電話１０の外観を示す図であり、同図(ａ)は前面図、同図(ｂ)は背面図である。
【図３】カメラ付き携帯電話内の、画像の撮像、撮像により得られた画像データに対する処理を行う部分を示すブロック図である。
【図４】リムーバブルメディアにより携帯電話と画像サービス端末の間での画像データの転送を行う場合に用いられる、画像データを画像サービス端末に転送する様子を示す概略図である。
【図５】画像サービス端末内の、画像データの処理に関与する部分を示すブロック図である。
【図６】画像管理センターの構成を示すブロック図である。
【図７】画像の縮小を示す概略図である。
【図８】通信事業者のシステムの構成を示す図である。
【図９】実施の形態１におけるカメラ付き携帯電話からの、画像閲覧要求や、画像注文に対応して画像管理センターで行われる処理を示すフローチャートである。
【図１０】実施の形態１におけるカメラ付き携帯電話からの、画像閲覧要求や、画像注文に対応して画像管理センターで行われる処理を示すフローチャートである。
【図１１】画像の注文に対応する処理においてカメラ付き携帯電話の表示部に表示される画面であって、電子的画像アルバムの最初の画像を含むものを示す図である。
【図１２】図１１と同様の図であって、かつ「戻り」ボタンが選択された状態を示す図である。
【図１３】図１１と同様の図であって、かつ「選択」ボタンが選択された状態を示す図である。
【図１４】画像の注文態様を選択するための画面を示す図である。
【図１５】画像の注文において設定された印刷条件を示すとともに、設定する印刷条件の項目を選択するために利用される画面を示す図である。
【図１６】図１５と同様の図であって、「ＯＫ」ボタンが選択された状態を示す図である。
【図１７】図１５と同様の図であって、「枚数」が選択された状態を示す図である。
【図１８】印刷条件の一つの項目である、印刷枚数を変更するための画面を示す図である。
【図１９】図１８と同様の図であって、枚数が「２」に変更された状態を示す図である。
【図２０】図１５と同様の図であって、「枚数」が２に変更された状態を示す図である。
【図２１】図２０と同様の図であって、「ＯＫ」ボタンが選択された状態を示す図である。
【図２２】図２０と同様の図であって、「サイズ」が選択された状態を示す図である。
【図２３】印刷条件の一つの項目である、サイズを選択するための画面を示す図である。
【図２４】図２３と同様の図であって、サイズが「Ａ５」に変更された状態を示す図である。
【図２５】図２０と同様の図であって、「サイズ」がＡ５に変更された状態を示す図である。
【図２６】図２５と同様の図であって、「ＯＫ」ボタンが選択された状態を示す図である。
【図２７】図２５と同様の図であって、「用紙(ツヤ有無／縁有無)」が選択された状態を示す図である。
【図２８】印刷条件の一つの項目である、用紙(ツヤ有無／縁有無)を選択するための画面を示す図である。
【図２９】図２８と同様の図であって、用紙が「ツヤ無し／縁無し」に変更された状態を示す図である。
【図３０】図２５と同様の図であって、「用紙」が「ツヤ無し／縁無し」に変更された状態を示す図である。
【図３１】図３０と同様の図であって、「ＯＫ」ボタンが選択された状態を示す図である。
【図３２】図３０と同様の図であって、「用紙(シール有無)」が選択された状態を示す図である。
【図３３】印刷条件の一つの項目である、用紙(シール有無)を選択するための画面を示す図である。
【図３４】図３３と同様の図であって、用紙が「シール紙」に変更された状態を示す図である。
【図３５】図３０と同様の図であって、「用紙」が「シール紙」に変更された状態を示す図である。
【図３６】図３５と同様の図であって、「ＯＫ」ボタンが選択された状態を示す図である。
【図３７】注文した画像を受領する場所を選択のための画面を示す図であり、「履歴参照」が選択された状態を示す。
【図３８】図３７の画面で「履歴参照」を選択して決定操作した場合に表示される、過去に選択したことのある受領場所を候補として示す図であり、「大阪駅前Ｂ百貨店」が選択された状態を示す。
【図３９】図３８の画面で「大阪駅前Ｂ百貨店」が選択して決定操作した場合に表示される、「大阪駅前Ｂ百貨店」内の画像サービス端末の設置場所の詳細を示す画面である。
【図４０】注文した画像を受領する場所を選択のための画面を示す図であり、「現在地最寄」が選択された状態を示す。
【図４１】図４０の画面で「現在地最寄」を選択して決定操作した場合に表示される、現在地最寄の受領場所を候補として示す図であり、「東京駅前コンビニＡ」が選択された状態を示す。
【図４２】図４０の画面で「東京駅前コンビニＡ」が選択して決定操作した場合に表示される、「東京駅前コンビニＡ」の場所の詳細を示す画面である。
【図４３】注文した画像を受領する場所を選択のための画面を示す図であり、「自宅最寄」が選択された状態を示す。
【図４４】図４３の画面で「自宅最寄」を選択して決定操作した場合に表示される、自宅最寄の受領場所を候補として示す図であり、「烏丸駅前コンビニＣ」が選択された状態を示す。
【図４５】図４４の画面で「烏丸駅前コンビニＣ」」が選択して決定操作した場合に表示される、「烏丸駅前コンビニＣ」の場所の詳細を示す画面である。
【図４６】注文した画像を受領する場所を選択のための画面を示す図であり、「希望地最寄」が選択された状態を示す。
【図４７】図４６の画面で「希望地最寄」を選択して決定操作した場合に表示される、希望地を入力するための画面を示す図である。
【図４８】図４７の画面で入力された希望地に近い受領場所を候補として示す図であり、「梅田駅前コンビニＡ」が選択された状態を示す。
【図４９】図４８の画面で「梅田駅前コンビニＡ」が選択して決定操作した場合に表示される、「梅田駅前コンビニＡ」の場所の詳細を示す画面である。
【図５０】各画像データのファイル内に埋め込まれた通信端末識別データを概略的に示す図である。
【図５１】複数の画像データのファイルをまとめたフォルダに加えられた通信端末識別データを含むヘッダファイルを概略的に示す図である。
【図５２】リムーバブルメディア内に画像ファイルをまとめたフォルダとは別に加えられた通信端末識別データのファイルを概略的に示す図である。通信端末識別データは暗号化データである。
【図５３】読み出し専用の記憶部と大容量不揮発性記憶部とを有するリムーバブルメディアを示す図である。
【図５４】インターフェースケーブルにより携帯電話と画像サービス端末の間での画像データの転送を行う様子を示す概略図である。
【図５５】インターフェースケーブルにより携帯電話と画像サービス端末の間での画像データの転送を行う場合に用いられる、カメラ付き携帯電話内の、画像の撮像、撮像により得られた画像データに対する処理を行う部分を示すブロック図である。
【図５６】インターフェースケーブルにより携帯電話と画像サービス端末の間での画像データの転送を行う場合に用いられる、画像サービス端末内の、画像データの処理に関与する部分を示すブロック図である。
【図５７】赤外線通信により携帯電話と画像サービス端末の間での画像データの転送を行う場合に用いられる、カメラ付き携帯電話内の、画像の撮像、撮像により得られた画像データに対する処理を行う部分を示すブロック図である。
【図５８】赤外線通信により携帯電話と画像サービス端末の間での画像データの転送を行う場合に用いられる、画像サービス端末内の、画像データの処理に関与する部分を示すブロック図である。
【図５９】無線通信により携帯電話と画像サービス端末の間での画像データの転送を行う場合に用いられる、カメラ付き携帯電話内の、画像の撮像、撮像により得られた画像データに対する処理を行う部分を示すブロック図である。
【図６０】無線信により携帯電話と画像サービス端末の間での画像データの転送を行う場合に用いられる、画像サービス端末内の、画像データの処理に関与する部分を示すブロック図である。
【図６１】画像の閲覧、利用権の設定のいずれかを選択させるためにカメラ付き携帯電話の表示部に表示される画面を示す図である。
【図６２】利用権設定のための処理を示すフローチャートである。
【図６３】利用権設定範囲を選択させるためにカメラ付き携帯電話の表示部に表示される画面を示す図である。
【図６４】図６３と同様の図であって、「全アルバム」ボタンが選択された状態を示す図である。
【図６５】利用権設定対象(利用権の内容)を選択させるためにカメラ付き携帯電話の表示部に表示される画面を示す図である。
【図６６】図６５と同様の図であって、「閲覧／画像注文利用権」ボタンが選択された状態を示す図である。
【図６７】利用権を与えられる人(乃至通信端末)を選択させるためにカメラ付き携帯電話の表示部に表示される画面を示す図である。
【図６８】図６７と同様の図であって、「本端末のみ」ボタンが選択された状態を示す図である。
【図６９】利用権設定結果を表すためカメラ付き携帯電話の表示部に表示される画面を示す図である。
【図７０】図６８と同様の、但し「本端末のみ」の代りに「無制限」ボタンが選択された状態を示す図である。
【図７１】図６９と同様の、但し「本端末のみ」が「無制限」に変更された状態を示す図である。
【図７２】図７０と同様の、但し「無制限」の代りに「非公開」ボタンが選択された状態を示す図である。
【図７３】図７１と同様の、但し「無制限」が「非公開」に変更された状態を示す図である。
【図７４】図７２と同様の、但し「非公開」の代りに「端末登録者」ボタンが選択された状態を示す図である。
【図７５】すでに端末登録されている者を表すとともに、端末登録者の追加を可能にするためにカメラ付き携帯電話の表示部に表示部される画面を示す図である。
【図７６】端末登録の方法を選択させるためカメラ付き携帯電話の表示部に表示される画面を示す図である。
【図７７】アドレス帳により端末登録を行う場合にカメラ付き携帯電話の表示部に表示される画面を示す図である。
【図７８】端末登録の結果を表すとともに、端末登録者の追加を可能にするためにカメラ付き携帯電話の表示部に表示部される画面を示す図である。
【図７９】図７３と同様の、但し「非公開」が「田中さん」に変更された状態を示す図である。
【図８０】図７６と同様の、但し「アドレス帳から指定」の代りに「電話番号入力」ボタンが選択された状態を示す図である。
【図８１】電話番号により端末登録を行う場合にカメラ付き携帯電話の表示部に表示される画面を示す図である。
【図８２】端末登録の結果を表すとともに、端末登録者の追加を可能にするためにカメラ付き携帯電話の表示部に表示部される画面を示す図である。
【図８３】図７９と同様の、但し「田中さん」が「０９０−＊＊＊＊−＊＊＊＊」に変更された状態を示す図である。
【図８４】図８０と同様の、但し「電話番号入力」の代りに「メールアドレス入力」ボタンが選択された状態を示す図である。
【図８５】メールアドレス入力により端末登録を行う場合にカメラ付き携帯電話の表示部に表示される画面を示す図である。
【図８６】端末登録の結果を表すとともに、端末登録者の追加を可能にするためにカメラ付き携帯電話の表示部に表示部される画面を示す図である。
【図８７】図８３と同様の、但し「０９０−＊＊＊＊−＊＊＊＊」が「ｔａｎａｋａ＠＊＊＊＊．ｎｅ．ｊｐ」に変更された状態を示す図である。
【図８８】図７４と同様の、但し「端末登録者」の代りに「パスワード認証者」ボタンが選択された状態を示す図である。
【図８９】パスワードの設定又は削除を行わせるためにカメラ付き携帯電話の表示部に表示される画面を示す図である。
【図９０】設定すべきパスワードの入力を行わせるためにカメラ付き携帯電話の表示部に表示される画面を示す図である。
【図９１】図８７と同様の、但し「ｔａｎａｋａ＠＊＊＊＊．ｎｅ．ｊｐ」が「パスワード認証者」に変更された状態を示す図である。
【図９２】図６６と同様の、但し「閲覧／画像注文利用権」の代りに「閲覧利用権」ボタンが選択された状態を示す図である。
【図９３】図９２と同様の、但し「閲覧利用権」の代りに「画像注文利用権」ボタンが選択された状態を示す図である。
【図９４】図６４と同様の、但し「全アルバム」の代りに「アルバム毎」ボタンが選択された状態を示す図である。
【図９５】利用権を設定すべきアルバムを選択させるためにカメラ付き携帯電話の表示部に表示される画面を示す図である。
【図９６】図９５と同様の、但し「アルバム（１）」が選択された状態を示す図である。
【図９７】図９４と同様の、但し「アルバム毎」の代りに「画像毎」ボタンが選択された状態を示す図である。
【図９８】利用権を設定すべき画像が含まれるアルバムを選択させるためにカメラ付き携帯電話の表示部に表示される画面を示す図である。
【図９９】図９８と同様の、但し「アルバム（１）」が選択された状態を示す図である。
【図１００】アルバム（１）の最初の画像１についての利用権の設定を可能にするため、カメラ付き携帯電話の表示部に表示される画面を示す図である。
【図１０１】アルバム（１）の二番目の画像２についての利用権の設定を可能にするため、カメラ付き携帯電話の表示部に表示される画面を示す図である。
【図１０２】アルバム（１）の三番目の画像３についての利用権の設定を可能にするため、カメラ付き携帯電話の表示部に表示される画面を示す図である。
【図１０３】アルバム（１）の四番目の画像４についての利用権の設定を可能にするため、カメラ付き携帯電話の表示部に表示される画面を示す図である。
【図１０４】アルバム（１）の五番目の画像５についての利用権の設定を可能にするため、カメラ付き携帯電話の表示部に表示される画面を示す図である。
【図１０５】電子的画像アルバムの一例を示す図である。
【図１０６】上記電子的画像アルバムにおいて、例えば、ある利用者が画像アルバムを閲覧できる利用権を有している画像を示す図である。
【図１０７】上記電子的画像アルバムにおいて図１０６と同じ利用者が画像アルバムを画像注文できる利用権を有している画像を示す。
【図１０８】利用権の有無をチェックしながら閲覧要求や画像注文に応じる場合の処理を示すフローチャートである。
【図１０９】電子的画像アルバムの最初の画像を表示するとともに、画像の注文を可能にする画面を示す図である。
【図１１０】電子的画像アルバムの二番目の画像を表示するとともに、画像の注文を可能にする画面を示す図である。
【図１１１】電子的画像アルバムの三番目の画像を表示するとともに、画像の注文を可能にする画面を示す図である。
【図１１２】電子的画像アルバムの四番目の画像を表示するとともに、画像の注文を可能にする画面を示す図である。
【図１１３】電子的画像アルバムの五番目の画像を表示するとともに、画像の注文を可能にする画面を示す図である。
【図１１４】図１０９と同様の、但し「選択」ボタンが選択された状態を示す図である。
【図１１５】図１１４と同様の、但し「選択」の代りに「右矢印」ボタンが選択された状態を示す図である。
【図１１６】電子的画像アルバムの二番目の画像を表示するとともに、画像の注文が許可されていないことを表す画面を示す図である。
【図１１７】電子的画像アルバムの四番目の画像を表示するとともに、画像の注文を可能にする画面を示す図である。
【図１１８】電子的画像アルバムの五番目の画像を表示するとともに、画像の注文を可能にする画面を示す図である。
【図１１９】パスワードによる利用権を含む利用権の有無をチェックしながら閲覧要求や画像注文に応じる場合の処理を示すフローチャートである。
【図１２０】閲覧利用権に関しパスワードのチェックを行うための処理を示すフローチャートである。
【図１２１】閲覧利用権に関しパスワードを入力させるためにカメラ付き携帯電話の表示部に表示される画面を示す図である。
【図１２２】画像注文利用権に関しパスワードのチェックを行うための処理を示すフローチャートである。
【図１２３】画像注文利用権に関しパスワードを入力させるためにカメラ付き携帯電話の表示部に表示される画面を示す図である。
【図１２４】電子的画像アルバムの最初の画像を表示するとともに、画像の注文を可能にする画面を示す図である。
【図１２５】電子的画像アルバムの二番目の画像を表示するとともに、画像の注文を可能にする画面を示す図である。
【図１２６】電子的画像アルバムの三番目の画像を表示するとともに、画像の注文を可能にする画面を示す図である。
【図１２７】電子的画像アルバムの三番目の画像を表示するとともに、画像の注文が許可されないことを表す画面を示す図である。
【図１２８】画像の閲覧要求や画像注文に応じる処理において、画像表示に際は、画像注文利用権の有無はチェックせず、画像注文があったときに始めて画像注文利用権の有無をチェックすると言う手順の場合の、処理の第１の部分を示すフローチャートである。
【図１２９】画像の閲覧要求や画像注文に応じる処理において、画像表示に際は、画像注文利用権の有無はチェックせず、画像注文があったときに始めて画像注文利用権の有無をチェックすると言う手順の場合の、処理の第２の部分を示すフローチャートである。
【図１３０】電子的画像アルバムの最初の画像を表示するとともに、画像の注文を可能にする画面を示す図である。
【図１３１】電子的画像アルバムの二番目の画像を表示するとともに、画像の注文を可能にする画面を示す図である。
【図１３２】画像注文利用権に関しパスワードを入力させるためにカメラ付き携帯電話の表示部に表示される画面を示す図である。
【符号の説明】
【０４２０】
１０、１０ａ、１０ｂ、１０ｃ  カメラ付き携帯電話、  １３  表示部、  ２８  リムーバブルメディア、  ３０、３０ａ、３０ｂ  携帯電話、  ４０、４０ａ、４０ｂ  画像サービス端末、  ６０  インターネット、  ７０  画像管理センター、  ８０  通信事業者。
【図１】
2006157879.tif 000003
【図２】
2006157879.tif 000004
【図３】
2006157879.tif 000005
【図４】
2006157879.tif 000006
【図５】
2006157879.tif 000007
【図６】
2006157879.tif 000008
【図７】
2006157879.tif 000009
【図８】
2006157879.tif 000010
【図９】
2006157879.tif 000011
【図１０】
2006157879.tif 000012
【図１１】
2006157879.tif 000013
【図１２】
2006157879.tif 000014
【図１３】
2006157879.tif 000015
【図１４】
2006157879.tif 000016
【図１５】
2006157879.tif 000017
【図１６】
2006157879.tif 000018
【図１７】
2006157879.tif 000019
【図１８】
2006157879.tif 000020
【図１９】
2006157879.tif 000021
【図２０】
2006157879.tif 000022
【図２１】
2006157879.tif 000023
【図２２】
2006157879.tif 000024
【図２３】
2006157879.tif 000025
【図２４】
2006157879.tif 000026
【図２５】
2006157879.tif 000027
【図２６】
2006157879.tif 000028
【図２７】
2006157879.tif 000029
【図２８】
2006157879.tif 000030
【図２９】
2006157879.tif 000031
【図３０】
2006157879.tif 000032
【図３１】
2006157879.tif 000033
【図３２】
2006157879.tif 000034
【図３３】
2006157879.tif 000035
【図３４】
2006157879.tif 000036
【図３５】
2006157879.tif 000037
【図３６】
2006157879.tif 000038
【図３７】
2006157879.tif 000039
【図３８】
2006157879.tif 000040
【図３９】
2006157879.tif 000041
【図４０】
2006157879.tif 000042
【図４１】
2006157879.tif 000043
【図４２】
2006157879.tif 000044
【図４３】
2006157879.tif 000045
【図４４】
2006157879.tif 000046
【図４５】
2006157879.tif 000047
【図４６】
2006157879.tif 000048
【図４７】
2006157879.tif 000049
【図４８】
2006157879.tif 000050
【図４９】
2006157879.tif 000051
【図５０】
2006157879.tif 000052
【図５１】
2006157879.tif 000053
【図５２】
2006157879.tif 000054
【図５３】
2006157879.tif 000055
【図５４】
2006157879.tif 000056
【図５５】
2006157879.tif 000057
【図５６】
2006157879.tif 000058
【図５７】
2006157879.tif 000059
【図５８】
2006157879.tif 000060
【図５９】
2006157879.tif 000061
【図６０】
2006157879.tif 000062
【図６１】
2006157879.tif 000063
【図６２】
2006157879.tif 000064
【図６３】
2006157879.tif 000065
【図６４】
2006157879.tif 000066
【図６５】
2006157879.tif 000067
【図６６】
2006157879.tif 000068
【図６７】
2006157879.tif 000069
【図６８】
2006157879.tif 000070
【図６９】
2006157879.tif 000071
【図７０】
2006157879.tif 000072
【図７１】
2006157879.tif 000073
【図７２】
2006157879.tif 000074
【図７３】
2006157879.tif 000075
【図７４】
2006157879.tif 000076
【図７５】
2006157879.tif 000077
【図７６】
2006157879.tif 000078
【図７７】
2006157879.tif 000079
【図７８】
2006157879.tif 000080
【図７９】
2006157879.tif 000081
【図８０】
2006157879.tif 000082
【図８１】
2006157879.tif 000083
【図８２】
2006157879.tif 000084
【図８３】
2006157879.tif 000085
【図８４】
2006157879.tif 000086
【図８５】
2006157879.tif 000087
【図８６】
2006157879.tif 000088
【図８７】
2006157879.tif 000089
【図８８】
2006157879.tif 000090
【図８９】
2006157879.tif 000091
【図９０】
2006157879.tif 000092
【図９１】
2006157879.tif 000093
【図９２】
2006157879.tif 000094
【図９３】
2006157879.tif 000095
【図９４】
2006157879.tif 000096
【図９５】
2006157879.tif 000097
【図９６】
2006157879.tif 000098
【図９７】
2006157879.tif 000099
【図９８】
2006157879.tif 000100
【図９９】
2006157879.tif 000101
【図１００】
2006157879.tif 000102
【図１０１】
2006157879.tif 000103
【図１０２】
2006157879.tif 000104
【図１０３】
2006157879.tif 000105
【図１０４】
2006157879.tif 000106
【図１０５】
2006157879.tif 000107
【図１０６】
2006157879.tif 000108
【図１０７】
2006157879.tif 000109
【図１０８】
2006157879.tif 000110
【図１０９】
2006157879.tif 000111
【図１１０】
2006157879.tif 000112
【図１１１】
2006157879.tif 000113
【図１１２】
2006157879.tif 000114
【図１１３】
2006157879.tif 000115
【図１１４】
2006157879.tif 000116
【図１１５】
2006157879.tif 000117
【図１１６】
2006157879.tif 000118
【図１１７】
2006157879.tif 000119
【図１１８】
2006157879.tif 000120
【図１１９】
2006157879.tif 000121
【図１２０】
2006157879.tif 000122
【図１２１】
2006157879.tif 000123
【図１２２】
2006157879.tif 000124
【図１２３】
2006157879.tif 000125
【図１２４】
2006157879.tif 000126
【図１２５】
2006157879.tif 000127
【図１２６】
2006157879.tif 000128
【図１２７】
2006157879.tif 000129
【図１２８】
2006157879.tif 000130
【図１２９】
2006157879.tif 000131
【図１３０】
2006157879.tif 000132
【図１３１】
2006157879.tif 000133
【図１３２】
2006157879.tif 000134